(57)【要約】【課題】スピーカから出力された音を遊技機前方に放出する上で好適な構成を提供する。【解決手段】パチンコ機の前扉枠１４において、窓部２１の下方には、前方に膨出した上側膨出部３１及び下側膨出部３２が設けられている。上側膨出部３１には上皿３３が設けられ、下側膨出部３２には下皿３４が設けられている。下皿３４には第１球入口３４ａが設けられており、上皿３３にて余剰になった遊技球が下皿通路を通じて第１球入口３４ａから下皿３４に排出される。下皿通路は、前扉枠１４の背面に取り付けられた前扉側下皿通路部２７３を有しており、前扉側下皿通路部２７３の外周部には、下側スピーカ３０ａの背面側から出力された音を前扉側下皿通路部２７３に取り込む音取り込み孔が設けられている。この場合、下側スピーカ３０ａの背面側からの出力音は、前扉側下皿通路部２７３を通じて下皿３４に向けて放出される。【選択図】      図７
2018158265.tif 000002
【特許請求の範囲】
【請求項１】
遊技機前方に露出した状態で設けられ、遊技球を貯留する球受け皿と、
遊技球を前記球受け皿に排出する球通路と、
振動板を有し、該振動板の振動に伴って音を出力するスピーカと、
前記球通路の外周部に設けられ、前記スピーカから出力された音を当該球通路に取り込む音取り込み孔と、
前記音取り込み孔を開閉する開閉体と、
を備え、
前記開閉体は、前記スピーカからの出力音が前記音取り込み孔を通じて前記球通路に取り込まれることを、前記音取り込み孔に対する開度に応じて規制するものであることを特徴とする遊技機。
【発明の詳細な説明】
【技術分野】
【０００１】
本発明は、遊技機に関するものである。
【背景技術】
【０００２】
パチンコ機等の遊技機は、効果音等の音を発生させることが可能な音発生手段としてスピーカを備えている（例えば特許文献１参照）。遊技機においては、スピーカから出力された音が、遊技機前方に向けて放出されるようになっている。
【先行技術文献】
【特許文献】
【０００３】
【特許文献１】特開２００５−２６１８０８号公報
【発明の概要】
【発明が解決しようとする課題】
【０００４】
しかしながら、スピーカから出力された音が遊技機前方に放出される構成について未だ改善の余地がある。
【０００５】
本発明は、上記例示した事情等に鑑みてなされたものであり、スピーカから出力された音を遊技機前方に放出する上で好適な構成を提供することを目的とするものである。
【課題を解決するための手段】
【０００６】
本発明は、
遊技機前方に露出した状態で設けられ、遊技球を貯留する球受け皿と、
遊技球を前記球受け皿に排出する球通路と、
振動板を有し、該振動板の振動に伴って音を出力するスピーカと、
前記球通路の外周部に設けられ、前記スピーカから出力された音を当該球通路に取り込む音取り込み孔と、
前記音取り込み孔を開閉する開閉体と、
を備え、
前記開閉体は、前記スピーカからの出力音が前記音取り込み孔を通じて前記球通路に取り込まれることを、前記音取り込み孔に対する開度に応じて規制するものであることを特徴とする。
【発明の効果】
【０００７】
本発明によれば、スピーカから出力された音を遊技機前方に放出する上で好適な構成を提供することができる。
【図面の簡単な説明】
【０００８】
【図１】第１の実施形態におけるパチンコ機を示す斜視図である。
【図２】パチンコ機の主要な構成を展開して示す斜視図である。
【図３】パチンコ機の主要な構成を展開して示す斜視図である。
【図４】遊技盤ユニットの正面図である。
【図５】払出装置内部に形成された通路構造を示す縦断面図である。
【図６】前扉枠の分解斜視図である。
【図７】前扉枠の正面図である。
【図８】下皿ユニットの構成を説明するための図７のＡ―Ａ線断面図である。
【図９】下皿ユニットの構成を説明するための図７のＢ−Ｂ線断面図である。
【図１０】遊技球の通路構成を説明するための説明図である。
【図１１】遊技球分配部を説明するための説明図である。
【図１２】前扉枠から前扉側通路ユニットを分離した状態を示す斜視図である。
【図１３】前扉側通路ユニットの斜視図である。
【図１４】前扉側通路ユニットの分解斜視図である。
【図１５】前扉側通路ユニットの正面図である。
【図１６】前扉側通路ユニットの内部構造を示す図である。
【図１７】前扉側通路ユニットの平面図である。
【図１８】シャッタ機構の分解斜視図である。
【図１９】シャッタ機構の動きを説明するための説明図である。
【図２０】球詰まり抑制構造を説明するための説明図である。
【図２１】シャッタ機構の動きを説明するための説明図である。
【図２２】球侵入規制部材の動作態様を示す図である。
【図２３】球侵入規制部材の動作態様を示す図である。
【図２４】パチンコ機の電気的構成を示すブロック図である。
【図２５】当否抽選等に用いられる各種カウンタの内容を説明するための説明図である。
【図２６】主制御装置のメインＭＰＵにて実行されるメイン処理を示すフローチャートである。
【図２７】タイマ割込み処理を示すフローチャートである。
【図２８】特図特電制御処理を示すフローチャートである。
【図２９】（ａ）は変動表示態様の種類を示す概略図、（ｂ）群は各変動表示態様の概要を示す概略図である。
【図３０】保留予告用の確認処理を示すフローチャートである。
【図３１】保留コマンドの設定処理を示すフローチャートである。
【図３２】払出制御装置にて実行される払出状態検知処理を示すフローチャートである。
【図３３】メインＭＰＵにて実行される払出状態受信処理を示すフローチャートである。
【図３４】報知・演出制御装置のサブＭＰＵにより実行される報知・演出制御処理を示すフローチャートである。
【図３５】保留コマンドの対応処理を示すフローチャートである。
【図３６】第２の実施形態における前扉側通路ユニットの内部構造を示す図である。
【図３７】第３の実施形態における前扉側通路ユニットの分解斜視図である。
【図３８】前扉側通路ユニットの内部構造を示す図である。
【図３９】第４の実施形態における前扉側通路ユニットの分解斜視図である。
【発明を実施するための形態】
【０００９】
＜第１の実施形態＞
以下、遊技機の一種であるパチンコ遊技機（以下、「パチンコ機」という）の一実施形態を、図面に基づいて詳細に説明する。図１はパチンコ機１０を正面側から見た斜視図、図２及び図３はパチンコ機１０の主要な構成を展開して示す斜視図である。なお、図２では便宜上パチンコ機１０の遊技領域ＰＥ内の構成を省略している。
【００１０】
図１に示すように、パチンコ機１０は、当該パチンコ機１０の外殻を形成する外枠１１と、この外枠１１に取り付けられた遊技機主部１２とを有している。
【００１１】
外枠１１は木製の板材を四辺に連結し構成されるものであって矩形枠状をなしている。外枠１１を島設備に取り付け固定することにより、パチンコ機１０が遊技ホールに設置される。なお、パチンコ機１０において外枠１１は必須の構成ではなく、遊技場の島設備に外枠１１が備え付けられた構成としてもよい。
【００１２】
遊技機主部１２は、外枠１１によって開閉可能な状態で支持されている。具体的には、外枠１１における上枠部と左枠部との連結部分に上側支持用金具１７が固定されており、さらに外枠１１における下枠部と左枠部との連結部分に下側支持用金具１８が設けられている。これら上側支持用金具１７及び下側支持用金具１８により支持機構が構成され、当該支持機構により外枠１１に対して遊技機主部１２がパチンコ機１０の正面視で左側を回動基端側、右側を回動先端側としてパチンコ機１０の前方へ回動可能とされている（図２及び図３参照）。
【００１３】
図２に示すように、遊技機主部１２は、遊技機本体としての内枠１３と、その内枠１３の前方に配置された遊技機前面体としての前扉枠１４と、内枠１３の後方に配置される裏パックユニット１５とを備えている。なお、遊技機主部１２のうち内枠１３が外枠１１に対して回動可能に支持されている。詳細には、正面視で左側を回動基端側とし右側を回動先端側として内枠１３が前方へ回動可能とされている。
【００１４】
内枠１３には、前扉枠１４が回動可能に支持されており、正面視で左側を回動基端側とし右側を回動先端側として前方へ回動可能とされている。また、内枠１３には、裏パックユニット１５が回動可能に支持されており、正面視で左側を回動基端側とし右側を回動先端側として後方へ回動可能とされている（図３参照）。
【００１５】
＜前扉枠１４＞
次に、前扉枠１４について説明する。図２に示すように、前扉枠１４は、外形が外枠１１とほぼ同一形状をなす合成樹脂製の枠体２０を主体に構成されており、内枠１３における前面のほぼ全域を覆っている。枠体２０の中央部分には後述する遊技領域ＰＥのほぼ全域を前方から視認することができるようにした略楕円状の窓部２１が形成されており、その窓部２１は窓パネル部２２によって同前扉枠１４の背面側から塞がれている。
【００１６】
窓パネル部２２は、透明性を有する複数のガラスパネル２３と、それらガラスパネル２３を保持するガラスホルダとを備えている。ガラスホルダには、ガラスパネル２３の保持領域を前後に仕切る仕切り部が形成されており、両ガラスパネル２３は仕切り部を挟んで前後に相対向している。つまり、両ガラスパネル２３の間に所定の隙間を確保することにより、ガラスパネル２３同士の干渉を回避しつつ、それらガラスパネル２３によって遊技領域ＰＥをパチンコ機１０の正面側から２重に覆った状態となっている。
【００１７】
なお、必ずしも両ガラスパネル２３をガラスホルダを用いてユニット化する必要は無く、各ガラスパネル２３を枠体２０に対して個々に取り付ける構成としてもよい。更には、ガラスパネルの枚数は任意であり、１枚としてもよいし、３枚以上としてもよい。但し、安全性及び防犯性向上の観点から、複数のガラスパネルを採用し、それら各ガラスパネルを所定の隙間を挟んで前後に対向させることが好ましい。因みに、ガラスパネルに代えて透明性を有する合成樹脂性のパネル部材を採用することも可能である。
【００１８】
図１に示すように、窓パネル部２２（詳しくは窓部２１）の周囲には、各種ランプ等の発光手段が設けられている。例えば、窓部２１の周縁に沿ってＬＥＤ等の発光手段を内蔵した環状ランプ部２６が設けられている。環状ランプ部２６では、大当たり時や所定のリーチ時等における遊技状態の変化に応じて点灯や点滅が行われる。また、環状ランプ部２６の中央であってパチンコ機１０の最上部には所定のエラー時に点灯するエラー表示ランプ部２７が設けられ、さらにその左右側方には賞球払出中に点灯する賞球ランプ部２８が設けられている。
【００１９】
パチンコ機１０は、その上部に設けられた上側スピーカ部２９と、下部に設けられた下側スピーカ部３０とを有している。スピーカ部２９，３０は、演出音や効果音、報知音といった音（音声メッセージを含む可聴音）を出力可能になっている。演出音は、遊技中の演出効果を高めることが可能な音であり、演出音としては、演出に応じたメロディや遊技状態に応じた効果音などが挙げられる。報知音としては、遊技者にパチンコ機１０の状態を知らせる案内音や、ホール管理者に不正発生を知らせる不正発生音などが挙げられる。
【００２０】
上側スピーカ部２９は、前扉枠１４の上部において、左右の賞球ランプ部２８に近接した位置のそれぞれに設けられている。各上側スピーカ部２９は、それぞれ賞球ランプ部２８の上方位置において、前扉枠１４の上側の各隅角寄りの位置に配置されている。
【００２１】
前扉枠１４（枠体２０）における窓部２１の下方には、手前側へ膨出した上側膨出部３１と下側膨出部３２とが上下に並設されている。上側膨出部３１内側には上方に開口した上皿３３が設けられており、下側膨出部３２内側には同じく上方に開口した下皿３４が設けられている。上皿３３は、後述する払出装置より払い出された遊技媒体としての遊技球を一旦貯留し、一列に整列させながら後述する遊技球発射機構側へ導くための機能を有する。また、下皿３４は、上皿３３内にて余剰となった遊技球を貯留する機能を有する。なお、下皿３４が球受け皿に相当する。
【００２２】
上皿３３は、その奥壁に球入口３３ａを有し、後述する払出装置より払い出され当該球入口３３ａを介して導入された遊技球を一旦貯留するとともに、それら遊技球を一列に整列させながら球出口３３ｂ（図７参照）へ導く機能を有する。球出口３３ｂから上皿３３外に出た遊技球は後述する遊技球発射機構へ導かれる。
【００２３】
下皿３４は、その奥壁に設けられた球入口３４ａ，３４ｂ（図７参照）を有している。球入口３４ａ，３４ｂのうち第１球入口３４ａは、上皿３３内にて余剰となった遊技球を下皿３４に導入することが可能になっており、第２球入口３４ｂは、上皿３３に貯留されている遊技球を下皿３４に導入することが可能になっている。また、下皿３４の底部には、球抜き孔３５が形成されており、下側膨出部３２の前面側に設けられた球抜きレバー３６が操作されることにより球抜き孔３５が開放され、貯留された遊技球が下皿３４の下方へ排出される。球抜き孔３５は、閉鎖板３７により開閉可能に閉鎖されており、閉鎖板３７は、球抜きレバー３６の操作に伴って開状態に移行する。
【００２４】
下側膨出部３２の右方には、手前側へ突出するようにして遊技球発射ハンドル４１が設けられている。遊技球発射ハンドル４１が操作されることにより、後述する遊技球発射機構から遊技球が発射される。遊技球発射ハンドル４１は、パチンコ機１０の幅方向において下皿３４を挟んで下側スピーカ部３０の反対側に配置されている。
【００２５】
前扉枠１４の背面には、図２に示すように、前扉側通路ユニット４５が取り付けられている。前扉側通路ユニット４５は、合成樹脂により成形されており、上皿３３に通じる前扉側上皿通路部２７２と下皿３４に通じる前扉側下皿通路部２７３とを有している（図１５参照）。前扉側通路ユニット４５において、その上側隅部には後方に突出し上方に開放された受口部が形成されており、当該受口部を仕切壁によって左右に仕切ることで前扉側上皿通路部２７２の入口部分と前扉側下皿通路部２７３の入口部分とが区画形成されている。前扉側上皿通路部２７２に入った遊技球は上皿３３に導かれ、前扉側下皿通路部２７３に入った遊技球は下皿３４に導かれることとなる。
【００２６】
前扉枠１４の背面における回動基端側には、その上端部及び下端部に突起軸が設けられている。これら突起軸は内枠１３に対する組付機構を構成する。また、前扉枠１４の背面における回動先端側には、後方に延びる鉤金具４９が上下方向に複数並設されている。これら鉤金具４９は内枠１３に対する施錠機構を構成する。
【００２７】
＜内枠１３＞
次に、図２及び図３に基づき内枠１３について詳細に説明する。内枠１３は、外形が外枠１１と同様に略矩形状をなす内枠ベース５０を主体に構成されている。内枠ベース５０の高さ寸法は、外枠１１の高さ寸法よりも若干小さく設定されている。また、内枠ベース５０は外枠１１の上側枠部に寄せて配置され、外枠１１の下側枠部と内枠ベース５０との間には若干の隙間が形成されている。外枠１１にはこの隙間を塞ぐようにして幕板が装着されている。幕板は、内枠ベース５０（詳しくはその下端部）の下方に配置されており、内枠１３が外枠１１に対して閉じられた状態では内枠ベース５０が幕板の上に載ることとなる。
【００２８】
内枠ベース５０の前面における回動基端側には、その上端部及び下端部に支持金具５１，５２が取り付けられている。支持金具５１，５２には軸孔が形成されており、それら軸孔に前扉枠１４の突起軸が挿入されることにより、内枠１３に対して前扉枠１４が回動可能に支持されている。
【００２９】
内枠ベース５０の前面における回動先端側には、前扉枠１４の背面に設けられた鉤金具４９を挿入するための挿入孔がそれぞれ設けられている。本パチンコ機１０では、内枠１３や前扉枠１４を施錠状態とするための施錠装置５５が内枠１３の背面側に隠れて配置される構成となっている。したがって、鉤金具４９が挿入孔を介して施錠装置５５（詳しくは前扉用鉤受け部材）に係止されることによって、前扉枠１４が内枠１３に対して開放不能に施錠される。また、施錠装置５５は、内枠１３の後方へ延びる内枠用鉤部材５７を有している。これら内枠用鉤部材５７が外枠１１の鉤受け部材１９に引っ掛かることにより遊技機主部１２が外枠１１に対して閉じた状態で施錠される。
【００３０】
内枠ベース５０の右下隅部には、施錠装置５５の解錠操作を行うためのシリンダ錠５８が設置されている。シリンダ錠５８は施錠装置５５に一体化されており、シリンダ錠５８の鍵穴に差し込んだキーを右に回すと内枠１３に対する前扉枠１４の施錠が解除され、シリンダ錠５８の鍵穴に差し込んだキーを左に回すと外枠１１に対する内枠１３の施錠が解除されるように施錠装置５５が構成されている。
【００３１】
内枠ベース５０の中央部分には遊技盤ユニット６０を収容する遊技盤収容部５３が形成されている。遊技盤収容部５３は遊技盤ユニット６０の外形に合わせて遊技機後方に窪んだ凹部であり、遊技盤ユニット６０はこの遊技盤収容部５３に遊技機前方から嵌まった状態で手動式のロック機構によって固定されている。遊技盤収容部５３の底部には、略矩形状の窓孔５４が形成されており、この窓孔５４を通じて遊技盤ユニット６０の背面構成（後述する背面ブロック６０ｂ）が内枠１３の後方に突出している。なお、この窓孔５４については、内枠ベース５０に装着された遊技盤ユニット６０によってそのほぼ全域が遊技機前方から覆われた状態となっている。
【００３２】
＜遊技盤ユニット６０＞
遊技盤ユニット６０は、透明な合成樹脂材料からなる板材を主体として形成された遊技盤６０ａと、遊技盤６０ａの背面側に設けられ、後述する各種遊技部品（可変表示装置、制御装置、可動式の演出機構、発光可能な装飾部材等）がブロックベース１３６に搭載されてなる背面ブロック６０ｂとが一体化されてなり、背面ブロック６０ｂの前面部分が遊技盤６０ａを通じて視認可能となっている。
【００３３】
遊技盤６０ａの前面には遊技球が流下する上述した遊技領域ＰＥが形成されている。既に説明したように遊技領域ＰＥは窓パネル部２２（詳しくは後側のガラスパネル２３）によって覆われている。窓パネル部２２は、後側のガラスパネル２３と遊技盤６０ａの前面との隙間が遊技球の直径よりも僅かに大きくなるように、すなわち遊技領域ＰＥを流下する遊技球が同遊技領域ＰＥの同一箇所にて前後に並ばないように配置されている。これにより、遊技領域ＰＥでの球詰まりを抑制している。なお、遊技盤６０ａ（詳しくは板体）は合成樹脂製に限定されるものではなく、木製とすることも可能である。
【００３４】
以下、図４に基づき遊技盤ユニット６０（特に遊技盤６０ａの遊技領域ＰＥに配された各種構成）について説明する。図４は遊技盤ユニット６０の正面図である。
【００３５】
図４に示すように、遊技盤６０ａには、自身の厚さ方向（前後方向）に貫通する大小複数の開口が形成されている。各開口には、一般入賞口６１、可変入賞装置６４、作動口６２，６３、スルーゲート６５等がそれぞれ配設されている。一般入賞口６１、可変入賞装置６４及び作動口６２，６３に遊技球が入ると、それら遊技球が各入球部に対応して設けられた検知センサ（図示略）により検知され、その検知結果に基づいて所定数の賞球（遊技球の払い出し）等の特典が遊技者に付与される。その他に、遊技盤６０ａの最下部にはアウト口６８が設けられており、各種入球部等に入らなかった遊技球はアウト口６８を通って遊技領域ＰＥから排出される。以下の説明では、アウト口６８への遊技球の入球と明確に区別するために、一般入賞口６１、可変入賞装置６４、作動口６２，６３への遊技球の入球を「入賞」とも表現する。
【００３６】
また、遊技盤６０ａには、遊技球の流下経路を適宜分散，調整等するために多数の釘が植設されているとともに、風車等の各種部材（役物）が配設されている。これら釘や風車等の各種構成によって遊技球の流下経路が分化され、上述した一般入賞口６１等への入賞が適度な確率で発生するように調整されている。
【００３７】
遊技盤６０ａの中央には中央開口７２が形成されており、この中央開口７２を遊技盤６０ａの背面側から覆うようにして透明な開口カバー（図示略）が取り付けられている。この中央開口７２の背後には、背面ブロック６０ｂに属する可変表示ユニット６７等が位置しており、遊技機前方から当該中央開口７２（開口カバー）を通じて可変表示ユニット６７等を視認可能となっている。
【００３８】
ちなみに、遊技盤６０ａは、その透明な板材に重ねられた不透明なシート材を有している。このシート材は、透明な板材の前面側の板面に貼り付けられており、遊技盤６０ａの背面側への視線を遮ることになる。このため、背面ブロック６０ｂにおいて遊技機前方から視認できる範囲は、遊技盤６０ａの中央開口７２を通じて遊技機前方に露出する部分に限られることになる。
【００３９】
遊技盤６０ａにおいては、中央開口７２の周辺に作動口６２，６３やスルーゲート６５等が配設されている。作動口６２，６３は、可変表示ユニット６７の下方に配設された上作動口６２と、上作動口６２の直下に配設された下作動口６３とによって構成されており、特に下作動口（抽選契機入球部）６３には、開閉式の入球補助装置（入球補助手段）又は開閉部材（開閉手段）としての電動役物７１が設けられている。電動役物７１は、左右一対の可動片と同可動片を駆動させるソレノイド式の駆動部とを有してなり、下作動口６３への入球が可能又は容易となる開状態（補助状態）と、同入球が不可又は困難となる閉状態（非補助状態）とに切替可能となっている。
【００４０】
この下作動口６３よりも上流側（詳しくは可変表示ユニット６７の側方）には上記スルーゲート６５が配置されており、遊技球のスルーゲート６５の通過をトリガとした抽選にて当選となった場合には、電動役物７１が所定時間だけ閉状態から開状態に切り替えられることとなる。
【００４１】
なお、上作動口６２への入球が発生した場合には３個の遊技球の払出が実行され、下作動口６３への入球が発生した場合には４個の遊技球の払出が実行されるが、遊技球の払出個数は上記のものに限定されることはない。但し、上作動口６２に対する下作動口６３の有利性を高める上では、上作動口６２に係る払出個数よりも下作動口６３に係る払出個数を多く設定することが好ましい。
【００４２】
可変入賞装置（特別入球装置又は特別入球手段）６４には、遊技盤６０ａの背面側へと通じる大入賞口が形成されているとともに、当該大入賞口を開閉する開閉部材（開閉手段）としての開閉扉が設けられている。開閉扉は、遊技球の入球が可能又は容易となる開状態（補助状態）と、同入球が不可又は困難となる閉状態（非補助状態）とに切替可能となっている。また、同開閉扉は、遊技盤６０ａの背面側に設けられた可変入賞駆動部（詳しくはソレノイド）と連結されており、通常時においては開閉扉は閉状態のまま維持され、内部抽選において開閉実行モード（開閉実行状態）への移行に当選した場合に（大当たり：通常の遊技状態よりも遊技者に有利な特別遊技状態への移行に当選した場合に）開状態に切り替えられるようになっている。
【００４３】
ここで、開閉実行モードとは、大当たり当選となった場合に移行することとなるモードである。当該開閉実行モードにおける可変入賞装置６４の開放態様としては、例えば所定時間（例えば３０ｓｅｃ）の経過又は所定個数（例えば１０個）の入賞を１ラウンドとして、複数ラウンド（例えば１６ラウンド）を上限とした開閉扉の開放が繰り返されるように設定されている。
【００４４】
ここで、可変表示ユニット６７について補足説明する。可変表示ユニット６７は、作動口６２，６３への入賞をトリガとして図柄を可変表示（変動表示）する図柄表示装置７５を有している。図柄表示装置７５は、液晶ディスプレイを備えた液晶表示装置として構成されており、後述する表示制御装置１７０によりその表示内容が制御される。図柄表示装置７５の表示画面７５ａにおいては、例えば上、中及び下に並べて図柄が表示され、これらの図柄が左右方向にスクロールされるようにして変動表示されるようになっている。そして、大当たりに当選した場合には、予め設定されている有効ライン上に所定の組み合わせの図柄が停止表示され、上記開閉実行モード（特別遊技状態又は大当たり）に移行することとなる。なお、図柄表示装置７５については必ずしも液晶表示装置である必要はなく、ドットマトリクスや７セグタイプの表示装置であってもよい。
【００４５】
遊技盤６０ａには、中央開口７２を囲むようにしてセンターフレーム７７が設けられている。センターフレーム７７は、遊技盤６０ａ（詳しくは板体）に対してその前面側から固定されており、このように固定された状態では遊技盤６０ａの前面から起立した状態となることで当該センターフレーム７７と上記窓パネル部２２との間の隙間寸法が遊技球の直径寸法よりも小さくなるように構成されている。これにより、遊技領域ＰＥを流下する遊技球が図柄表示装置７５に衝突することが回避され、且つ遊技領域ＰＥを流下する遊技球の流下経路が可変表示ユニット６７（詳しくはセンターフレーム７７）を右側から迂回するルートと、左側から迂回するルートに大別されている。
【００４６】
センターフレーム７７の下部を構成している枠部の上面には、遊技球が左右に転動可能なステージ部が形成されている。センターフレーム７７の左右の左枠部に形成された流入口から流入した遊技球は、同じくセンターフレーム７７に形成されたワープ通路を通じてステージ部上に排出される。ステージ部については、当該ステージ部に到達した遊技球が上作動口６２へと比較的流入しやすくなるように構成されており、このステージ部上での遊技球の動きに対する遊技者の注目度向上に貢献している。
【００４７】
ここで、本実施の形態においては上述したように透明な開口カバーによって中央開口７２を覆っており、ステージ部上に到達した遊技球が背面ブロック６０ｂ（可変表示ユニット６７）側へ移動しないように規制されている。
【００４８】
作動口６２，６３は、中央開口７２（可変表示ユニット６７）寄りとなる位置に配置されている。作動口６２，６３への入賞をトリガとして特別遊技状態に移行し得るため、遊技者は作動口６２，６３に入賞するか否かに注目するとともに、特別遊技状態に移行するか否かを把握するため図柄表示装置７５に注目するものと考えられる。作動口６２，６３を可変表示ユニット６７寄りに設けたことは、遊技者が注目したい箇所を可変表示ユニット６７周辺に集中させるための工夫である。
【００４９】
遊技盤６０ａにおける右側の端部（後述する遊技盤ユニット６０の回動先端部）には後述する誘導レール１００とともに遊技領域ＰＥを区画形成する遊技領域区画部材９９が配設されている。遊技領域区画部材９９には、主表示ユニット８１や誘導レール１００に沿って飛翔した遊技球が衝突するストッパ部材が配設されている。ストッパ部材は誘導レール１００の先端付近に配置された緩衝部材であり、当該ストッパ部材に衝突した遊技球はその勢いが弱められた後、遊技領域ＰＥを流下することとなる。つまり、ストッパ部材には衝突した遊技球の勢いを弱める減勢機能が付与されている。
【００５０】
ここで、主表示ユニット８１について補足説明する。主表示ユニット８１は遊技領域区画部材９９に埋設されており、その一部が窓パネル部２２と対向するように配置されている。この対向している部分には、所定の絵柄等が表示される主表示部が設けられている。主表示ユニット８１については、後述する主制御装置に電気的に接続されており、主表示部の表示内容は当該主制御装置によって制御される構成となっている。
【００５１】
主表示部は、上作動口６２への入賞に基づいた抽選結果を表示する下作動口用表示部と、下作動口６３への入賞に基づいて行われた抽選結果を表示する右作動口用表示部とを有してなる。下作動口用表示部では、上作動口６２への入賞をトリガとして絵柄の変動表示が行われ、その変動表示の停止結果として、上作動口６２への入賞に基づいて行われた内部抽選の結果が明示される。上作動口６２への入賞に基づく内部抽選の結果が開閉実行モードへの移行に対応した当選結果であった場合には、下作動口用表示部にて変動表示が停止され、停止結果として所定の絵柄が表示された後に、上記開閉実行モードへ移行される。
【００５２】
下作動口用表示部では、下作動口６３への入賞をトリガとして絵柄の変動表示が行われ、その変動表示の停止結果として、下作動口６３への入賞に基づいて行われた内部抽選の結果が明示される。下作動口６３への入賞に基づく内部抽選の結果が大当たりに対応した当選結果であった場合には、右作動口用表示部にて変動表示が停止され、停止結果として所定の絵柄が表示された後に、その結果に応じて上記開閉実行モードへ移行される。
【００５３】
ここで、いずれかの作動口６２，６３への入賞に基づいて、対応する作動口用表示部にて変動表示が開始され、所定の停止結果を表示し上記変動表示が停止されるまでが遊技回の１回に相当する。但し、遊技回の１回は、上記の内容に限定されることはなく、例えば、単一の表示領域が設けられ、いずれの作動口６２，６３への入賞が発生したとしてもその単一の表示領域にて変動表示が行われる構成においては、当該単一の表示領域にて変動表示が開始され、所定の停止結果を表示した状態で上記変動表示が停止されるまでを遊技回の１回とすることも可能である。
【００５４】
また、主表示ユニット８１の主表示部には上記両表示部以外に、スルーゲート６５への入賞に基づいた抽選結果を表示するスルーゲート用表示部が併設されている。スルーゲート用表示部では、スルーゲート６５への入賞をトリガとして絵柄の変動表示が行われ、その変動表示の停止結果として、スルーゲート６５への入賞に基づいて行われた内部抽選の結果が明示される。スルーゲート６５への入賞に基づく内部抽選の結果が電役開放状態への移行に対応した当選結果であった場合には、スルーゲート用表示部にて所定の停止結果が表示されて変動表示が停止された後に、電役開放状態へ移行する。電役開放状態では、下作動口６３に設けられた上記電動役物７１が所定の態様で開放される。
【００５５】
更に、本実施の形態においては遊技球がスルーゲート６５を通過した回数は最大４回まで保留される構成が採用されているが、主表示ユニット８１の主表示部にはその保留個数を表示する保留数用表示部が設けられている。
【００５６】
以上詳述した主表示部については、前扉枠１４の窓パネル部２２を通じてパチンコ機１０前方から視認可能となっているとともに、これら各種表示部の前方を遊技球が移動することが回避されているため、その視認性が担保されている。
【００５７】
再び図２を用いて内枠１３の構成について説明すれば、内枠ベース５０において遊技盤６０ａの搭載領域の下方には、上記遊技球発射ハンドル４１の操作に基づいて遊技領域ＰＥへ向けて遊技球を発射する遊技球発射機構１１０が設けられている。遊技球発射機構１１０は、所定の発射待機位置に配置された遊技球を打ち出すソレノイド１１１と、同ソレノイド１１１によって打ち出された遊技球の発射方向を規定する発射レール１１２と、上記発射待機位置に遊技球を供給する球送装置１１３と、それら各種構成１１１〜１１３が装着されているベースプレート１１４とを主要な構成として備えており、同ベースプレート１１４が内枠ベース５０に固定されることで内枠ベース５０に対して一体化されている。
【００５８】
発射レール１１２は、遊技盤６０ａ側に向けて上り傾斜となるように、斜めに傾いた状態でベースプレート１１４に固定されている。発射レール１１２の下流側の端部（すなわち下端部）寄りとなる位置には、球送装置１１３から供給された遊技球を上述した発射待機位置に留める球ストッパが配されている。球ストッパよりも更に下流側となる位置に、上記ソレノイド１１１が配置されている。
【００５９】
ソレノイド１１１は、後述する電源・発射制御装置に対して電気的に接続されている。その電源・発射制御装置からの電気的な信号の出力に基づいてソレノイド１１１の出力軸が伸縮方向に往復動することにより、発射待機位置に置かれた遊技球が遊技盤６０ａ側、詳しくは遊技盤６０ａに装着された誘導レール１００に向けて打ち出される。
【００６０】
誘導レール１００は、遊技領域ＰＥを同遊技領域ＰＥの外形が略円形状となるように区画形成している。また、誘導レール１００は、遊技球の直径よりも若干大きな隙間を隔てて対峙するように配置された内レール１０１及び外レール１０２からなり、それら両レール１０１，１０２によって一条の誘導通路１０３が区画形成されている。誘導通路１０３は、発射レール１１２の先端側（斜め下方）に開放された入口部分と、遊技領域ＰＥの上部に位置する出口部分とを有している。ソレノイド１１１の動作に基づいて発射された遊技球は、発射レール１１２→誘導レール１００（入口部分→出口部分）の順に移動することにより遊技領域ＰＥに導かれる。遊技球発射ハンドル４１の操作量を調整することにより、遊技領域ＰＥにおいて可変表示ユニット６７の左側となる領域や同遊技領域ＰＥにおいて可変表示ユニット６７の右側となる領域への遊技球の打ち分けが可能となっている。
【００６１】
なお、遊技盤６０ａにおいて出口部分の先側、詳しくは内レール１０１の先端付近には、遊技領域ＰＥに到達した遊技球の同誘導通路１０３内への逆戻りを防止する逆戻り防止部材１０６が取り付けられており、先んじて遊技領域ＰＥに至った遊技球によって後続する遊技球の打ち出しが妨げられることを抑制している。
【００６２】
誘導レール１００（図４参照）及び発射レール１１２は、同誘導レール１００の入口部分と発射レール１１２の先端部分とが遊技盤６０ａの下端縁を挟んで斜めに対峙するように配置されている。つまり、それら両レール１００，１１２は、同誘導レール１００の入口部分と発射レール１１２の先端部分とが遊技盤６０ａの下端縁近傍にて左右にずれるようにして配置されている。これにより両レール１００，１１２を遊技盤６０ａの下端縁に近づけつつ、誘導レール１００の入口部分と発射レール１１２との間には所定間隔の隙間を形成している。
【００６３】
このようにして形成された隙間よりも下側にはファール球通路１１８が配設されている。ファール球通路１１８は前扉枠１４の前扉側通路ユニット４５に一体成形されている。仮に遊技球発射機構１１０から発射された遊技球が遊技領域ＰＥまで至らずファール球として誘導通路１０３内を逆戻りする場合には、それらファール球が上記隙間を介してファール球通路１１８内に入ることとなる。ファール球通路１１８は前扉側下皿通路部２７３に通じており、ファール球通路１１８に入った遊技球は第２球入口３４ｂから下皿３４に排出される。これにより、ファール球と次に発射される遊技球との干渉が抑制される。
【００６４】
内枠ベース５０において発射レール１１２の左方（詳しくは前扉枠１４を支持している側）には内枠ベース５０を前後方向に貫通する貫通孔が形成されており、この貫通孔に内枠側通路ユニット１２１が配設されている。内枠側通路ユニット１２１は、内枠ベース５０に対してネジ止めされている。
【００６５】
次に、図３に基づき内枠１３（内枠ベース５０及び遊技盤ユニット６０）の背面構成について説明する。
【００６６】
内枠ベース５０の背面における回動基端側には、軸受け金具１３２が上下に並設されている。軸受け金具１３２には、上下に離間させて軸受け部が形成されており、これら軸受け部により内枠１３に対して裏パックユニット１５が回動可能に取り付けられている。また、内枠ベース５０の背面には、裏パックユニット１５を閉じた状態で内枠ベース５０に固定するための固定レバーが複数設けられている。
【００６７】
既に説明したように、内枠ベース５０における遊技盤収容部５３の底部分には、内枠ベース５０の厚さ方向に貫通し同内枠ベース５０の背面側に開放された窓孔５４が形成されており、その窓孔５４が遊技盤収容部５３に収容された遊技盤ユニット６０によって内枠１３の正面側から覆われている。遊技盤ユニット６０（背面ブロック６０ｂ）の背面には制御装置等の各種構成が搭載されており、それら各種構成は窓孔５４を通じて内枠１３の背側に露出した状態となっている。ここで、遊技盤ユニット６０の背面の構成について説明する。
【００６８】
また、遊技盤６０ａの背面に取り付けられた背面ブロック６０ｂは、遊技盤６０ａ側に開放された略箱状のブロックベース１３６を有してなり、このブロックベース１３６が遊技盤６０ａの背面に固定されることで、遊技盤６０ａと背面ブロック６０ｂとが一体化されている。
【００６９】
より具体的には、ブロックベース１３６の一部が内枠ベース５０の背面側に突出しており、その突出した部分に対して上述した図柄表示装置７５と、その図柄表示装置７５を駆動するための表示制御装置１７０とが取り付けられている。これら図柄表示装置７５及び表示制御装置１７０は前後方向（内枠ベース５０の厚さ方向）に図柄表示装置が前側且つ表示制御装置１７０が後側となるように重ねて配置されている。さらに、ブロックベース１３６の背面部には、表示制御装置１７０の後方に位置するようにして報知・演出制御装置１４３が搭載されている。
【００７０】
報知・演出制御装置１４３は、後述する主制御装置からの指示に従い音声の出力やランプ表示、及び表示制御装置１７０の制御を司る報知・演出制御基板を具備しており、報知・演出制御基板が透明樹脂材料等よりなる基板ボックス１４５に収容されて構成されている。
【００７１】
報知・演出制御装置１４３の下方には、ブロックベース１３６を後方から覆うようにして主制御装置ユニット１６０が設けられている。主制御装置ユニット１６０は、遊技盤ユニット６０（詳しくは背面ブロック６０ｂ）の背面に固定された合成樹脂製の取付台１６１と、その取付台１６１に搭載された主制御装置１６２とを有している。主制御装置１６２は、遊技の主たる制御を司る機能（主制御回路）と、電源を監視する機能（停電監視回路）とを有する主制御基板を具備しており、当該主制御基板が透明樹脂材料等よりなる基板ボックス１６３に収容されて構成されている。
【００７２】
基板ボックス１６３は、略直方体形状のボックスベース（表ケース体）とこのボックスベースの開口部を覆うボックスカバー（裏ケース体）とを備えている。これらボックスベースとボックスカバーとは封印手段としての封印部によって開封不能に連結され、これにより基板ボックス１６３が封印されている。封印部は、基板ボックス１６３の長辺部に複数設けられ、そのうち少なくとも一つが用いられて封印処理が行われる。
【００７３】
封印部はボックスベースとボックスカバーとを開封不能に結合する構成であれば任意の構成が適用できるが、封印部を構成する長孔に係止爪を挿入することでボックスベースとボックスカバーとが開封不能に結合されるようになっている。封印部による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、複数の封印部のうち、少なくとも一つの長孔に係止爪を挿入することにより封印処理が行われる。そして、収容した主制御基板の不具合発生の際や主制御基板の検査の際など基板ボックス１６３を開封する場合には、係止爪が挿入された封印部と他の封印部との連結部分を切断する。これにより、基板ボックス１６３のボックスベースとボックスカバーとが分離され、内部の主制御基板を取り出すことができる。その後、再度封印処理する場合は他の封印部の長孔に係止爪を挿入する。基板ボックス１６３の開封を行った旨の履歴を当該基板ボックス１６３に残しておけば、基板ボックス１６３を見ることで不正な開封が行われた旨が容易に発見できる。
【００７４】
基板ボックス１６３の一方の短辺部には、その側方に突出するようにして複数の結合片が設けられている。これら結合片は、取付台１６１に形成された複数の被結合片と１対１で対応しており、結合片と被結合片とにより基板ボックス１６３と取付台１６１との間で封印処理が行われる。
【００７５】
ブロックベース１３６の前面部において遊技盤６０ａの背面下部と対向している部分には、前記一般入賞口６１，可変入賞装置６４、作動口６２，６３の遊技盤開口部に対応し且つ下流側で１カ所に集合する回収通路（図示略）が形成されている。これにより、一般入賞口６１等に入賞した遊技球は何れも回収通路を介して遊技盤ユニット６０の下方に集合する構成となっている。つまり、ブロックベース１３６には各種入賞口に入賞した遊技球を回収する機能が付与されている。
【００７６】
遊技盤ユニット６０の下方には後述する排出通路が配されており、回収通路によって遊技盤ユニット６０の下方に集合した遊技球は排出通路内に導出される。なお、アウト口６８についても同様に排出通路に通じており、何れの入賞口にも入賞しなかった遊技球はアウト口６８を介して排出通路内に導出される。
【００７７】
また、背面ブロック６０ｂを構成するブロックベース１３６には、上述した各入球部用の検知センサとして、上記一般入賞口６１に入賞した遊技球を検知する一般入賞口用検知センサと、可変入賞装置６４に入賞した遊技球を検知する可変入賞装置用検知センサと、作動口６２，６３に入った遊技球を検知する作動口用検知センサとが装着されており、それら各種検知センサによって入賞検知機構が構成されている。これら各種検知センサは主制御装置１６２に対して電気的に接続されており、各検知センサから検知情報（検知信号）が同主制御装置１６２に出力される構成となっている。
【００７８】
＜裏パックユニット１５＞
次に、図２、図３に基づき裏パックユニット１５について説明する。
【００７９】
内枠１３は裏パックユニット１５によって後方から覆われている。裏パックユニット１５は、裏パック２０１を備えており、当該裏パック２０１に対して、払出機構部２０２、排出通路盤２０３及び制御装置集合ユニット２０４が取り付けられている。
【００８０】
裏パック２０１は透明性を有する合成樹脂により成形されており、払出機構部２０２などが取り付けられるベース部２１１と、パチンコ機１０後方に突出し略直方体形状をなす保護カバー部２１２とを有する。保護カバー部２１２は左右側面及び上面が閉鎖され且つ下面のみが開放された形状をなし、少なくとも可変表示ユニット６７を囲むのに十分な大きさを有する。
【００８１】
ベース部２１１には、その右上部に外部端子板２１３が設けられている。外部端子板２１３には各種の出力端子が設けられており、これらの出力端子を通じて遊技ホール側の管理制御装置に対して各種信号が出力される。また、ベース部２１１にはパチンコ機１０後方からみて右端部に上下一対の掛止ピンが設けられており、掛止ピンを内枠１３に設けられた軸受け金具１３２（詳しくは軸受け部）に挿通させることで、裏パックユニット１５が内枠１３に対して回動可能に支持されている。また、ベース部２１１における回動先端部には、内枠１３に設けられた被締結孔に対して締結するための締結具が設けられており、当該締結具を被締結孔に嵌め込むことで内枠１３に対して裏パックユニット１５が固定されている。
【００８２】
ベース部２１１には、保護カバー部２１２を迂回するようにして払出機構部２０２が配設されている。払出機構部２０２には、裏パック２０１の最上部に配されているとともに上方に開口したタンク２２１が設けられており、遊技ホールの島設備から供給される遊技球がそのタンク２２１に逐次補給される。タンク２２１の下方には、下流側に向けて緩やかに傾斜するタンクレールが連結され、タンクレールの下流側には上下方向に延びるケースレールが連結されている。ケースレールの最下流部には払出装置２２２が設けられている。払出装置２２２より払い出された遊技球は、当該払出装置２２２の下流側に設けられた払出通路を通じて、裏パック２０１のベース部２１１に設けられた遊技球分配部２５２（図１１参照）に供給される。
【００８３】
払出装置２２２の構成について図５を参照しつつ説明する。図５は、払出装置２２２内部に形成された通路構造を示す縦断面図である。なお、図５においては、払出装置２２２内部を硫化する遊技球を二点鎖線で示す。
【００８４】
図５に示すように、払出装置２２２のハウジング２２２ａには、その上端にタンク７６側から供給される遊技球を内部に取り込むための遊技球入口２２２ｂが形成されており、さらに内部にこの遊技球入口２２２ｂから入球した遊技球を通過させるための遊技球通路２２２ｃが設けられている。
【００８５】
遊技球通路２２２ｃはハウジング２２２ａの下端に形成された遊技球出口２２２ｄに通じており、遊技球入口２２２ｂから入球した遊技球は遊技球出口２２２ｄに向けて１個ずつ流下する。遊技球通路２２２ｃの中間部分には通路幅が左右に広がった収容部が設けられており、同収容部に回転体２２２ｅが収容されている。回転体２２２ｅはその中心が、払出モータの出力軸２２２ｆに固定されている。また、回転体２２２ｅの周縁には、１８０°間隔で２箇所に凹部２２２ｇが形成されている。遊技球通路２２２ｃを流下してきた遊技球が回転体２２２ｅの凹部２２２ｇに到達すると当該遊技球は回転体２２２ｅの回転に伴って下流側に導出される。
【００８６】
払出モータは、ステッピングモータにより構成されており、出力軸２２２ｆは所定方向に回転駆動される。払出モータは、後述する払出制御装置１８１によって駆動制御される。この場合に、タンク７６側から遊技球が連続して供給されている状況で払出モータが通常の速度で連続駆動した場合には、３０ｍｓｅｃ周期で１個の遊技球が払い出されることとなる。
【００８７】
遊技球通路２２２ｃには、収容部よりも下流側の位置に略平板状をした払出球検知センサ２２２ｈが設置されている。払出球検知センサ２２２ｈは、周知の磁気検知タイプの近接センサにて構成されており、検知部の貫通孔を遊技球が通過したことによる磁界の変化を電気信号に変換して出力する。なお、払出球検知センサ２２２ｈは磁気検知タイプの近接センサに限定されることはなく、遊技球を検知することができるのであれば任意であり、例えば、フォトセンサやリミットセンサなどを用いてもよい。払出球検知センサ２２２ｈは払出制御装置１８１に電気信号を出力する。具体的には、遊技球を検知していない状態ではＬＯＷレベル信号を出力し、遊技球を検知している状態ではＨＩレベル信号を出力する。なお、当該出力レベルの関係が逆であってもよい。この払出球検知センサ２２２ｈにより、払出装置２２２を介して払い出された遊技球の数が確認できるようになっている。
【００８８】
図３に示すように、ベース部２１１の下端部には、当該下端部を前後に挟むようにして排出通路盤２０３及び制御装置集合ユニット２０４が取り付けられている。排出通路盤２０３には、制御装置集合ユニット２０４と対向する面に後方に開放された排出通路が形成されており、当該排出通路の開放部は制御装置集合ユニット２０４によって塞がれている。排出通路は、遊技ホールの島設備等へ遊技球を排出するように形成されており、上述した回収通路等から排出通路に導出された遊技球は当該排出通路を通ることでパチンコ機１０外部に排出される。
【００８９】
制御装置集合ユニット２０４は、横長形状をなす取付台を有し、同取付台に払出制御装置１８１と電源・発射制御装置１９１とが搭載されている。これら払出制御装置１８１と電源・発射制御装置１９１とは、払出制御装置１８１がパチンコ機１０後方となるように前後に重ねて配置されている。
【００９０】
払出制御装置１８１においては基板ボックス内に払出装置２２２を制御する払出制御基板が収容されており、当該払出制御基板に設けられた状態復帰スイッチが基板ボックス外に突出している。例えば、払出装置２２２における球詰まり等、払出エラーの発生時において状態復帰スイッチが押されると、球詰まりの解消が図られるようになっている。
【００９１】
電源・発射制御装置１９１は、基板ボックス内に電源・発射制御基板が収容されており、当該基板により、各種制御装置等で要する所定の電源が生成されて出力され、さらに遊技者による遊技球発射ハンドル４１の操作に伴う遊技球の打ち出しの制御が行われる。また、電源・発射制御装置１９１にはＲＡＭ消去スイッチが設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチを押しながら電源を投入すると、ＲＡＭデータが初期化されるようになっている。
【００９２】
＜前扉枠１４＞
次に、前扉枠１４の構成について図６、図７を参照しつつ説明する。図６は前扉枠１４の分解斜視図、図７は前扉枠１４の正面図である。
【００９３】
図６に示すように、前扉枠１４は、窓パネル部２２を支持しているベース部材としてのベース枠２３１と、窓パネル部２２の上方に設けられた上部前面カバー２３２と、窓パネル部２２の側方に設けられた側部前面カバー２３３，２３４と、窓パネル部２２の下方に設けられた下部前面カバー２３５と、窓パネル部２２の下方に設けられた上皿ユニット２３６と、この上皿ユニット２３６の下方に設けられた下皿ユニット２３７とを有している。
【００９４】
カバー２３２〜２３５及びユニット２３６，２３７は、ベース枠２３１を前方から覆う状態でそのベース枠２３１に対して着脱可能に取り付けられている。これらカバー２３２〜２３５及びユニット２３６，２３７は、ネジ等の可逆的螺着部材がベース枠２３１の背面側からカバー２３２〜２３５やユニット２３６，２３７に螺着されていることで、ベース枠２３１に対して固定されている。
【００９５】
ベース枠２３１は、ＡＢＳ樹脂などの合成樹脂製により全体として板状に形成されており、外形が内枠１３とほぼ同一形状をなしている。ベース枠２３１には、窓部２１を形成する貫通孔が設けられており、その貫通孔に対して窓パネル部２２が取り付けられている。なお、ベース枠２３１の前面における一方の側部の上下両端には軸金具が取り付けられており、これら軸金具が内枠１３の支持金具５１，５２に対して回動可能に支持されている。
【００９６】
ベース枠２３１には、多数のＬＥＤを有するＬＥＤ基板が複数取り付けられており、これらＬＥＤ基板を前方から覆う位置に上部前面カバー２３２及び側部前面カバー２３３，２３４が配置されていることで環状ランプ部２６が形成されている。特に、上部前面カバー２３２がエラー表示ランプ部２７を形成しており、側部前面カバー２３３，２３４が賞球ランプ部２８を形成している。
【００９７】
上部前面カバー２３２及び側部前面カバー２３３，２３４は、ＡＢＳ樹脂、ポリカーボネート及びアクリル樹脂などにより形成された合成樹脂製部材が複数組み合わされてなり、これらの各合成樹脂製部材により前後に起伏したデザインが施されている。なお、上部前面カバー２３２及び各側部前面カバー２３３，２３４のうちのいずれか又は全部を、単一の合成樹脂材料により形成してもよく、各合成樹脂製部材を単一の合成樹脂材料により形成してもよい。
【００９８】
上側スピーカ部２９は、ベース枠２３１の上部に取り付けられた上側スピーカ２９ａを有している。上側スピーカ２９ａは、ベース枠２３１に形成された開口部に挿通された状態で設けられており、その前面部分がベース枠２３１の前面に引っ掛かった状態で配置されている。上側スピーカ部２９においては、上側スピーカ２９ａが上部前面カバー２３２により前方から覆われており、前方に露出しないようになっている。その一方で、上部前面カバー２３２には、上側スピーカ２９ａに対向する部分に多数のスピーカ孔が形成されており、上側スピーカ２９ａから出力された音がスピーカ孔を通じて前方に放出されるようになっている。
【００９９】
下部前面カバー２３５には、この下部前面カバー２３５を前後に貫通する挿通孔が設けられており、内枠１３のシリンダ錠５８は、この挿通孔に挿通されていることでパチンコ機１０の前面側に露出している。なお、下部前面カバー２３５は、上皿ユニット２３６や下皿ユニット２３７に一体化して設けられていてもよい。
【０１００】
上皿ユニット２３６は上側膨出部３１（上皿３３）を有しており、下皿ユニット２３７は下側膨出部３２（下皿３４）を有している。ベース枠２３１において、上皿ユニット２３６及び下皿ユニット２３７の取り付け位置には、金属材料により形成された補強板が設けられており、ベース枠２３１による上皿ユニット２３６及び下皿ユニット２３７の支持強度が高められている。
【０１０１】
上皿ユニット２３６は、ベース枠２３１の前面に重ねられた上皿ベース部２３６ａを有しており、上側膨出部３１は、上皿ベース部２３６ａから前方に膨出している。上皿ベース部２３６ａには、上皿３３の貯留領域の奥側に２つの開口部が設けられており、これら開口部のうち一方が球入口３３ａを形成し、他方が球出口３３ｂを形成している。球入口３３ａと球出口３３ｂとは横並びに配置されており、前扉枠１４の幅方向において、上皿３３の一端寄りの位置に球入口３３ａが配置され、他端寄りの位置に球出口３３ｂが配置されている。なお、球入口３３ａや球出口３３ｂに対応させてベース枠２３１にも２つの開口部が形成されている。
【０１０２】
上皿ユニット２３６には、球貸し操作装置２３９が設けられている。球貸し操作装置２３９は、球貸しボタンや返却ボタン、度数表示部を備えている。パチンコ機１０側方に配置されたカードユニット（球貸しユニット）に紙幣やカード等を投入した状態で、球貸し操作装置２３９によって球貸し操作、カード返却操作及びカード度数の確認を行うことができる。すなわち、球貸しボタンは、貸出球を得るために操作されるものであり、投入された紙幣やカード等の残額が存在する限りにおいて貸出球が払い出される。返却ボタンは、カードユニットに挿入されたカード等の返却を求める際に操作される。度数表示部はカード等の残額情報を表示するものである。
【０１０３】
なお、カードユニットを介さずに球貸し装置等から上皿３３に遊技球が直接貸し出されるパチンコ機（いわゆる現金機）では球貸し操作装置２３９が不要となるが、かかる場合には、球貸し操作装置２３９の設置部分に飾りシール等が付されるようになっている。
【０１０４】
また、球貸し操作装置２３９には、球抜きボタン２４１が設けられている。上皿ユニット２３６及び下皿ユニット２３７には、図７に示すように、上皿３３の球出口３３ｂと下皿３４の第２球入口３４ｂとを連通する球抜き通路２４２が設けられている。球抜き通路２４２の入口部分は上皿３３に内蔵された球止め装置により基本的に閉鎖されており、球貸し操作装置２３９の上面から上方に突出させて設けられた球抜きボタン２４１が押圧されることにより球止め装置が開放状態となり、上皿３３に貯留されている遊技球が球抜き通路２４２を通じて下皿３４に排出される。なお、球抜きボタン２４１を球貸し操作装置２３９とは別に設置する構成としてもよい。
【０１０５】
＜下皿３４＞
下皿３４について詳細に説明する。以下の説明では、図６〜図９を参照する。図８は図７のＡ―Ａ線断面図、図９は図７のＢ−Ｂ線断面図である。
【０１０６】
下皿ユニット２３７は、ベース枠２３１の前面に重ねられた下皿ベース部２３７ａを有しており、下側膨出部３２は、下皿ベース部２３７ａから前方に膨出している。下皿３４は、下側膨出部３２を上方から凹ませるようにして形成されており、下皿ベース部２３７ａの一部である奥壁部２４３と、当該奥壁部２４３の下端から前方に延びる底部２４４と、上記奥壁部２４３とともに底部２４４の周縁を囲んで下皿３４を上方に開放された形状とする囲み壁部２４５と、を備えている。
【０１０７】
奥壁部２４３は上皿３３の底部に対して連続的となっており、多数の遊技球分の高さ寸法を有している。第１球入口３４ａ及び第２球入口３４ｂは、奥壁部２４３に設けられた四角形状（又は略四角形状）の開口部であり、パチンコ機１０前方に向けて開放されている。第１球入口３４ａは、前扉側通路ユニット４５の前扉側下皿通路部２７３の下流側端部に接続されており、前扉側下皿通路部２７３を流下した遊技球は第１球入口３４ａから下皿３４に排出される。この場合、第１球入口３４ａは、裏パック側下皿通路部２５９、内枠側下皿通路部２６３及び前扉側下皿通路部２７３に加えて下皿通路に含まれていることになる。
【０１０８】
上皿３３が満杯状態である状況で払出装置２２２から払い出された遊技球は第１球入口３４ａを介して下皿３４に排出される。また、上皿ユニット２３６と下皿ユニット２３７には、既に説明したように球抜き通路２４２が設けられており、当該球抜き通路２４２の球出口が第２球入口３４ｂとなっている。ちなみに、球抜き通路２４２は下皿ユニット２３７において奥壁部２４３内に内蔵されている（図９等参照）。球抜きボタン２４１が押圧されることにより球止め装置が開放状態となり、上皿３３に貯留されている遊技球が球抜き通路２４２を通じて下皿３４に排出される。
【０１０９】
第１球入口３４ａは奥壁部２４３において左右方向の中央に形成されており、複数の遊技球が左右方向及び上下方向に並んだ状態で通過可能な開口寸法を有している。具体的には、左右方向が遊技球３個分であり、上下方向が遊技球２個分となっている。一方、第２球入口３４ｂは奥壁部２４３において第１球入口３４ａの横方（具体的には、右方）に形成されている。また、第１球入口３４ａ及び第２球入口３４ｂは共に、底部２４４に対して上方に離間された位置にあり、第１球入口３４ａ及び第２球入口３４ｂの各下縁は底部２４４に対して少なくとも遊技球１個分上方に位置している。第１球入口３４ａについてより詳細には、第１球入口３４ａの下縁は底部２４４に対して遊技球略２個分、上方に位置している。但し、これに限定されることはなく、遊技球１．５個分、遊技球２．５個分、又は遊技球３個分以上、上方に位置している構成としてもよい。
【０１１０】
第１球入口３４ａは上記のとおり払出装置２２２から払い出された遊技球を下皿３４に排出する機能を有しているため、例えば大当たり状態時などには多数の遊技球が短い期間で第１球入口３４ａを通過することがあり、これら多数の遊技球は下皿３４にて貯留されることとなる。この場合に、第１球入口３４ａを底部２４４に対して上方に離間させた位置に形成することで、多数の遊技球が底部２４４上に貯留された状況であっても、それら遊技球により第１球入口３４ａが塞がれてしまうことが阻止され、当該状況であっても第１球入口３４ａを通じた下皿３４への遊技球の排出が良好に行われる。
【０１１１】
図８に示すように、第１球入口３４ａの底面は、その第１球入口３４ａの幅方向に延びた段差部分を有しており、その段差部分は、下皿３４の底部２４４から後方に後退した位置において、上下方向に延びた状態で前方を向いている後退面２４６ａを有している。第１球入口３４ａの底面は、後退面２４６ａの上端から後方（前扉側下皿通路部２７３の下流側端部の底面）に向けて延びた上段面２４６ｂと、後退面２４６ａの下端から前方（下皿３４の底部２４４）に向けて延びた下段面２４６ｃとを有している。なお、第１球入口３４ａの断面積は、段差部分（後退面２４６ａ）の存在によって、前扉側下皿通路部２７３から下皿３４に向けて段階的に大きくされている。
【０１１２】
後退面２４６ａは、その左右方向寸法が第１球入口３４ａの左右方向寸法と同一となっており、具体的には遊技球２個分となっている。なお、これに限定されることはなく、２個以上の遊技球が並んで入ることが可能な左右方向寸法としてもよい。また、後退面２４６ａは奥壁部２４３における他の面に対して少なくとも遊技球１個分後退している。なお、これに限定されることはなく、遊技球２個分以上後退した構成としてもよい。また、後退面２４６ａは、第１球入口３４ａから排出される遊技球が当該後退面２４６ａに沿って配置された遊技球を乗り越えてそれら配置された遊技球よりも前方の領域にて貯留されるように、底部２４４に対する高さ及び底部２４４に対する傾斜角度が設定されている。具体的には、底部２４４に対する高さが遊技球略２個分（遊技球略複数個部）となっており、さらには底部２４４に対して略垂直となっている。なお、これに限定されることはなく、第１球入口３４ａから排出される遊技球が当該後退面２４６ａに沿って配置された遊技球を乗り越えてそれら配置された遊技球よりも前方の領域にて貯留されるのであれば、底部２４４に対する高さ及び底部２４４に対する傾斜角度は任意である。上記のように後退面２４６ａが形成されていることにより、それだけ下皿３４における遊技球の貯留容量が確保されている。
【０１１３】
一方、下皿ユニット２３７において奥壁部２４３の奥側には上記のとおり上皿３３からの球抜き通路２４２の一部が内蔵されているため、第１球入口３４ａの底面に後退面２４６ａを形成していることで、球抜き通路２４２の一部を内蔵させるための空間を奥壁部２４３に確保しながら下皿３４における遊技球の貯留容量を確保するという効果を得ることができる。
【０１１４】
なお、後述するように本パチンコ機１０は、遊技球発射機構１１０から発射されたが遊技領域まで至らず、内，外レール１０１，１０２によって構成される誘導レール１００を逆流してくる戻り球を回収するとともにその回収した遊技球を下皿３４に排出するファール球通路１１８を備えており、当該ファール球通路１１８は奥壁部２４３の奥側にて球抜き通路２４２に合流されるとともにファール球通路１１８を通過した遊技球は第２球入口３４ｂから下皿３４に排出される。つまり、戻り球が通過するファール球通路１１８を含む通路部は一部が奥壁部２４３に内蔵されている。当該構成において、上記のとおり、第１球入口３４ａの底面に後退面２４６ａを形成することで、球抜き通路２４２とファール球通路１１８との合流を空間的な余裕を持って行うことを可能としつつ下皿３４における遊技球の貯留容量を確保するという効果を得ることができる。また、下皿ユニット２３７において奥壁部２４３の奥側には下皿ユニット２３７に設けられた電気部品の配線の設置空間が形成されている。これに対して、第１球入口３４ａの底面に後退面２４６ａを形成することで、上記設置空間を確保しながら下皿３４における遊技球の貯留容量を確保するという効果を得ることができる。
【０１１５】
ちなみに、図８及び図９に示すように、球抜き孔３５は、下皿３４の底部２４４において、第１球入口３４ａの前方位置に配置されており、囲み壁部２４５の前面に設けられた球抜きレバー３６により開放操作される閉鎖板３７により自然状態では閉塞されている。そして、底部２４４の上面は当該球抜き孔３５に向けて下り傾斜となるように形成されている。つまり、下皿３４に貯留されている遊技球は球抜き孔３５に向けて自ずと移動することとなる。当該構成においては、下皿３４に比較的少数の遊技球のみが貯留されている場合、それら遊技球は閉鎖板３７上に位置する。この場合に、上記のとおり奥壁部２４３において閉鎖板３７の後方箇所に後退面２４６ａが形成されていることにより、閉鎖板３７上に向けて手を差し入れる場合において閉鎖板３７の後方に空間的なゆとりが生じ、閉鎖板３７上に位置している遊技球の手による取り出しを良好に行うことが可能となる。つまり、後退面２４６ａは下皿３４の貯留容量を確保するという効果を奏するだけでなく、上記のように下皿３４からの手による遊技球の取り出しを良好なものとするという効果も奏する。
【０１１６】
上記のように後退面２４６ａが形成された構成において、図８及び図９に示すように、第１球入口３４ａは、前方に向けて斜め上方に延びている上方テーパ面２４７ａを天井面として有しているとともに、第１球入口３４ａの外側に向けて斜め側方に延びている側方テーパ面２４７ｂを一対の側面として有している。この場合、第１球入口３４ａの断面積は、底面が階段状に形成されていることを含めて、上方テーパ面２４７ａ及び側方テーパ面２４７ｂにより、前扉側下皿通路部２７３から下皿３４に近付くにつれて増加しており、その増加率は、前扉側下皿通路部２７３の増加率よりも大きくなっている。具体的には、第１球入口３４ａの断面積は、下皿３４に向けて指数関数的に増加している。
【０１１７】
第１球入口３４ａに後退面２４６ａが形成された構成においては、後退面２４６ａ側に凹んだ箇所に遊技球が待機することがある。これに対して、上記のように各テーパ面２４７ａ，２４７ｂが形成されていることにより、後退面２４６ａ側に凹んだ箇所に手を差し入れ易くなり、当該箇所に待機している遊技球を取り出し易くなる。また、単なる後退面とするのではなくテーパ面とすることにより、単なる後退面とする構成に比して、奥壁部２４３の内蔵空間を広く確保することが可能となる。
【０１１８】
囲み壁部２４５は、底部２４４の前縁及び左右の縁を規制するようにして形成されている。囲み壁部２４５の高さ寸法はその全体が奥壁部２４３よりも小さくなっており、さらには前側の方が後側よりも高さ寸法は小さくなっている。この囲み壁部２４５における当該囲み壁部２４５の前側端部を含む前側領域２４８は、図７に示すように、パチンコ機１０の正面視で第１球入口３４ａと前後に並んでおり、左右方向の所定範囲に亘って高さ寸法が略同一となっている。
【０１１９】
ここで、前側領域２４８は、図８に示すように、上端が第１球入口３４ａの下端よりも下方に位置するように、底部２４４に対する高さ寸法が設定されている。当該構成であることにより、上皿３３の下面から下皿３４の前側領域２４８までの距離を長く確保することが可能となる。また、当該両者の距離を長く確保する構成に関して、図７に示すように、上皿３３の下面は上方に凹ませて形成されており、これによっても上皿３３の下面から下皿３４の前側領域２４８までの距離が長く確保されている。下皿３４にて貯留されている遊技球は上皿３３と下皿３４との間から取り出され上皿３３へ補充されることがあり、この場合に、上皿３３の下面から下皿３４の前側領域２４８までの距離を長く確保することで、上記補充作業の作業性の向上が図られている。特に、本パチンコ機１０では遊技領域の拡張が図られており、それに伴って上皿３３と下皿３４との間の距離が狭くなっている。これに対して、上皿３３の下面から下皿３４の前側領域２４８までの距離を上記のように長く確保することで、上記補充作業の作業性が低下することを抑制しつつ遊技領域の拡張を図ることが可能となる。ちなみに、囲み壁部２４５において前側領域２４８以外の領域は、その上端が第１球入口３４ａの下端よりも上方に位置している。
【０１２０】
上記のように前側領域２４８の高さ寸法を小さくした構成においてはそれだけ下皿３４の貯留容量が小さくなる。これに対して、上記のとおり奥壁部２４３に後退面２４６ａが形成されていることにより、下皿３４の貯留容量が極端に小さくなってしまうことが防止されている。
【０１２１】
また、前側領域２４８は第１球入口３４ａの前方に位置しているため、当該前側領域２４８の高さ寸法を小さくすると、第１球入口３４ａから排出された遊技球がその排出された勢いで前側領域２４８を越えて下皿３４外に零れてしまうことが懸念される。これに対して、上記のとおり奥壁部２４３に後退面２４６ａが形成されていることにより、第１球入口３４ａに対する前側領域２４８の距離が長く確保されている。そして、第１球入口３４ａに対する前側領域２４８の距離が長く確保されていることで、第１球入口３４ａから排出された遊技球には前側領域２４８に到達するまでに勢いが低減される機会が多く付与されることとなり、下皿３４外に零れてしまうことが抑制される。さらにまた、払出装置２２２から第１球入口３４ａに続く通路部には、第１球入口３４ａから排出される遊技球の勢いを低減するための構成が設けられている。これについては後に説明する。
【０１２２】
＜下側スピーカ３０ａ＞
図６、図７の説明に戻り、下側スピーカ３０ａは、ベース枠２３１の下部に取り付けられた下側スピーカ３０ａを有している。ベース枠２３１には、球入口３３ａの下方位置に下方開口部２３１ａが形成されており（図１２参照）、下側スピーカ３０ａにおいては、その前面部分がベース枠２３１の前面に引っ掛かった状態で、その背面部分が下方開口部２３１ａに挿通されている。下側スピーカ部３０においては、下側スピーカ３０ａが下皿ユニット２３７により前方から覆われており、前方に露出しないようになっている。その一方で、下皿ユニット２３７には、多数のスピーカ孔を有するスピーカカバー２５０が、下側スピーカ３０ａの前面部分に対向する位置に設けられており、下側スピーカ３０ａの前面側から出力された音が多数のスピーカ孔を通じて前方に放出されるようになっている。この場合、下側スピーカ部３０は、下側スピーカ３０ａ及びスピーカカバー２５０を有していることになる。なお、スピーカカバー２５０のスピーカ孔が音放出部に相当する。
【０１２３】
スピーカカバー２５０は、下皿ユニット２３７の下側膨出部３２において下皿３４の左方に配置されている。スピーカカバー２５０は、そのカバー面が前方の斜め上方に向けて配置されており、スピーカ孔から放出された音が遊技者に聞こえやすくなっている。下皿ユニット２３７においては、上述したように下側膨出部３２の右方に遊技球発射ハンドル４１が設けられており、スピーカカバー２５０は、下皿３４を挟んで遊技球発射ハンドル４１とは反対側に配置されている。
【０１２４】
なお、図９に示すように、下皿ユニット２３７は、下皿ベース部２３７ａと下側膨出部３２の外周部との間に形成された内部空間を有しており、下皿ベース部２３７ａ及び下側膨出部３２の外周部のそれぞれにおいて、下側スピーカ３０ａの前面部分に対向する位置には、開口部２４９ａ，２４９ｂが形成されている。スピーカカバー２５０は、下側膨出部３２に形成された膨出開口部２４９ｂを塞いだ状態でその下側膨出部３２に取り付けられており、下側スピーカ３０ａの前面側から出力された音は、下皿ベース部２３７ａのベース開口部２４９ａを通じて下皿ユニット２３７の内部空間に伝わり、さらに、スピーカカバー２５０の各スピーカ孔を通じて前方に放出される。
【０１２５】
ちなみに、スピーカカバー２５０は、下側膨出部３２に一体的に設けられていてもよい。例えば、下側膨出部３２において、下側スピーカ３０ａの前方位置に多数のスピーカ孔が形成され、これらスピーカ孔が形成された部分がスピーカカバー２５０とされた構成とする。
【０１２６】
下側スピーカ３０ａは、ダイナミック型のスピーカ装置とされており、音を発生する音発生手段に相当する。下側スピーカ３０ａは、コーン形状のコーン紙等の振動板３０ｂと、この振動板３０ｂに接続されたボイスコイル３０ｃとを有しており、下側スピーカ３０ａをコーン型のスピーカユニットと称することもできる。下側スピーカ３０ａは、振動板３０ｂ及びボイスコイル３０ｃに加えて、ボイスコイル３０ｃを動作させる永久磁石を有している。永久磁石は、ドーナツ型に形成されていることで中空部を有しており、ボイスコイル３０ｃは、その中空部に挿入された状態で設けられている。下側スピーカ３０ａにおいては、ボイスコイル３０ｃが通電されることで、そのボイスコイル３０ｃと共に振動板３０ｂが振動し、振動板３０ｂの振動により音が発生する。この場合、振動板３０ｂから後方に出力された音は、前方に出力された音に対して逆位相を有することになる。なお、下側スピーカ３０ａにおいては、ボイスコイル及び永久磁石により駆動部が構成されている。
【０１２７】
下側スピーカ部３０においては、下側スピーカ３０ａに対してエンクロージャ３３１（図２１参照）が設けられており、下側スピーカ３０ａの背面側から出力された音の低音域が増強された状態で前方に放出されるようになっている。この場合、下側スピーカ部３０は、下側スピーカ部３０及びエンクロージャ３３１を有するバックロードホーン型のスピーカシステムになっており、エンクロージャ３３１においては、中高音域が減衰しやすく且つ低音域が増幅しやすくなっている。また、下側スピーカ部３０においては、前扉側下皿通路部２７３がエンクロージャ３３１に含まれており、下側スピーカ３０ａの背面側から出力された音が、前扉側下皿通路部２７３を通じて下皿３４の第１球入口３４ａから放出されるようになっている。
【０１２８】
下側スピーカ部３０についての詳細な説明は後述する。
【０１２９】
＜上皿３３及び下皿３４への遊技球の通路構成＞
次に、上皿３３及び下皿３４への遊技球の通路構成について説明する。図１０は遊技球の通路構成を説明するための説明図である。なお、図１０においては、便宜上、内枠１３側及び裏パックユニット１５側の通路構成について断面で示す。
【０１３０】
払出装置２２２は、上述したとおりパチンコ機１０の背面部を構成する払出機構部２０２に設けられている。払出装置２２２の下方には上下方向に延びる払出通路２５１が形成されており、払出装置２２２から払い出された遊技球は払出通路２５１を流下し、払出機構部２０２の下端に形成された遊技球分配部２５２に導入される。
【０１３１】
遊技球分配部２５２は、払出装置２２２より払い出された遊技球を前扉枠１４に設けられた上皿３３側又は下皿３４側に振り分ける機能を有する。遊技球分配部２５２の構成を、図１１に示す遊技球分配部２５２周辺の縦断面図を参照しながら説明する。遊技球分配部２５２は上方及び前方に開放しており、その内部が２つの仕切壁２５３ａ，２５３ｂによって仕切られることで３つの開口部２５５ａ，２５５ｂ，２５５ｃが左右方向に並設されている。
【０１３２】
これら開口部２５５ａ，２５５ｂ，２５５ｃのうち、パチンコ機１０内側の開口部２５５ａは上皿３３へ続く上皿通路に通じており、中央の開口部２５５ｂは下皿３４へ続く下皿通路に通じている。なお、パチンコ機１０外側の開口部２５５ｃは排出通路に通じており、タンク２２１に貯留された遊技球の排出作業においてはそれら貯留された遊技球が外側の開口部２５５ｃを介して排出通路に導かれパチンコ機１０の外部に排出される。
【０１３３】
図１０の説明に戻り、上皿通路は、裏パックユニット１５に設けられた裏パック側上皿通路部２５８と、内枠１３に設けられた内枠側上皿通路部２６２と、前扉枠１４に設けられた前扉側上皿通路部２７２とから構成されている。同様に、下皿通路は、裏パックユニット１５に設けられた裏パック側下皿通路部２５９と、内枠１３に設けられた内枠側下皿通路部２６３と、前扉枠１４に設けられた前扉側下皿通路部２７３とから構成されている。
【０１３４】
これら各通路部２５８，２５９，２６２，２６３，２７２，２７３について詳細に説明する。
【０１３５】
＜裏パック側通路ユニット２５７＞
裏パック側上皿通路部２５８及び裏パック側下皿通路部２５９は、裏パックユニット１５の回動基端側においてベース部２１１を前後方向に貫通するようにして設けられた裏パック側通路ユニット２５７に形成されている。裏パック側上皿通路部２５８及び裏パック側下皿通路部２５９は通路壁によって区画され左右方向に並設されている。また、裏パック側上皿通路部２５８及び裏パック側下皿通路部２５９は、それぞれ前後方向に延びており、下流側に向けて下り傾斜となっている。以上の構成において裏パック側上皿通路部２５８及び裏パック側下皿通路部２５９に導入された遊技球は、底部２５８ａ，２５９ａ上を転がった後に内枠側上皿通路部２６２及び内枠側下皿通路部２６３のそれぞれに排出される。
【０１３６】
ちなみに、裏パック側下皿通路部２５９は裏パック側上皿通路部２５８に比べ幅寸法（左右方向寸法）が大きくなっている。これは、以下の理由による。つまり、払出装置２２２から払い出された遊技球は裏パック側上皿通路部２５８へ続く遊技球分配部２５２の内側の開口部２５５ａに導かれる。これに対して、裏パック側下皿通路部２５９へは、遊技球分配部２５２において内側の開口部２５５ａに遊技球が充たされ、当該開口部２５５ａから溢れた遊技球が導かれる。したがって、裏パック側上皿通路部２５８を通過する遊技球に比べ、裏パック側下皿通路部２５９を通過する遊技球はその軌道が不規則となり、裏パック側下皿通路部２５９内での球詰まりの発生が懸念される。これに対して、裏パック側通路ユニット２５７という限られた空間において、裏パック側下皿通路部２５９の幅寸法を裏パック側上皿通路部２５８よりも大きくすることで、上記球詰まりが発生する確率が低減される。なお、下皿通路において球詰まりが発生する確率を低減するために、裏パック側下皿通路部２５９だけでなく、内枠側下皿通路部２６３及び前扉側下皿通路部２７３についても各上皿通路２６２，２７２より幅寸法が大きくなっている。つまり、開口面積が大きくなっている。
【０１３７】
＜内枠側通路ユニット１２１＞
内枠側上皿通路部２６２及び内枠側下皿通路部２６３は、内枠１３の回動基端側において内枠ベース５０を前後方向に貫通するようにして設けられた内枠側通路ユニット１２１に形成されている。なお、遊技盤６０ａにはその隅角に内枠側通路ユニット１２１を避けるようにして切欠部２６７が設けられている（図４参照）。
【０１３８】
内枠側上皿通路部２６２及び内枠側下皿通路部２６３は、仕切用通路壁２６４によって区画されて左右方向に並設されており、それぞれ球出口２６２ａ，２６３ａが下方を向くようにして形成されている。詳細には、内枠側上皿通路部２６２及び内枠側下皿通路部２６３の上流側は下流側に向けて下り傾斜となっており、その下流側では若干下方に延出させて球出口２６２ａ，２６３ａが形成されている。以上の構成において内枠側上皿通路部２６２及び内枠側下皿通路部２６３に導入された遊技球は、底部２６２ｂ，２６３ｂ上を転がり球出口２６２ａ，２６３ａを介して前扉側上皿通路部２７２及び前扉側下皿通路部２７３のそれぞれに排出される。ちなみに、内枠側上皿通路部２６２は内枠側下皿通路部２６３に比べ幅寸法（左右方向寸法）が小さくなっている。
【０１３９】
＜前扉側通路ユニット４５＞
上述したように、前扉側通路ユニット４５は、前扉側上皿通路部２７２及び前扉側下皿通路部２７３を有しており、ここでは、前扉側通路ユニット４５について図１２〜図１６を用いて説明する。図１２は前扉枠１４から前扉側通路ユニット４５を分離した状態を示す斜視図、図１３は前扉側通路ユニット４５の斜視図、図１４は前扉側通路ユニット４５の分解斜視図、図１５は前扉側通路ユニット４５の正面図、図１６は前扉側通路ユニット４５の内部構造を示す図、図１７は前扉側通路ユニット４５の平面図である。なお、図１６においては、前扉側上皿通路部２７２やファール球通路１１８の図示を省略している。
【０１４０】
前扉側通路ユニット４５は、図１４に示すように、平行に配置された一対のベース板２７４ａ，２７４ｂと、これらベース板２７４ａ，２７４ｂを連結している複数の連結板２７４ｃとを有している。これらベース板２７４ａ，２７４ｂ及び連結板２７４ｃは、ポリカーボネート樹脂などといった透明性を有する合成樹脂材料により形成されている。一対のベース板２７４ａ，２７４ｂは、パチンコ機１０の前後方向に離間して配置されており、各連結板２７４ｃは、前後方向に延びた状態で一対のベース板２７４ａ，２７４ｂに掛け渡されている。
【０１４１】
各連結板２７４ｃは、一対のベース板２７４ａ，２７４ｂのうち、前側（ベース枠２３１側）に配置された前側ベース板２７４ａに一体的に成型されており、後側に配置された後側ベース板２７４ｂが、連結板２７４ｃ及び前側ベース板２７４ａに対してネジ固定されている。
【０１４２】
前扉側通路ユニット４５においては、前扉側上皿通路部２７２及び前扉側下皿通路部２７３の上流側端部を構成する受口部２７５が形成されているとともに、受口部２７５よりも下流側において前扉側下皿通路部２７３を構成する前扉側通路形成部２７６（図１２等参照）が形成されている。これら前扉側上皿通路部２７２及び前扉側下皿通路部２７３は、一対のベース板２７４ａ，２７４ｂの間において連結板２７４ｃにより区画された空間部になっている。
【０１４３】
なお、前扉側通路ユニット４５は受口部２７５及び前扉側通路形成部２７６の他に板状部２７１を有している。この前扉側通路ユニット４５は、前扉側上皿通路部２７２の出口２７２ａが上皿３３の球入口３３ａと前後に重なり、前扉側下皿通路部２７３の出口２７３ａが下皿３４の第１球入口３４ａと前後に重なるようにして、前扉枠１４の背面に対してパチンコ機１０後方からネジ固定されている。この場合、前扉側通路ユニット４５の板状部２７１は前扉枠１４の背面に重ねられた状態で、その背面に当接している。
【０１４４】
ちなみに、前扉側通路ユニット４５には、補強金属板３０１，３０２が取り付けられている。これら補強金属板３０１，３０２のうち、第１補強金属板３０１は受口部２７５に取り付けられている。また、第２補強金属板３０２は前扉側通路形成部２７６に取り付けられている。受口部２７５は上皿３３の球入口３３ａに通じており、また前扉側通路形成部２７６は下皿３４の第１球入口３４ａに通じている。したがって、パチンコ機１０前方から球入口３３ａ又は第１球入口３４ａを介して不正用冶具を挿入し、さらに受口部２７５の壁又は前扉側通路形成部２７６の壁を破壊してその挿入した不正用冶具を遊技領域や遊技盤６０ａの裏面まで侵入させる行為が想定される。これに対して、上記のように補強金属板３０１，３０２が取り付けられていることにより、受口部２７５の壁又は前扉側通路形成部２７６の壁が破壊されたとしても上記不正用冶具のそれ以上の侵入を阻止することが可能となる。
【０１４５】
前扉側通路ユニット４５の受口部２７５及び前扉側通路形成部２７６について説明する。受口部２７５が形成された位置は前扉側通路ユニット４５において上側隅部であり、前扉枠１４との関係では当該前扉枠１４の回動基端側となっている。また、受口部２７５は、前扉側通路形成部２７６よりもパチンコ機１０の後方に突出しており、さらには前扉枠１４の回動軸よりもパチンコ機１０の後方にある。そして、前扉枠１４を閉鎖した状態において、受口部２７５は内枠１３の前側端部よりも後側に入り込んでいる。
【０１４６】
但し、受口部２７５は内枠１３の後側端部よりも前側にあり、内枠１３（内枠ベース５０）には受口部２７５と対峙する位置に、当該受口部２７５の突出側をカバーするカバー部としての収容凹部２９２ｂが形成されている（図１８参照）。よって、前扉枠１４を閉鎖した状態において受口部２７５は内枠１３を前後方向に貫通していない。
【０１４７】
受口部２７５は図１３等に示すように上方に開放されており、その左右方向の略中央には底部から上方に起立した仕切壁２７７が一体形成されている。この仕切壁２７７に仕切られることで、受口部２７５には２つの開口部２７８，２７９が左右方向に並設されている。かかる構成において、受口部２７５におけるパチンコ機１０内側の側壁はパチンコ機１０後側などに比べ背が高くなっており、当該側壁には庇部２７５ａが形成されている。この庇部２７５ａが形成されていることにより、上記２つの開口部２７８，２７９のうちパチンコ機１０内側の内側開口部２７８はパチンコ機１０外側の外側開口部２７９よりも幅寸法（左右方向寸法）が小さくなっている。
【０１４８】
パチンコ機１０内側開口部２７８は、内枠側上皿通路部２６２の球出口２６２ａと上下に対峙しており、図１５等に示すように、前扉側上皿通路部２７２の球入口となっている。また、パチンコ機１０外側開口部２７９は、内枠側下皿通路部２６３の球出口２６３ａと上下に対峙しており、前扉側通路形成部２７６に形成される前扉側下皿通路部２７３の球入口となっている。この場合に、上記のとおり、受口部２７５は内枠１３の前側端部よりも後側に入り込んでいるため、前扉側上皿通路部２７２と内枠側上皿通路部２６２との境界部分、及び前扉側下皿通路部２７３と内枠側下皿通路部２６３との境界部分は、その一部が内枠１３の前側端部よりも後側に入り込んでいる（図１０等参照）。
【０１４９】
内側開口部２７８と上皿３３の球入口３３ａとは前後に並んでおり、前扉側上皿通路部２７２はそれら内側開口部２７８と球入口３３ａとを繋ぐように前後方向に延びている。なお、前扉側上皿通路部２７２は上皿３３の球入口３３ａに向けて幅寸法（左右方向寸法）が大きくなっている。
【０１５０】
外側開口部２７９と下皿３４の第１球入口３４ａとは左右方向及び上下方向にずれた位置関係となっている。つまり、外側開口部２７９が前扉枠１４の回動基端側にあり、下皿３４の第１球入口３４ａは前扉枠１４の左右方向の中央付近にある（図１２等参照）。また、外側開口部２７９に対して下皿３４の第１球入口３４ａは下方にある。これら外側開口部２７９と下皿３４の第１球入口３４ａとを繋ぐように、前扉側下皿通路部２７３が形成されている。前扉側下皿通路部２７３は前扉枠１４の背面に沿っており、クランク状をなしている。詳細には、図１５、図１６に示すように、前扉側下皿通路部２７３が上段横通路部２８４と縦通路部２８５と下段横通路部２８６とを有している。このように前扉側下皿通路部２７３をクランク状とすることで、直線状とする構成に比して通路長が長くなっている。
【０１５１】
前扉側下皿通路部２７３は、一対のベース板２７４ａ，２７４ｂの間において連結板２７４ｃにより仕切られていることに起因して、断面矩形状の空間になっている。前扉側下皿通路部２７３においては、上段横通路部２８４及び下段横通路部２８６が同じ角度で下流側に向けて斜め下方に延びており、遊技球がそれぞれの横通路部２８４，２８６の下流側端部に向けて流下するようになっている。上段横通路部２８４においては、その上流側端部が受口部２７５の下方に配置されており、その下流側端部が下段横通路部２８６の上流側端部の上方に配置されている。下段横通路部２８６の下流側端部は、下皿３４の第１球入口３４ａの後方に配置されている。縦通路部２８５は、上下方向に延びた状態で上段横通路部２８４の下流側端部と下段横通路部２８６の上流側端部とを接続している。
【０１５２】
前扉側下皿通路部２７３は、ベース枠２３１の背面に沿って折れ曲がっており、その折れ曲がり部分として中間曲がり部３０４を複数有している。中間曲がり部３０４は、上段横通路部２８４と縦通路部２８５との接続部分、及び縦通路部２８５と下段横通路部２８６との接続部分のそれぞれにおいて形成されており、上流側から流下してくる遊技球の流下速度を低減させることが可能になっている。
【０１５３】
前扉側下皿通路部２７３においては、全体として、上段横通路部２８４の上流側端部から下段横通路部２８６の下流側端部（出口２７３ａ）に向けて徐々に断面積が大きくなっている。つまり、前扉側下皿通路部２７３は、下流側ほど太くなっている。この場合、一対のベース板２７４ａ，２７４ｂが平行に延びていることに起因して、前扉側下皿通路部２７３の奥行き寸法は、その全領域において同じ大きさに設定されており、その一方で、前扉側下皿通路部２７３の厚み寸法は出口２７３ａに近付くにつれて徐々に大きくなっている。ここで、上段横通路部２８４及び下段横通路部２８６においては高さ寸法を厚み寸法とし、縦通路部２８５においては幅寸法を厚み寸法としている。
【０１５４】
なお、前扉側下皿通路部２７３は、遊技球がその流下方向に沿って複数列で並ぶことが可能な断面積を有している。例えば、前扉側下皿通路部２７３の奥行き寸法（一対のベース板２７４ａ，２７４ｂの間の離間距離）は、２個の遊技球が並ぶことが可能な大きさになっている。また、前扉側下皿通路部２７３の厚み寸法については、上段横通路部２８４及び縦通路部２８５が２個の遊技球が並ぶことが可能な大きさになっており、下段横通路部２８６が３個以上の遊技球が並ぶことが可能な大きさになっている。
【０１５５】
前扉側下皿通路部２７３においては、通路部２８４〜２８６の各直線部分が下流側に向けて徐々に太くされたテーパ状になっている。この場合、上段横通路部２８４及び縦通路部２８５の各直線部分において、縦通路部２８５の上流側端部の断面積は、上段横通路部２８４の下流側端部の断面積と同じ又はそれより大きくされている。また、縦通路部２８５及び下段横通路部２８６の各直線部分において、下段横通路部２８６の上流側端部の断面積は、縦通路部２８５の下流側端部の断面積と同じ又はそれより大きくされている。
【０１５６】
なお、各中間曲がり部３０４の断面積は、その上下に隣り合う通路部２８４〜２８６の断面積とほぼ同じになっている。例えば、上段横通路部２８４と縦通路部２８５との接続部分においては、中間曲がり部３０４の断面積が上段横通路部２８４の直線部分の下流側端部の断面積及び縦通路部２８５の直線部分の上流側端部の断面積とほぼ同じになっている。また、縦通路部２８５と下段横通路部２８６との接続部分においては、中間曲がり部３０４の断面積が縦通路部２８５の直線部分の下流側端部の断面積及び下段横通路部２８６の直線部分の上流側端部の断面積とほぼ同じになっている。
【０１５７】
前扉側下皿通路部２７３には、下段横通路部２８６の下流側端部が下皿３４の第１球入口３４ａの後方に配置されていることに起因して、球出口において遊技球の流下方向がパチンコ機１０前方に向けた方向となるように、最下流部に下流曲がり部３０５が形成されている（図９参照）。この下流曲がり部３０５は下段横通路部２８６に対して形成されている。つまり、下流曲がり部３０５は、それよりも上流側の遊技球の流下方向に対して直交する面を備えた通路壁３０６を備えている。したがって、前扉側下皿通路部２７３を流下してきた遊技球はその最下流部において下流曲がり部３０５の通路壁３０６に当たった後に第１球入口３４ａを通じて下皿３４に排出される。つまり、通路壁３０６が減速部としての機能を有することとなる。これにより、前扉側下皿通路部２７３から下皿３４に排出される遊技球は下皿３４に排出される直前においてその勢いが低減される。なお、曲がり部３０４，３０５が球コーナー部分に相当する。
【０１５８】
なお、下流曲がり部３０５よりも上流側の通路方向を左右方向ではなく上下方向とした構成においては、下流曲がり部３０５の底部が上記減速部としての機能を有することとなる。つまり、減速部は、それよりも上流側の遊技球の流下方向に対して直交（略直交）又は交差する面を有し、上流側から流下してきた遊技球をその面に衝突させて減速させた後に下皿３４に導く機能を有している構成であればよい。
【０１５９】
ここで、既に説明したように、下皿３４において囲み壁部２４５の前側領域２４８はその高さ寸法が小さく設定されている。この場合、第１球入口３４ａから排出された遊技球が前側領域２４８を越えて下皿３４外に零れてしまうことが懸念される。これに対して、上記のように前扉側下皿通路部２７３に下流曲がり部３０５が形成されており、前扉側下皿通路部２７３から下皿３４に排出される遊技球が下皿３４に排出される直前においてその勢いが低減されることにより、第１球入口３４ａから排出された遊技球がその排出された勢いに起因して下皿３４外に零れてしまうことが抑制される。
【０１６０】
ちなみに、前扉側下皿通路部２７３が前扉側通路ユニット４５として前扉枠１４の背面に一体化されていることにより、前扉側下皿通路部２７３の下流曲がり部３０５の位置と下皿３４における第１球入口３４ａとの位置を近づけることが可能となる。よって、下流曲がり部３０５にて流れの勢いを低減させた直後に下皿３４に遊技球を排出することが可能となり、下流曲がり部３０５にて勢いを低減させる効果が好適に発揮される。前扉側下皿通路部２７３が前扉枠１４側ではなく内枠１３側に設置された構成を想定すると、前扉枠１４の内枠１３に対する開放に際して前扉側下皿通路部２７３の球出口を閉鎖するためのシャッタ機構を設ける必要が生じる。そうすると、下流曲がり部３０５と第１球入口３４ａとの間を、シャッタ機構を設けた分だけ離間させる必要が生じてしまう。これに対して、本パチンコ機１０では前扉側下皿通路部２７３が前扉枠１４に形成されていることにより上記シャッタ機構が必要なくなり、上記のとおり下流曲がり部３０５と第１球入口３４ａとの位置を近づけることが可能となる。
【０１６１】
次に、上皿３３及び下皿３４への遊技球の流れについて説明する。
【０１６２】
図１１に示すように払出装置２２２からは遊技球分配部２５２における内側の開口部２５５ａに向けて遊技球が払い出される。よって、払出装置２２２から払い出された遊技球は各上皿通路部２５８，２６２，２７２によって構成される上皿通路を通って上皿３３に排出される。
【０１６３】
但し、払出装置２２２から多数の遊技球が払い出され上皿３３が満杯状態となり、さらにその後も遊技球の払い出しが継続されると、上皿通路にて遊技球が連なり、図１１に示すように、遊技球分配部２５２における内側の開口部２５５ａの全体に遊技球が充たされることとなる。かかる状態において払出装置２２２から払い出された遊技球は遊技球分配部２５２における内側の仕切壁２５３ａを乗り越え中央の開口部２５５ｂ内に入る。そして、この遊技球は各下皿通路部２５９，２６３，２７３によって構成される下皿通路を通って下皿３４に排出される。
【０１６４】
＜満杯検知センサ２８０＞
次に、満杯検知センサ２８０について説明する。
【０１６５】
前扉側通路形成部２７６には、図１５、図１６に示すように、前扉側下皿通路部２７３を通る遊技球を検知するように満杯検知センサ２８０が設けられている。満杯検知センサ２８０は、磁気検知タイプの近接センサにて構成されており、検知範囲内を遊技球が通過する際の磁界の変化が検知されて電気信号として出力される。なお、満杯検知センサ２８０は磁気検知タイプの近接センサに限定されることはなく、フォトセンサやリミットセンサなどを用いてもよい。
【０１６６】
満杯検知センサ２８０は払出制御装置１８１に対して電気信号を出力する。払出制御装置１８１では、満杯検知センサ２８０の検知結果に基づいて払出装置２２２による遊技球の払い出しを停止させる。これにより、下皿３４が満杯状態となり、前扉側下皿通路部２７３において満杯検知センサ２８０の位置まで遊技球が連なった場合には、それ以上の遊技球の払い出しが停止される。かかる払い出しの停止は、下皿３４の満杯状態が解除され満杯検知センサ２８０にて遊技球が検知されなくなることにより解除される。
【０１６７】
ここで、満杯検知センサ２８０は、前扉側下皿通路部２７３における上段横通路部２８４に対して設けられている。詳細には、下段横通路部２８６における底壁の下方に、満杯検知センサ２８０が取り付けられている。このように下段横通路部２８６に対して満杯検知センサ２８０を設けることで、下皿３４が遊技球で満たされていても下段横通路部２８６の位置にて遊技球が待機しない限り、満杯検知センサ２８０による下皿満杯の検知は行われないことになる。
【０１６８】
上記のように満杯検知センサ２８０の位置が設定された構成において、下皿通路（裏パック側下皿通路部２５９、内枠側下皿通路部２６３、前扉側下皿通路部２７３）における満杯検知センサ２８０よりも上流側の通路長は、下皿３４が満杯状態となった際に下皿通路にて連なる遊技球の遊技球列が払出装置２２２の位置まで到達しないように設定されている。つまり、所定の払出速度で遊技球の払い出しを行っている払出装置２２２が払出停止された際には、既に払出装置２２２から払い出され下皿３４に向けて流下している遊技球が存在し得る。この場合に、その既に流下している遊技球として想定される最大数の遊技球が下皿通路にて満杯検知センサ２８０よりも上流側に並んだとしても、その遊技球列が払出装置２２２の位置まで並ばないようになっている。
【０１６９】
＜シャッタ機構２９１＞
次に、シャッタ機構２９１について説明する。図１８はシャッタ機構２９１の分解斜視図、図１９はシャッタ機構２９１の動きを説明するための説明図である。
【０１７０】
本実施の形態では上述したように前扉枠１４に対して前扉側通路ユニット４５が設けられている。また、前扉枠１４には上述したように窓パネル部２２が設けられており、例えば遊技領域にて球詰まり等が発生しそれを解消するために前扉枠１４を開放すると、それに合わせて前扉側通路ユニット４５が前方に移動し、前扉枠１４側の各通路部２７２，２７３と内枠１３側の各通路部２６２，２６３とが離間される。そして、この前扉枠１４の開放操作が、上皿３３や下皿３４が満杯状態であり内枠側上皿通路部２６２や内枠側下皿通路部２６３にて遊技球が待機されている状態において行われると、その待機されている遊技球が前扉側上皿通路部２７２や前扉側下皿通路部２７３にて受けられなくなり散乱してしまうおそれがある。これに対して、この遊技球の散乱を防止するためにシャッタ機構２９１が設けられている。
【０１７１】
シャッタ機構２９１は内枠１３の前面側に設けられている。詳細には、内枠ベース５０における内枠側通路ユニット１２１の下方には取付部２９２が形成されており、この取付部２９２に対してシャッタ機構２９１が取り付けられている。シャッタ機構２９１は、シャッタ部材２９３と、コイルバネ２９４と、ストッパ２９５とから構成されている。
【０１７２】
シャッタ部材２９３は合成樹脂により略板状に形成されている。シャッタ部材２９３の下端には左右方向に貫通させて軸孔２９３ａが形成されており、取付部２９２にはこの軸孔２９３ａと同一軸線上に軸孔を有する支軸部２９２ａが形成されている。シャッタ部材２９３の軸孔２９３ａ及び支軸部２９２ａに支軸ピン２９６が挿通固定されていることにより、シャッタ部材２９３は取付部２９２に対して下端を軸線として前後方向に回動可能に支持されている。
【０１７３】
シャッタ部材２９３の上端には、一方の端部（本実施の形態では、左側の端部）から側方に延出させて延出部２９７が形成されており、当該延出部２９７の前方となるようにしてストッパ２９５が設けられている。ストッパ２９５は合成樹脂材料により成形されており、取付部２９２にネジ固定されている。また、ストッパ２９５には、シャッタ用ストッパ２９５ａと当該シャッタ用ストッパ２９５ａよりも下方にあり前方に張り出したバネ用ストッパ２９５ｂとが形成されている。
【０１７４】
ストッパ２９５と延出部２９７との間にはコイルバネ２９４が設けられている。コイルバネ２９４は、一端がバネ用ストッパ２９５ｂに固定され他端が延出部２９７の下端に固定されており、伸張状態で設けられている。したがって、シャッタ部材２９３には前方へ向けた付勢力が常に作用しており、シャッタ部材２９３の自然状態では延出部２９７がシャッタ用ストッパ２９５ａに当接した位置にある。この当接した位置では、シャッタ部材２９３の上端部２９８が内枠側通路ユニット１２１の下方にある。
【０１７５】
シャッタ部材２９３の上端部２９８は、その上面が所定の曲率で、外方に凸であって前後方向に円弧状となっている。この円弧の仮想中心は、軸孔２９３ａとなっている。また、シャッタ部材２９３は、その前後方向寸法が内枠側上皿通路部２６２及び内枠側下皿通路部２６３の球出口２６２ａ，２６３ａの前後方向寸法と略同一となっており、さらに左右方向寸法が内枠側通路ユニット１２１の左右方向寸法と略同一となっている。そして、上端部２９８は、内枠側上皿通路部２６２及び内枠側下皿通路部２６３の球出口２６２ａ，２６３ａの略全体と対峙している。つまり、内枠側上皿通路部２６２及び内枠側下皿通路部２６３の球出口２６２ａ，２６３ａがシャッタ部材２９３によって閉鎖されている。この位置がシャッタ部材２９３の閉鎖位置（阻止位置）である。
【０１７６】
上端部２９８には前方に突出させて前方段部２９８ｂが一体形成されている。この前方段部２９８ｂは、閉鎖位置に移動する際に、内枠側上皿通路部２６２と前扉側上皿通路部２７２との境界部分や、内枠側下皿通路部２６３と前扉側下皿通路部２７３との境界部分にある遊技球を受口部２７５側に押し込む機能を有する。
【０１７７】
上端部２９８には、その左右方向の途中位置に前後方向に延びる溝部２９８ａが形成されている。この溝部２９８ａの位置は、受口部２７５における仕切壁２７７の位置に対応している。つまり、上端部２９８において溝部２９８ａよりもパチンコ機１０内側の領域は上皿通路用の阻止領域となっており、溝部２９８ａよりもパチンコ機１０外側の領域は下皿通路用の阻止領域となっている。この溝部２９８ａには、シャッタ部材２９３が閉鎖位置にある場合に、内枠側通路ユニット１２１における各通路部２６２，２６３を仕切る仕切用通路壁２６４の下端部分２６４ａが入り込む。
【０１７８】
取付部２９２におけるシャッタ部材２９３の後方には、後方へ凹んだ収容凹部２９２ｂが形成されている。また、シャッタ部材２９３はその前側端面が、前扉枠１４を閉鎖した際に前扉側通路ユニット４５の受口部２７５と当接する位置にあり、上述したとおり前扉枠１４を閉鎖した際には受口部２７５は内枠側通路ユニット１２１の下方に配置される。したがって、前扉枠１４が閉鎖されている状態においては、受口部２７５の後方端部がシャッタ部材２９３の前側端面に当接しシャッタ部材２９３に対して上記付勢力に抗する力が作用することで、当該シャッタ部材２９３は後方に回動し収容凹部２９２ｂに収容されている。この位置がシャッタ部材２９３の開放位置（阻止解除位置）である。
【０１７９】
前扉枠１４の開放操作に対するシャッタ部材２９３の動きについて説明すると、図１９（ａ）に示すように、前扉枠１４が閉鎖されている状態ではシャッタ部材２９３は開放位置にあり、内枠側上皿通路部２６２と前扉側上皿通路部２７２とが連通し、内枠側下皿通路部２６３と前扉側下皿通路部２７３とが連通している。
【０１８０】
また、前扉枠１４を開放することで、図１９（ｂ）に示すようにシャッタ部材２９３は閉鎖位置に移動する。これにより、内枠側上皿通路部２６２及び内枠側下皿通路部２６３の各球出口２６２ａ，２６３ａが閉鎖され、内枠側上皿通路部２６２及び内枠側下皿通路部２６３に遊技球が待機されている状態において前扉枠１４が開放されたとしても、その待機されている遊技球が散乱しないようになっている。その後、前扉枠１４を閉鎖すると、図１９（ａ）の状態に戻る。
【０１８１】
この場合に、上記のとおり内枠側上皿通路部２６２及び内枠側下皿通路部２６３は、それぞれ球出口２６２ａ，２６３ａに向けて下り傾斜となっている。よって、内枠１３側の各通路部２６２，２６３に待機されている遊技球の重量負荷は、その一部が内枠１３側の各通路部２６２，２６３の底部２６２ｂ，２６３ｂにて受けられる。つまり、それら待機されている遊技球のシャッタ部材２９３に対する重量負荷が低減されている。よって、シャッタ部材２９３の開閉動作の円滑化が図られている。
【０１８２】
＜球詰まり抑制構造＞
次に、前扉枠１４の開放操作に際しての上皿通路における球詰まり抑制構造について説明する。図２０及び図２１は球詰まり抑制構造を説明するための説明図である。
【０１８３】
上述したように前扉枠１４の開放に際しては、内枠１３側の各通路部２６２，２６３と前扉枠１４側の各通路部２７２，２７３とが離間される。この場合に、内枠１３側の各通路部２６２，２６３と前扉枠１４側の各通路部２７２，２７３との境界部分に遊技球が存在すると、その遊技球が内枠側通路ユニット１２１と前扉側通路ユニット４５との境界部分に遊技球が存在することがあり、その遊技球が内枠側通路ユニット１２１と前扉側通路ユニット４５とのそれぞれに当接し、球詰まりが発生することで前扉枠１４の開放操作を円滑に行えないおそれがある。これに対して、球詰まり抑制構造が設けられている。この球詰まり抑制構造としては、第１球詰まり抑制構造と、第２球詰まり抑制構造とが設けられている。
【０１８４】
＜第１球詰まり抑制構造＞
先ず、第１球詰まり抑制構造について図２０を用いて説明する。前扉枠１４を閉鎖した状態においては受口部２７５の各開口部２７８，２７９と内枠側通路ユニット１２１の各球出口２６２ａ，２６３ａとが対峙している（なお、図２０においては上皿通路側のみを示す）。ここで、内枠側通路ユニット１２１の球出口２６２ａ，２６３ａ付近において、図２０に示すように手前側通路壁２６５はその下端が、仕切用通路壁２６４の下端や側方の通路壁の下端よりも上方となるように形成されている。これにより、受口部２７５における上方に開放された部位の開放上面部と内枠側通路ユニット１２１の手前側通路壁２６５との間には、所定の間隔Ｘ１の隙間が存在する。したがって、前扉枠１４の開放開始に際して前扉枠１４側の各通路部２７２，２７３と内枠１３側の各通路部２６２，２６３との境界部分（図２０におけるＢ１の位置）に遊技球があったとしても、その遊技球が内枠側通路ユニット１２１の手前側通路壁２６５に当たりづらくなっている。よって、球詰まりの発生が抑制され前扉枠１４の開放操作を円滑に行うことが可能となる。
【０１８５】
なお、シャッタ部材２９３が開放位置にある場合、当該シャッタ部材２９３の前方段部２９８ｂは、受口部２７５よりも上方であって当該受口部２７５側に入り込む位置にある。そして、シャッタ部材２９３が閉鎖位置に移動する場合、当該シャッタ部材２９３の前方段部２９８ｂは、上記間隔Ｘ１の範囲内に配置される。これにより、上記のとおり、シャッタ部材２９３が閉鎖位置に移動する際に、内枠側上皿通路部２６２と前扉側上皿通路部２７２との境界部分や、内枠側下皿通路部２６３と前扉側下皿通路部２７３との境界部分にある遊技球は受口部２７５側に押し込まれる。
【０１８６】
上記のように手前側通路壁２６５の下端が仕切用通路壁２６４の下端や側方の通路壁の下端よりも上方となるように形成された構成において、シャッタ部材２９３が閉鎖位置にある場合、本体側の通路部２６２，２６３に待機している遊技球が零れ落ちないようになっている。詳細には、図１９（ｂ）に示すように、シャッタ部材２９３の軸孔２９３ａから手前側通路壁２６５の下端までの距離Ｌ１と、軸孔２９３ａからシャッタ部材２９３の上端部２９８の上面までの距離Ｌ２との差は、遊技球の直径よりも小さくなっている（Ｌ１―Ｌ２＜Ｒ）。したがって、両者の隙間が遊技球の直径よりも小さくなり、上記待機している遊技球が零れ落ちない。
【０１８７】
特に、シャッタ部材２９３の軸孔２９３ａから手前側通路壁２６５の下端までの距離Ｌ１と、軸孔２９３ａからシャッタ部材２９３の上端部２９８の上面までの距離Ｌ２との差は、遊技球の半径よりも小さくなっている（Ｌ１―Ｌ２＜Ｒ／２）。したがって、上記待機している遊技球の負荷は手前側通路壁２６５に確実に受けられ、上記遊技球の零れ落ちが確実に阻止されている。
【０１８８】
＜第２球詰まり抑制構造＞
次に、第２球詰まり抑制構造について図２０及び図２１を用いて説明する。この第２球詰まり抑制構造は、上皿通路及び下皿通路のそれぞれに対して設けられている。そこで、先ず上皿通路の第２球詰まり抑制構造について説明する。
【０１８９】
上述したように受口部２７５は前扉枠１４の背面よりも後方に突出させて形成されており、図２１に示すように受口部２７５は前扉枠１４の回動軸２８２よりも後方にある。したがって、前扉枠１４の開放に際しての外側開口部２７９の回動範囲には、図２１（ｂ）に示すように内枠側上皿通路部２６２の下方領域の一部が含まれる。また、前扉枠１４の開放におけるその途中位置においては、内側開口部２７８及び外側開口部２７９のそれぞれの一部が内枠側上皿通路部２６２の下方に位置することとなる。そして、この状態では内側開口部２７８にある遊技球が、受口部２７５の仕切壁２７７よりも上方の領域を通って外側開口部２７９へ移動することが可能となる。
【０１９０】
また、図１３及び図２１に示すように、受口部２７５の仕切壁２７７にはその上端から下方に凹ませて凹部２８３が形成されている。凹部２８３は仕切壁２７７の左右方向の途中位置から後側端部にかけて形成されており、その前後方向寸法Ｘ２は遊技球の直径Ｒよりも大きくなっている（Ｘ２＞Ｒ）。
【０１９１】
以上のように、受口部２７５の外側開口部２７９の回動範囲が設定されており、さらに受口部２７５の仕切壁２７７に凹部２８３が形成されていることにより、前扉枠１４の開放開始に際して前扉側上皿通路部２７２と内枠側上皿通路部２６２との境界部分であって内枠側上皿通路部２６２寄りの位置（図２０におけるＢ２の位置）に遊技球があったとしても、その遊技球が凹部２８３を横切って内側開口部２７８側から外側開口部２７９側に退避され得る。よって、球詰まりの発生が抑制され前扉枠１４の開放操作を円滑に行うことが可能となる。但し、凹部２８３の深さ寸法はＸ３となっており、凹部２８３の底と内枠側通路ユニット１２１の仕切用通路壁２６４の下端との間の間隔は遊技球の直径Ｒよりも小さくなっている。したがって、仕切壁２７７に凹部２８３を形成した構成において、前扉枠１４を閉鎖した状態においては内側開口部２７８にある遊技球が外側開口部２７９に移動してしまうことが防止されている。
【０１９２】
次に、下皿通路の第２球詰まり抑制構造について説明する。
【０１９３】
受口部２７５における外側開口部２７９側の上端部にはパチンコ機１０外方に延出させて球退避部２９０が一体形成されている。つまり、球退避部２９０は外側開口部２７９に対して前扉枠１４の回動基端側において当該外側開口部２７９と左右に並んでいる。球退避部２９０は１個の遊技球が十分に載ることができる程度の皿状となっており、その底部２９０ａは外側開口部２７９の開放上面部よりも下方であって外側開口部２７９の底部よりも上方にある。但し、球退避部２９０は前扉枠１４の閉鎖時において、内枠側下皿通路部２６３を通過した遊技球が載らないように形成されている。つまり、球退避部２９０の底部２９０ａと内枠側通路ユニット１２１の側壁部との間の距離は、遊技球の直径未満となっている。なお、かかる距離を遊技球の半径未満とするのが好ましい。
【０１９４】
球退避部２９０の底部２９０ａは外側開口部２７９に向けて下り傾斜となっており、球退避部２９０は外側開口部２７９に対して連通されている。また、上記のとおり受口部２７５は前扉枠１４の回動軸２８２よりも後方にあり、前扉枠１４の開放に際しての球退避部２９０の回動範囲には、内枠側下皿通路部２６３の下方領域の一部が含まれる。
【０１９５】
以上のように球退避部２９０が設けられておりその回動範囲が上記のとおり設定されていることにより、前扉枠１４の開放開始に際して前扉側下皿通路部２７３と内枠側下皿通路部２６３との境界部分であって内枠側下皿通路部２６３寄りの位置（図２１においてＢ３の位置）に遊技球があったとしても、その遊技球は球退避部２９０に退避され得る。つまり、当該位置にある遊技球は、前扉枠１４の開放操作に際して内枠側通路ユニット１２１の手前側通路壁２６５に当たり、球退避部２９０に向けて押し込まれるため、当該球退避部２９０に退避される。よって、球詰まりの発生が抑制され前扉枠１４の開放操作を円滑に行うことが可能となる。また、球退避部２９０の底部２９０ａは上記のとおり外側開口部２７９に向けて下り傾斜となっているので球退避部２９０に退避した遊技球は自重により外側開口部２７９内に入る。
【０１９６】
＜ファール球通路１１８＞
次に、ファール球通路１１８について説明する。
【０１９７】
前扉側通路ユニット４５には、図１５等に示すように、ファール球通路１１８を形成するファール球通路形成部２８１が、受口部２７５や前扉側通路形成部２７６と一体的に形成されている。ファール球通路形成部２８１は、前扉側下皿通路部２７３における縦通路部２８５と下段横通路部２８６との曲がり部分の内側に設けられており、上方に開放された回収口２８１ａを有している。なお、回収口２８１ａの上縁は、上段横通路部２８４及び縦通路部２８５の上壁２８７の上面２８７ａよりも低位にある。
【０１９８】
ファール球通路形成部２８１の回収口２８１ａは、前扉枠１４を内枠１３に閉鎖した状態において、遊技球発射機構１１０の発射レール１１２と遊技盤６０ａの内，外レール１０１，１０２との間に位置している。したがって、遊技球発射機構１１０から発射されたが遊技領域まで至らず、内，外レール１０１，１０２によって構成される誘導レール１００を逆流してくる戻り球は回収口２８１ａからファール球通路形成部２８１内に入る。
【０１９９】
このファール球通路形成部２８１内に入った遊技球は、ファール球通路形成部２８１に形成されたファール球通路１１８を通って下皿３４に排出される。ファール球通路１１８は、遊技球１個分よりも若干大きい程度の通路幅及び通路高さを有しており、複数の遊技球が通路幅方向に並ぶこと、及び途中位置にて複数の遊技球が積み重なることが防止されている。また、ファール球通路１１８は、回収口２８１ａを入口として、前扉側通路ユニット４５における受口部２７５側とは反対側の端部に出口１１８ａを有している（図１４参照）。この出口１１８ａは、下皿３４の第２球入口３４ｂに通じている。ここで、当該第２球入口３４ｂは、既に説明したように上皿３３から下皿３４への球抜き通路２４２の球出口となっている。つまり、ファール球通路１１８はその下流側にて球抜き通路２４２と合流しており、これらファール球通路１１８及び球抜き通路２４２は下皿３４において同一の球出口を有している。
【０２００】
上記のとおり、前扉側下皿通路部２７３の球出口は、下皿３４において第２球入口３４ｂとは別に形成された第１球入口３４ａとなっている。つまり、ファール球通路１１８は、前扉側下皿通路部２７３とは別に設けられており、ファール球通路１１８に導入された遊技球は前扉側下皿通路部２７３を通過する遊技球とは完全に別経路で下皿３４に排出される。ここで、下皿３４において、第２球入口３４ｂは第１球入口３４ａに対して左右方向にずらした位置に形成されている。詳細には、ファール球通路１１８は、前扉側下皿通路部２７３の下流側よりも遊技球流下方向で見て外方（横方）に延長させて形成されており、この延長させた距離分、第２球入口３４ｂは第１球入口３４ａに対して横方にずれた位置にある。これにより、前扉側下皿通路部２７３を通過した遊技球と、ファール球通路１１８を通過した遊技球とが同時に下皿３４に排出される場合において、それら両遊技球が衝突することが回避される。これら遊技球が衝突すると相互の跳ね返りにより遊技球が下皿３４の外方に飛び出てしまうおそれがあるが、上記のとおり両遊技球の衝突が回避されていることでかかる飛び出しのおそれが低減されている。
【０２０１】
ファール球通路１１８は、図１５に示すように、回収口２８１ａから第２球入口３４ｂとは反対側に向けて左右方向に延び、その後、折り返し部１１８ｂを介して折り返され、第２球入口３４ｂに向けて左右方向に延びている。これにより、ファール球通路１１８の通路長が長く確保され、ファール球通路１１８にて待機可能な遊技球の数を極力多くすることができる。また、上記のようにファール球通路１１８が、前扉側下皿通路部２７３の下流側よりも遊技球流下方向で見て外方（横方）に延長させて形成されていることにより、下皿３４にて第１球入口３４ａと第２球入口３４ｂとを左右方向にずらすようにした構成において、ファール球通路１１８の通路長を極力長く確保することができる。なお、ファール球通路１１８の底面であって回収口２８１ａにより上方が開放された領域に対してスポンジ部材などの衝撃吸収部材を付与してもよい。当該衝撃吸収部材を付与することにより、上方から落下してきた戻り球のファール球通路１１８に対する衝撃を吸収することができる。
【０２０２】
ファール球通路１１８は、前扉側下皿通路部２７３の上方にあり、ファール球通路１１８が占めるパチンコ機１０の前後方向の領域と、前扉側下皿通路部２７３が占めるパチンコ機１０の前後方向の領域とは上下に重なっている。これにより、前扉側通路ユニット４５に前扉側下皿通路部２７３及びファール球通路１１８を設けた構成において、前扉側通路ユニット４５の体格の縮小化、すなわち前扉側通路ユニット４５のコンパクト化が図られる。また、ファール球通路１１８は、その少なくとも一部が前扉側下皿通路部２７３に沿うようにして形成されている。この点からも、前扉側通路ユニット４５の体格の縮小化、すなわち前扉側通路ユニット４５のコンパクト化が図られている。
【０２０３】
＜球受け構造＞
次に、前扉枠１４の開放操作に際しての球受け構造について説明する。
【０２０４】
前扉枠１４の開閉は上皿３３が満杯状態において行われることがある。この場合に、受口部２７５の内側開口部２７８が遊技球で満たされている状態で前扉枠１４が開閉されると、その開閉の際の振動等によって内側開口部２７８にある遊技球が庇部２７５ａを乗り上げ零れ落ちてしまうおそれがある。これに対して、その零れ球に対する球受け構造が設けられている。
【０２０５】
この球受け構造は前扉側通路ユニット４５の前扉側通路形成部２７６に設けられている。詳細には、図１５〜図１７に示すように、球受け構造は前扉側通路形成部２７６における前扉側下皿通路部２７３の上段横通路部２８４及び縦通路部２８５の上壁２８７に設けられている。
【０２０６】
上壁２８７は、受口部２７５における内側開口部２７８の下方を通って、前扉側下皿通路部２７３の遊技球流下方向に緩やかに下り傾斜となっている。また、上壁２８７は、平面視で内側開口部２７８に対して左右に並んでいる。つまり、上壁２８７が内側開口部２７８の下方の位置から前扉枠１４の回動先端側に延びていると言える。
【０２０７】
上壁２８７におけるパチンコ機１０後側端部には、上面２８７ａから起立させて左右方向に延びる突条部２８８が一体形成されている。また、上壁２８７におけるパチンコ機１０前側端部には、前扉側通路ユニット４５の板状部２７１がある。かかる構成により、上壁２８７の上面２８７ａには突条部２８８と板状部２７１との間に球受け通路２８９が形成されている。
【０２０８】
球受け通路２８９は、上壁２８７が上記のとおり形成されていることにより、受口部２７５における内側開口部２７８の下方から前扉枠１４の回動先端側に向けて延びており、当該回動先端側に向けて下り傾斜となっている。ここで、上記のとおり、前扉側下皿通路部２７３における縦通路部２８５と下段横通路部２８６との曲がり部分の内側にファール球通路形成部２８１が設けられており、ファール球通路形成部２８１の開口部の上縁は、上壁２８７の上面２８７ａよりも低位にある。すなわち、球受け通路２８９の先にはファール球通路形成部２８１があり、当該ファール球通路形成部２８１の開口部の上縁は球受け通路２８９よりも低位にある。したがって、球受け通路２８９は、ファール球通路形成部２８１に通じており、さらにはファール球通路１１８に通じている。
【０２０９】
以上のように球受け通路２８９が設けられていることにより、前扉枠１４の開閉の際の振動等によって内側開口部２７８から遊技球が零れ落ちたとしても、その遊技球は球受け通路２８９によって受けられる。この受けられた遊技球は球受け通路２８９を流下することでファール球通路形成部２８１に導入され、ファール球通路１１８を通って下皿３４に排出される。これにより、零れ球を遊技ホールなどに散乱させることなく下皿３４に排出することができる。
【０２１０】
特に、零れ球は、前扉枠１４の回動に際しての遠心力により、内側開口部２７８から前扉枠１４の回動先端側に落下するものと考えられる。この場合に、上記のとおり球受け通路２８９が内側開口部２７８の下方から回動先端側に延びるようにして設けられていることにより、球受け通路２８９において零れ球を受け易くなる。また、仮に内側開口部２７８から前扉枠１４の回動基端側に遊技球が落下したとしても、その零れ球は外側開口部２７９にて受けられる。
【０２１１】
なお、上記のとおり受口部２７５には球退避部２９０が設けられている。したがって、前扉枠１４の開閉に際して外側開口部２７９から前扉枠１４の回動基端側に零れ球が落下したとしても、その零れ球は球退避部２９０にて受けられ得る。この点から、球退避部２９０は、球詰まり抑制構造としての機能だけでなく、球受け構造としての機能も有する。また、外側開口部２７９から前扉枠１４の回動先端側に零れ球が落下した場合には、その零れ球は内側開口部２７８にて受けられる。
【０２１２】
＜下側スピーカ部３０＞
次に、下側スピーカ部３０について、図９や図１２、図１４〜図１６等を参照しつつ説明する。
【０２１３】
上述したように、下側スピーカ部３０は、下側スピーカ３０ａ及びスピーカカバー２５０に加えて、下側スピーカ３０ａの背面側から出力された音を前扉側下皿通路部２７３及び第１球入口３４ａを通じてパチンコ機前方に放出するエンクロージャ３３１を有している。図１５、図１６に示すように、エンクロージャ３３１は、前扉側下皿通路部２７３及び第１球入口３４ａに加えて、下側スピーカ３０ａの背面部分を収納した空気室３３２と、下側スピーカ３０ａから空気室３３２内に出力された音を前扉側下皿通路部２７３に案内する音通路３３３とを有している。なお、エンクロージャ３３１（第１球入口３４ａ）が、パチンコ機前方に音を放出する音放出部に相当する。
【０２１４】
なお、前扉側通路ユニット４５においては、前扉側上皿通路部２７２及びファール球通路１１８がエンクロージャ３３１に含まれていない。また、前扉側下皿通路部２７３が内枠側下皿通路部２６３及び裏パック側下皿通路部２５９と共に下皿通路を形成しているが、本実施形態では、下皿通路の全領域をエンクロージャ３３１に含むのではなく、下皿通路のうち前扉側下皿通路部２７３だけをエンクロージャ３３１に含むことにしている。つまり、内枠側下皿通路部２６３及び裏パック側下皿通路部２５９はエンクロージャ３３１に含まないことにしている。
【０２１５】
空気室３３２及び音通路３３３は、前扉側下皿通路部２７３等と共に前扉側通路ユニット４５に含まれており、パチンコ機１０の前後方向において前扉側下皿通路部２７３に重ならない位置に配置されている。これら空気室３３２及び音通路３３３は、一対のベース板２７４ａ，２７４ｂの間において前扉側下皿通路部２７３と同様に連結板２７４ｃにより区画された空間部になっている。ここで、空気室３３２及び音通路３３３をまとめて、下側スピーカ３０ａから後方に出力された音を前扉側下皿通路部２７３に案内する音案内路と称すれば、前扉側通路ユニット４５は、前扉側通路形成部２７６やファール球通路形成部２８１に加えて、音案内路を形成した音案内路形成部３３４を有していることになる。なお、空気室３３２及び音通路３３３は、前扉側下皿通路部２７３と同様に、一対のベース板２７４ａ，２７４ｂにおいて連結板２７４ｃにより仕切られていることに起因して、断面矩形状の空間になっている。
【０２１６】
音案内路形成部３３４は、全体として直方体状に形成されており、受口部２７５の下方であってファール球通路形成部２８１の側方に配置されている。具体的には、前扉側下皿通路部２７３の上段横通路部２８４の下方であって縦通路部２８５の側方に配置されている。音案内路形成部３３４は、ベース枠２３１の背面に沿って前扉側通路形成部２７６に隣り合っており、その上端及び一側端が前扉側通路形成部２７６に接続されている。
【０２１７】
図９、図１２に示すように、前扉枠１４において、下側スピーカ３０ａは、上述したようにベース枠２３１の下方開口部２３１ａに挿通された状態でそのベース枠２３１に固定されている。この場合、下側スピーカ３０ａの前面部分がベース枠２３１の前面に引っ掛かっており、その背面部分が下方開口部２３１ａを通じてベース枠２３１の背面側に突出した状態になっている。前扉側通路ユニット４５は、空気室３３２が下側スピーカ３０ａに前後に重なる位置に配置されている。
【０２１８】
音案内路形成部３３４において、一対のベース板２７４ａ，２７４ｂのうち前側ベース板２７４ａには、空気室３３２をベース枠２３１に向けて開放したスピーカ用開口部３３６が設けられており、下側スピーカ３０ａの背面部分はスピーカ用開口部３３６を通じて空気室３３２内に入り込んだ状態になっている。前側ベース板２７４ａからの下側スピーカ３０ａの突出寸法は、前側ベース板２７４ａと後側ベース板２７４ｂとの離間拒理（空気室３３２の厚み寸法）よりも小さくされており、下側スピーカ３０ａの背面部分は、後側ベース板２７４ｂから前方に離間している。
【０２１９】
この場合、下側スピーカ３０ａは、前扉側通路ユニット４５に直接的に固定されているのではなく、前扉枠１４のベース枠２３１を介して間接的に固定されている。この場合、下側スピーカ３０ａ及び前扉側通路ユニット４５は、互いに独立した状態でベース枠２３１に対して強固に固定されていることになる。
【０２２０】
図１５、図１６の説明に戻り、音通路３３３は、前扉側通路ユニット４５において、折り曲げられた状態で上段横通路部２８４の下方に設けられている。音通路３３３は、前扉側下皿通路部２７３と空気室３３２とを連通しており、これら前扉側下皿通路部２７３と空気室３３２との間に配置されている。この場合、音通路３３３が前扉側下皿通路部２７３及び空気室３３２の両方に隣り合っているのに対して、空気室３３２と前扉側下皿通路部２７３とは隣り合っておらず、音通路３３３が前扉側下皿通路部２７３及び空気室３３２の両方に対してそれぞれ連結板２７４ｃにより仕切られている。
【０２２１】
前扉側通路ユニット４５は、空気室３３２と音通路３３３とを仕切っている空気室仕切部３４１、前扉側下皿通路部２７３と音通路３３３とを仕切っている下皿通路仕切部３４２を有している。空気室仕切部３４１及び下皿通路仕切部３４２は、それぞれ連結板２７４ｃにより形成されており、音通路３３３において音の伝達方向に沿って延びている。下皿通路仕切部３４２は、下側スピーカ３０ａからの出力音が空気室３３２から前扉側下皿通路部２７３に伝わっていく方向において、空気室仕切部３４１よりも下流側に配置されている。下皿通路仕切部３４２が音案内路形成部３３４の内周側に配置されている一方で、空気室仕切部３４１は、前扉側通路形成部２７６と音案内路形成部３３４との境界部に沿って延びている。
【０２２２】
空気室仕切部３４１には、空気室３３２から音通路３３３に音を伝える空気室孔３４３が設けられている。空気室孔３４３は、空気室３３２と音通路３３３とを連通している連通孔であり、下側スピーカ３０ａからの出力音の伝達方向において音通路３３３の上流側端部に配置されている。なお、音通路３３３においては、空気室孔３４３の部分をスロートと称することもできる。
【０２２３】
一方、下皿通路仕切部３４２には、音通路３３３から前扉側下皿通路部２７３に音を伝える下皿通路孔３４４が設けられている。下皿通路孔３４４は、前扉側下皿通路部２７３と音通路３３３とを連通している連通孔であり、音通路３３３の下流側端部に配置されている。この場合、前扉側下皿通路部２７３では、遊技球の流下方向において、満杯検知センサ２８０から上流側に離間した位置に下皿通路孔３４４が配置されていることになる。なお、下皿通路孔３４４は、前扉側下皿通路部２７３に音を取り込む音取り込み孔に相当する。
【０２２４】
音通路３３３においては、全体として、上流側端部である空気室孔３４３から下流側端部である下皿通路孔３４４に向けて徐々に断面積が大きくなっている。この場合、前扉側下皿通路部２７３と同様に、一対のベース板２７４ａ，２７４ｂが平行に延びていることに起因して、音通路３３３の奥行き寸法は、その全領域において同じ大きさに設定されており、その一方で、音通路３３３の厚み寸法は下皿通路孔３４４に近付くにつれて徐々に大きくなっている。音通路３３３は、パチンコ機１０の幅方向に延びた部分と上下方向に延びた部分とを有しており、幅方向に延びた部分においては高さ寸法を厚み寸法とし、上下方向に延びた部分においては幅寸法を厚み寸法としている。
【０２２５】
音通路３３３は、ベース枠２３１の背面に沿って直線的に延びている複数の通路部３５１〜３５２を有している。通路部３５１〜３５２のうち、第１通路部３５１は、空気室３３２からの音伝達経路において最も上流側に配置されており、空気室孔３４３から下流側（空気室３３２とは反対側）に向けて延びている。第３通路部３５３は、最も下流側に配置されたものであり、下皿通路孔３４４から上流側（空気室３３２側）に向けて延びている。第２通路部３５２は、音通路３３３の中間位置に配置されており、第１通路部３５１と第２通路部とを接続している。
【０２２６】
第１通路部３５１及び第２通路部３５２は、空気室３３２に沿って延びており、空気室仕切部３４１により空気室３３２に対して仕切られている。第１通路部３５１は、空気室３３２の側方に配置されており、空気室３３２の下部に配置された空気室孔３４３から上方に向けて延びている。第２通路部３５２は、空気室３３２の上方に配置されており、第１通路部３５１の上端部（下流側端部）から空気室３３２の上辺に沿って側方に向けて延びている。
【０２２７】
ここで、空気室仕切部３４１は、第１通路部３５１に沿って上下方向に延びている第１部分３４１ａと、第２通路部３５２に沿って空気室３３２の幅方向に延びている第２部分３４１ｂとを有しており、空気室孔３４３は、第１部分３４１ａの下端部を貫通している。なお、空気室仕切部３４１においては、第１部分３４１ａが空気室３３２と第１通路部３５１とを左右に仕切っており、第２部分３４１ｂが空気室３３２と第２通路部３５２とを上下に仕切っている。
【０２２８】
第３通路部３５３は、前扉側下皿通路部２７３の上段横通路部２８４に沿って延びており、下皿通路仕切部３４２により上段横通路部２８４に対して仕切られている。第３通路部３５３は、上段横通路部２８４の下方に配置されており、第２通路部３５２の下流側端部から第２通路部３５２の上辺に沿って側方に延びている。この場合、第３通路部３５３は、第２通路部３５２の上に重ねられた状態になっており、第２通路部３５２に対して音通路仕切部３５５により仕切られている。音通路仕切部３５５は、連結板２７４ｃにより形成されており、第２通路部３５２と第３通路部３５３との境界部に沿って延びている。この場合、音通路仕切部３５５は、第３通路部３５３の床部を形成している。
【０２２９】
ここで、下皿通路仕切部３４２は、前扉側下皿通路部２７３の上段横通路部２８４に沿って延びている横部分３４２ａと、縦通路部２８５に沿って延びている縦部分３４２ｂとを有している。横部分３４２ａは、上段横通路部２８４と第３通路部３５３との境界部に沿って延びていることで、これら上段横通路部２８４と第３通路部３５３とを上下に仕切っており、上段横通路部２８４の床部及び第３通路部３５３の天井部を形成している。縦部分３４２ｂは、縦通路部２８５と第１通路部３５１及び第３通路部３５３との境界部に沿って延びていることで、これら縦通路部２８５と第１通路部３５１及び第３通路部３５３とを左右に仕切っている。
【０２３０】
下皿通路孔３４４は、下皿通路仕切部３４２の縦部分３４２ｂに形成されている。音通路仕切部３５５は、縦部分３４２ｂから縦通路部２８５とは反対側に向けて延びており、下皿通路孔３４４は、上下方向に延びていることで横部分３４２ａと音通路仕切部３５５とに掛け渡されている。下皿通路孔３４４は、横部分３４２ａの下方において、その横部分３４２ａから下方に向けて延びており、上段横通路部２８４から縦通路部２８５に流下する遊技球は、下皿通路孔３４４から遠ざかる向きに移動する。この場合、下皿通路孔３４４は、上段横通路部２８４の下流側端部から下方に向けて延びた状態で、前扉側下皿通路部２７３を流下する遊技球が接触しにくい位置、つまり遊技球の流下経路から離間した位置に配置されていることになる。その離間位置に下皿通路孔３４４が配置されていることで、遊技球が下皿通路孔３４４から流出することを抑制する抑制機構が構成されている。
【０２３１】
なお、下皿通路孔３４４は、縦通路部２８５の側面部において、少なくとも一部が縦通路部２８５の直線部分に重なる位置に配置されている。ここで、前扉側通路ユニット４５においては、縦通路部２８５の側面部が一対のベース板２７４ａ，２７４ｂ及び連結板２７４ｃにより形成されており、下皿通路孔３４４は、縦通路部２８５の側面部のうち、連結板２７４ｃにより形成された部分に配置されている。
【０２３２】
音通路３３３においては、通路部３５１〜３５３の各直線部分が下流側に向けて徐々に太くされたテーパ状になっている。この場合、第１通路部３５１及び第２通路部３５２の各直線部分において、第２通路部３５２の上流側端部の断面積は、第１通路部３５１の下流側端部の断面積と同じ又はそれより大きくされている。また、第２通路部３５２及び第３通路部３５３の各直線部分において、第３通路部３５３の上流側端部の断面積は、第２通路部３５２の断面積と同じ又はそれより大きくされている。
【０２３３】
音通路３３３は、ベース枠２３１の背面に沿って折れ曲がっており、その折れ曲がり部分として音曲がり部３５７を複数有している。音曲がり部３５７は、第１通路部３５１と第２通路部３５２との接続部分、及び第２通路部３５２と第３通路部３５３との接続部分のそれぞれにおいて形成されており、下側スピーカ３０ａから出力されて音通路３３３を通る音の中高音域を減衰させることが可能になっている。なお、音曲がり部３５７が音コーナー部分に相当する。また、第２通路部３５２と第３通路部３５３との接続部分においては、音曲がり部３５７が第２通路部３５２に対して第３通路部３５３を折り返した折り返し部分に相当する。
【０２３４】
なお、各音曲がり部３５７の断面積は、その上下に隣り合う通路部３５１〜３５３の断面積とほぼ同じになっている。例えば、第１通路部３５１と第２通路部３５２との接続部分においては、音曲がり部３５７の断面積が第１通路部３５１の直線部分の下流側端部の断面積及び第２通路部３５２の直線部分の上流側端部の断面積とほぼ同じになっている。また、第２通路部３５２と第３通路部３５３との接続部分においては、音曲がり部３５７の断面積が第２通路部３５２の直線部分の下流側端部の断面積及び第３通路部３５３の直線部分の上流側端部の断面積とほぼ同じになっている。
【０２３５】
＜規制部材３６３＞
下皿通路孔３４４は、遊技球が侵入可能な大きさ及び形状になっている。具体的には、下皿通路孔３４４の断面積が、第３通路部３５３の下流側端部の断面積と同じ又はそれよりも大きくなっているとともに、縦通路部２８５の断面積が、下皿通路孔３４４の断面積と同じ又はそれよりも大きくなっている。このため、前扉側下皿通路部２７３において、縦通路部２８５を流下する遊技球や縦通路部２８５に溜まった遊技球が下皿通路孔３４４を通じて音通路３３３内に侵入することが懸念される。
【０２３６】
そこで、図１４〜図１６に示すように、前扉側通路ユニット４５は、前扉側下皿通路部２７３から音通路３３３への遊技球の流出を規制する流出規制部としての規制部材３６３を有している。規制部材３６３は、下皿通路孔３４４に対して開閉可能に設けられた開閉体であり、開状態にある場合に下皿通路孔３４４を開放し、閉状態にある場合に下皿通路孔３４４を閉鎖している。
【０２３７】
規制部材３６３は、板材により形成されており、空気中の音の伝達を遮断することが可能になっている。規制部材３６３は、閉状態にある場合に、音通路３３３を前扉側下皿通路部２７３側から閉鎖していることで、前扉側下皿通路部２７３から音通路３３３への遊技球の流出を規制するとともに、音通路３３３から前扉側下皿通路部２７３への音の伝わりを規制することになる。このため、規制部材３６３の閉状態が、遊技球の流出及び音の伝わりのそれぞれについて規制状態に相当する。なお、下皿通路孔３４４が縦通路部２８５の側面部に配置されていることの他にも、規制部材３６３が、下皿通路孔３４４からの遊技球の流出を抑制する抑制機構を構成している。
【０２３８】
規制部材３６３は、ベース板２７４ａ，２７４ｂに対して回動可能に軸支されており、回動することで開閉するようになっている。規制部材３６３は、一対のベース板２７４ａ，２７４ｂに掛け渡された状態で設けられており、その回動軸はベース板２７４ａ，２７４ｂの並び方向（前扉側通路ユニット４５の厚み方向）に延びている。規制部材３６３においては、その一端に回動軸が配置されており、この回動軸は、下皿通路仕切部３４２の下流側端部に横並びに配置されている。
【０２３９】
規制部材３６３は、閉状態にある場合に、回動軸が配置された方の端部を上端部とし、その上端部から下方に向けて延びている。この場合、規制部材３６３は、その回動先端部（下端部）が音通路仕切部３５５の下流側端部に横並びに配置された状態で、下皿通路孔３４４を縦通路部２８５側から覆っており、音通路３３３を下流側から閉鎖していることになる。
【０２４０】
下皿通路仕切部３４２の縦部分３４２ｂの上端部には、音通路仕切部３５５に向けて凹んだ凹部３６４が形成されている。規制部材３６３が閉状態にある場合、この凹部３６４には規制部材３６３の回動先端部が縦通路部２８５側から入り込んだ状態になっており、それによって、規制部材３６３が縦通路部２８５側に突出しないようになっている。この場合、規制部材３６３においては、縦通路部２８５側の板面が縦通路部２８５の内周面（縦部分３４２ｂの縦通路部２８５側の面）と連続した状態になっている。これにより、閉状態にある規制部材３６３の存在によって縦通路部２８５における遊技球の流下態様が変化するということが抑制されている。
【０２４１】
また、規制部材３６３は、その先端部が縦通路部２８５側から凹部３６４に引っ掛かることで、その先端部が音通路３３３内に入り込まないようになっている。このため、例えば下皿３４が満杯になった場合に下段横通路部２８６や縦通路部２８５において遊技球が積み上がったとしても、規制部材３６３が遊技球により押されて音通路３３３側に回動して下皿通路孔３４４が開放されるということを防止できる。
【０２４２】
規制部材３６３は、開状態のうち全開状態にある場合に、遊技球及び音の両方について下皿通路孔３４４の通過を規制しない非規制状態になっている。この場合、規制部材３６３は、回動軸を有する方の端部から下皿通路仕切部３４２の横部分３４２ａとは反対側に向けて延びており、横部分３４２ａの延長線に重なる位置に配置されている。このため、音通路３３３から縦通路部２８５を通じて下皿３４に向かう音の伝達が規制部材３６３により遮られないようになっている。なお、規制部材３６３が全開状態にある場合の位置が仕切位置に相当する。
【０２４３】
また、規制部材３６３は、横部分３４２ａと同じ厚み寸法を有している。このため、規制部材３６３の上面及び下面は、横部分３４２ａの上面及び下面の延長線上に配置されていることになる。この場合、全開状態にある規制部材３６３においては、その上面が上段横通路部２８４の通路面２８４ａ（横部分３４２ａの上面）に連続した面を形成し、その下面が第３通路部３５３の天井面（横部分３４２ａの下面）に連続した面を形成していることになる。
【０２４４】
さらに、規制部材３６３は、全開状態にある場合に、縦通路部２８５の幅方向に延びており、その縦通路部２８５を上下に仕切った仕切状態になっている。この場合、規制部材３６３は、音通路３３３から縦通路部２８５に伝わった音について、上流側（上段横通路部２８４側）に進むことを規制する一方で、下流側（下段横通路部２８６側）に進むことは規制しない。このため、規制部材３６３が仕切状態にある場合には、音通路３３３からの音の伝達方向が下皿３４側に限定されることになる。また、この場合、規制部材３６３は、前扉側下皿通路部２７３を流下する遊技球の流下経路に重なる位置に配置されていることになる。なお、規制部材３６３は、流出規制部及び開閉体に加えて仕切体に相当する。
【０２４５】
ちなみに、規制部材３６３が開状態にある場合でも、下皿通路孔３４４に対する開度が下皿通路孔３４４からの遊技球の流出を規制する大きさであれば、音通路３３３への遊技球の流出を規制する規制状態にあることになる。また、その開度が前扉側下皿通路部２７３の音の伝わりを規制する大きさであれば、前扉側下皿通路部２７３への音の伝わりを規制する規制状態にあることになる。
【０２４６】
前扉側通路ユニット４５は、規制部材３６３を全開状態に付勢する付勢部材を有している。付勢部材は、規制部材３６３の回動軸に対して設けられたねじりバネ等であり、遊技球が規制部材３６３の上に載った場合にその遊技球から規制部材３６３に加えられる荷重よりも小さい付勢力を有している。
【０２４７】
また、前扉側通路ユニット４５は、規制部材３６３が全開状態（仕切状態）から更に開度が大きくなる向きに回動することを規制する回動ストッパ３６５を有している。回動ストッパ３６５は、前扉側通路形成部２７６の内周面から内側に向けて突出した凸部であり、前扉側下皿通路部２７３の奥行き方向に沿って延びていることで一対のベース板２７４ａ，２７４ｂに掛け渡された状態になっている。規制部材３６３は、その回動先端部が下流側から回動ストッパ３６５に引っ掛かることで付勢部材の付勢力に抗して全開状態にて保持される。回動ストッパ３６５は、下皿通路孔３４４よりも上流側において、縦通路部２８５を挟んで下皿通路仕切部３４２の反対側に配置されている。この場合、回動ストッパ３６５は、縦通路部２８５において下皿通路仕切部３４２の下流側端部よりも高い位置に配置されていることで、縦通路部２８５を流下する遊技球の流下経路に重ならない位置に配置されている。
【０２４８】
仕切状態にある規制部材３６３が回動ストッパ３６５に下流側から引っ掛かっているため、仮に、払出装置２２２から遊技球を不正に払い出させることを目的として、下皿３４の第１球入口３４ａから針金等の不正治具が前扉側下皿通路部２７３に挿入されたとしても、その不正治具では全開状態の規制部材３６３を押し開けることが困難であり、不正治具が払出装置２２２にまで到達することを抑止できる。これにより、不審者が遊技球の払い出しを不正に受けるということを抑制できる。
【０２４９】
規制部材３６３が全開状態にある場合、この規制部材３６３の下面が第３通路部３５３の天井面の延長線上に配置されていることに起因して、不正治具が規制部材３６３に接触するまで挿入されたとしても、不審者にとっては、その不正治具の感触からでは第３通路部３５３と縦通路部２８５との境界部の位置を推定することが非常に困難になっている。つまり、不審者に前扉側下皿通路部２７３の形状や大きさが把握されることを抑制できる。
【０２５０】
規制部材３６３は、上段横通路部２８４から縦通路部２８５に遊技球が流下していない場合には、付勢部材の付勢力により全開状態にて保持される一方で、上段横通路部２８４から縦通路部２８５に遊技球が流下することに伴って、付勢部材の付勢力に抗して非全開状態（閉状態又は全開状態よりも開度の小さい開状態）に移行することになる。規制部材３６３が非全開状態にある場合には、音通路３３３から縦通路部２８５への音の伝達効率が規制部材３６３の存在により低下する。このため、規制部材３６３が全開状態にある場合に比べて、下皿３４に向けて放出される音の音量が小さくなる。
【０２５１】
図１４に示すように、規制部材３６３には、その規制部材３６３に強制的に閉鎖動作を行わせる規制駆動部３６６が取り付けられている。規制駆動部３６６は、電気式のモータを含んで構成されており、そのモータの軸である駆動軸部３６６ａを有している。規制駆動部３６６は、駆動軸部３６６ａが前側ベース板２７４ａを貫通した状態で前扉側通路ユニット４５の前側に設けられている。なお、前扉枠１４のベース枠２３１には、規制駆動部３６６を収納する収納部（図示略）が設けられており、収納部は、前扉側通路ユニット４５から遠ざかる向きに凹んだ凹部とされている。
【０２５２】
規制駆動部３６６の駆動軸部３６６ａには、カム等の引っ掛け部が設けられており、その引っ掛け部が規制部材３６３に引っ掛かった状態で駆動軸部３６６ａが回転することで、規制部材３６３が全開状態から閉状態に移行可能になっている。ここで、駆動軸部３６６ａが規制部材３６３の回動軸に接続されているのではなく、引っ掛け部が規制部材３６３に引っ掛け可能になっているため、全開状態にある規制部材３６３の上に遊技球が載った場合に、規制駆動部３６６の駆動軸部３６６ａが回転しなくても規制部材３６３だけが回動することになる。つまり、遊技球の荷重が規制部材３６３に加えて駆動軸部３６６ａも回転させるという構成にはなっていない。この場合、遊技球からの荷重という小さな外力により規制部材３６３が回動しやすくなるため、全開状態にある規制部材３６３の上に遊技球が載ったにもかかわらずその規制部材３６３が閉鎖動作を行わないという事態の発生を抑制できる。
【０２５３】
＜規制部材３６３の動作＞
次に、規制部材３６３の動作について、図１６、図２２、図２３を参照しつつ説明する。図２２、図２３は前扉側通路ユニット４５において規制部材３６３の動作態様を示す図である。図２２においては、（ａ）に規制部材３６３が全開状態にある場合の図を示し、（ｂ）に遊技球の流下に伴って規制部材３６３が閉鎖動作した場合の図を示す。図２３においては、（ａ）に規制部材３６３が閉状態にある場合の図を示し、（ｂ）に音通路３３３に遊技球が侵入した場合の図を示す。
【０２５４】
図１６、図２２（ａ）に示すように、エンクロージャ３３１においては、規制部材３６３が全開状態にある場合、下側スピーカ３０ａの背面側から空気室３３２に出力された音が、音通路３３３、縦通路部２８５、下段横通路部２８６及び第１球入口３４ａを通じて下皿３４に向けて放出される。この場合、音は空気室３３２から最短経路を通って下皿３４に到達することになり、エンクロージャ３３１において、音通路３３３、縦通路部２８５、下段横通路部２８６及び第１球入口３４ａという最短経路を形成する部分をまとめてホーン領域３７１と称すれば、規制部材３６３は、全開状態にあることでホーン領域３７１を形成していることになる。
【０２５５】
エンクロージャ３３１においては、規制部材３６３が全開状態にある場合に、その規制部材３６３よりも上流側にホーン領域３７１に含まれていない領域が存在しており、その領域を非ホーン領域３７２と称すれば、これらホーン領域３７１と非ホーン領域３７２とは、全開状態にある規制部材３６３により仕切られることになる。非ホーン領域３７２には、上段横通路部２８４と、縦通路部２８５のうち全開状態にある規制部材３６３よりも上流側の領域が含まれている。規制部材３６３は、全開状態にある場合（仕切位置にある場合）に、ホーン領域３７１と非ホーン領域３７２との境界部に配置されていることになる。
【０２５６】
なお、規制部材３６３が閉状態にある場合、この規制部材３６３は、ホーン領域３７１を音通路３３３側と前扉側下皿通路部２７３側とに仕切っていることになる。これに対して、規制部材３６３が全開状態などの開状態にある場合、この規制部材３６３は、ホーン領域３７１を仕切っていないことになる。
【０２５７】
ホーン領域３７１は、音通路３３３の上流側端部から第１球入口３４ａの下流側端部（下皿３４）に向けて徐々に断面積が大きくされたホーン形状になっている。この場合、前扉側下皿通路部２７３の縦通路部２８５の上流側端部の断面積は、音通路３３３の下流側端部（下皿通路孔３４４）の断面積と同じ又はそれよりも大きくされている。また、第１球入口３４ａの上流側端部の断面積は、下段横通路部２８６の下流側端部の断面積と同じ又はそれよりも大きくされている。
【０２５８】
音通路３３３及び前扉側下皿通路部２７３においては、下流側に向けて大きくなる断面積の増加率がほぼ同じにされている一方で、第１球入口３４ａにおいては、下流側（下皿３４）に向けて大きくなる断面積の増加率が、音通路３３３及び前扉側下皿通路部２７３の断面積の増加率よりも大きくされている。この場合、ホーン領域３７１は、曲がり部３０４，３０５，３５７により折れ曲がってはいるが、全体として朝顔形のホーンになっている。朝顔型のホーンにおいては、下流側端部から放出された音が拡散しにくく前方に進みやすくなっているため、ホーン領域３７１の第１球入口３４ａから放出された音もパチンコ機１０の前方に進みやすくなる。このため、遊技者が第１球入口３４ａ内に指を差し入れやすい構成を利用して、第１球入口３４ａから放出された音が遊技者に聞こえやすくなる構成を実現している。
【０２５９】
しかも、下皿３４においては、前側領域２４８が第１球入口３４ａの下端よりも低い位置に配置されているため、第１球入口３４ａから放出された音が前側領域２４８により遮られるということが生じにくくなっている。このため、遊技者が下皿３４内に手を差し入れて遊技球を掴むことが容易になる構成を利用して、第１球入口３４ａから放出された音が遊技者に届きやすくなる構成を実現している。
【０２６０】
また、ホーン領域３７１は、前扉側下皿通路部２７３及び音通路３３３が複数の曲がり部３０４，３０５，３５７を有していることからして、下側スピーカ部３０のエンクロージャ３３１においてバックロードホーンを形成していることになる。このため、ホーン領域３７１においては、空気室３３２から下皿３４に伝わる音について、低音域が増幅しやすく且つ中高音域が減衰しやすくなっている。これにより、仮に、下側スピーカ３０ａの前面側から出力される音について低音域の音量が不足していたとしても、下側スピーカ３０ａの背面側から出力される音により低音域の音量の不足を補うことができる。
【０２６１】
図２２（ｂ）に示すように、前扉側下皿通路部２７３を流下している遊技球が、全開状態にある規制部材３６３に到達した場合、この規制部材３６３が遊技球により下方に向けて押されて閉じることで非全開状態に移行し、それによって、この遊技球はホーン領域３７１と非ホーン領域３７２との境界部を通過することが可能になる。なお、規制部材３６３が閉状態に移行しなくても、下皿通路孔３４４に対する規制部材３６３の開度が、遊技球が縦通路部２８５を通過可能な程度に小さくなれば、遊技球はホーン領域３７１と非ホーン領域３７２との境界部を通過することができる。この場合の規制部材３６３の状態が、遊技球の流下を許可する流下許可状態に相当する。
【０２６２】
遊技球の通過に伴って規制部材３６３が非全開状態に移行した場合、下側スピーカ３０ａから空気室３３２に出力された音は、非全開状態にある規制部材３６３により遮られることで（下皿通路孔３４４に対する規制部材３６３の開度が小さくなることで）音通路３３３から前扉側下皿通路部２７３に伝わりにくくなる。このため、遊技球が払出装置２２２から下皿３４に断続的に払い出される場合には、下皿３４への音の放出が規制部材３６３により繰り返し規制されることになり、遊技者にとっては、前扉側下皿通路部２７３から下皿３４に対して放出される音が繰り返し瞬間的に途切れるように聞こえる。このように、下皿３４から聞こえる音が途切れることで、音による演出が単調になることを抑制したり、下皿３４に遊技球が排出されていることを遊技者に気付かせたりすることが可能になる。
【０２６３】
ちなみに、前扉側下皿通路部２７３において複数の遊技球が断続的に流下する場合、規制部材３６３が全開状態に戻るよりも前のタイミングで次の遊技球が規制部材３６３に到達する可能性がある。この場合、規制部材３６３が全開状態に戻っていなくても開状態にあれば、遊技球が規制部材３６３に接触することになり、規制部材３６３は、その遊技球により押圧されることで再び閉鎖動作を開始する。
【０２６４】
なお、前扉側下皿通路部２７３においては、縦通路部２８５や下段横通路部２８６の断面積が遊技球よりも十分に大きいため、下皿通路孔３４４よりも下流側を流下する遊技球が存在していたとしても、下皿通路孔３４４から取り込まれた音は、その遊技球と前扉側通路形成部２７６の内周面との間を通じて下流側に伝わることになる。このため、前扉側下皿通路部２７３を通じて下皿３４に遊技球が排出される場合に、前扉側下皿通路部２７３から放出される音が遊技球により遮られるということは生じにくくなっている。
【０２６５】
図２３（ａ）に示すように、前扉側通路ユニット４５においては、満杯検知センサ２８０により下皿満杯が検知された場合に、規制駆動部３６６が駆動することで、規制部材３６３が閉状態に移行するようになっている。ここで、下皿通路孔３４４が縦通路部２８５に配置されているのに対して、縦通路部２８５よりも下流側の下段横通路部２８６に満杯検知センサ２８０が配置されているため、下皿３４が満杯になって遊技球が下段横通路部２８６内に積み上がっている状態でも、その遊技球の積み上がりが縦通路部２８５の下皿通路孔３４４に到達するよりも前に規制部材３６３を閉状態に移行させることができる。このため、規制部材３６３が閉状態に移行する上で縦通路部２８５に積み上がった遊技球が支障になるという事態が発生しにくくなっている。なお、規制部材３６３（規制駆動部３６６）の動作制御については後述する。
【０２６６】
＜音通路３３３の遊技球排出機能＞
ホーン領域３７１においては、上述したように、前扉側下皿通路部２７３から音通路３３３への遊技球の流出が規制部材３６３により規制されているが、その流出規制をすり抜けて遊技球が音通路３３３に流出する可能性がないとは言いきれない。そこで、音通路３３３には、音通路３３３に流出した遊技球を前扉側下皿通路部２７３に向けて排出する排出機能が付与されている。
【０２６７】
図１６、図２３（ａ）に示すように、前扉側下皿通路部２７３の上段横通路部２８４及び下段横通路部２８６においては、遊技球の流下を促すためにそれぞれの床面（通路面）が下流側に向けて斜め下方に傾斜している。
【０２６８】
特に、上段横通路部２８４の通路面２８４ａは、下皿通路仕切部３４２の横部分３４２ａの上面により形成されており、その横部分３４２ａが下皿通路孔３４４に向けて傾いた状態で設けられていることで傾斜している。横部分３４２ａは、その上面が通路面２８４ａを形成している一方で、その下面が音通路３３３の第３通路部３５３の天井面を形成しており、それによって、第３通路部３５３の天井面と上段横通路部２８４の通路面２８４ａとは平行に延びている。
【０２６９】
ここで、第３通路部３５３においては、その断面積が下皿通路孔３４４に向けて徐々に大きくなる構成を実現するために、天井面と床面（通路面３５３ａ）との離間距離が下皿通路孔３４４に向けて徐々に大きくなっている。この結果、音伝達の下流側（下皿通路孔３４４）に向けた第３通路部３５３の通路面３５３ａの傾斜角度は、遊技球流下の下流側（下皿通路孔３４４）に向けた上段横通路部２８４の通路面２８４ａの傾斜角度より大きくなっている。つまり、音通路仕切部３５５の傾斜角度が下皿通路仕切部３４２の横部分３４２ａの傾斜角度より大きくなっている。
【０２７０】
したがって、仮に遊技球が音通路３３３の第３通路部３５３に侵入したとしても、第３通路部３５３の通路面３５３ａの傾斜によりその遊技球が下皿通路孔３４４に向けて流下することが促される。つまり、ホーン領域３７１を構成するための第３通路部３５３の形状を利用して、第３通路部３５３からの遊技球の排出を促す構成が実現されている。しかも、規制部材３６３は、通常は全開状態にあるため、第３通路部３５３内の遊技球が下皿通路孔３４４に到達した後にその下皿通路孔３４４から縦通路部２８５に流下することが、規制部材３６３によっては阻止されにくくなっている。さらに、上述したように、下皿通路孔３４４が音通路仕切部３５５から上方に向けて延びているため、第３通路部３５３からの遊技球の排出が下皿通路仕切部３４２の縦部分３４２ｂにより規制されることもない。
【０２７１】
＜電気的構成＞
次に、パチンコ機１０の電気的構成を図２４のブロック図に基づいて説明する。
【０２７２】
主制御装置１６２に設けられた主制御基板４０１には、メインＭＰＵ４０２が搭載されている。メインＭＰＵ４０２は、当該メインＭＰＵ４０２により実行される各種の制御プログラムや固定値データを記憶したＲＯＭ４０３と、そのＲＯＭ４０３内に記憶される制御プログラムの実行に際して各種のデータ等を一時的に記憶するためのメモリであるＲＡＭ４０４と、割込回路、タイマ回路、データ入出力回路、乱数発生器としての各種カウンタ回路などが内蔵された素子である。なお、メインＭＰＵ４０２が有する機能の一部、例えば、ＲＯＭ４０３の機能やＲＡＭ４０４の機能などを別の素子として有する構成としてもよい。
【０２７３】
メインＭＰＵ４０２には、入力ポート及び出力ポートがそれぞれ設けられている。メインＭＰＵ４０２の入力側には、主制御装置１６２に設けられた停電監視基板４０５、払出制御装置１８１、各種検知センサなどが接続されている。この場合に、停電監視基板４０５には電源・発射制御装置１９１が接続されており、メインＭＰＵ４０２には停電監視基板４０５を介して電力が供給される。
【０２７４】
また、図示は省略するが、メインＭＰＵ４０２には、各種検知センサの一部として、一般入賞口６１用の入賞検知センサ、上作動口６２用の入賞検知センサ、下作動口６３用の入賞検知センサ、可変入賞装置６４用の入賞検知センサ、スルーゲート６５用の入賞検知センサが接続されており、主制御装置１６２のメインＭＰＵ４０２において各入球部への入賞判定（入球判定）が行われる。また、メインＭＰＵ４０２では、上作動口６２及び下作動口６３への入賞に基づいて大当たり発生抽選を実行するとともに、スルーゲート６５への入賞に基づいてサポート発生抽選を実行する。
【０２７５】
メインＭＰＵ４０２の出力側には、停電監視基板４０５、払出制御装置１８１及び報知・演出制御装置１４３が接続されている。払出制御装置１８１には、例えば、上記入賞対応入球部への入賞判定結果に基づいて賞球コマンドが出力される。この場合、賞球コマンドの出力に際しては、ＲＯＭ４０３のコマンド情報記憶エリアが参照される。そして、一般入賞口６１への入賞を特定した場合には１０個の遊技球の払出に対応した賞球コマンドが出力され、可変入賞装置６４への入賞を特定した場合には１５個の遊技球の払出に対応した賞球コマンドが出力され、上作動口６２への入賞を特定した場合には３個の遊技球の払出に対応した賞球コマンドが出力され、下作動口６３への入賞を特定した場合には４個の遊技球の払出に対応した賞球コマンドが出力される。
【０２７６】
報知・演出制御装置１４３には、変動用コマンド、変動終了コマンド、オープニングコマンド及びエンディングコマンドなどの各種コマンドが出力される。この場合、これら各種コマンドの出力に際しては、ＲＯＭ４０３のコマンド情報記憶エリアが参照される。なお、上記各コマンドは、所定のバイト数の情報として構成されており、当該所定のバイト数の情報として各種情報が含まれている。特に、遊技回用のコマンドとしての変動用コマンドには、当該各種情報として、各遊技回の遊技結果の情報及び各遊技回の変動表示時間に関する情報に加えて、規制駆動部３６６を動作させるか否かの情報が含まれている。
【０２７７】
また、メインＭＰＵ４０２の出力側には、下作動口６３に付随した電動役物７１を駆動させる役物駆動部、可変入賞装置６４の開閉扉を駆動させる可変入球駆動部、及び主表示ユニット８１が接続されている。主制御基板４０１には各種ドライバ回路が設けられており、当該ドライバ回路を通じてメインＭＰＵ４０２は各種駆動部等の駆動制御を実行する。
【０２７８】
つまり、開閉実行モードにおいては可変入賞装置６４の大入賞口が開閉されるように、メインＭＰＵ４０２において可変入賞装置６４における可変入球駆動部の駆動制御が実行される。また、下作動口６３の開放状態当選（サポート当選）となった場合には、電動役物７１が開閉されるように、メインＭＰＵ４０２において電動役物７１の役物駆動部の駆動制御が実行される。また、各遊技回に際しては、メインＭＰＵ４０２において主表示ユニット８１の表示制御が実行される。
【０２７９】
さらには、メインＭＰＵ４０２の出力側には、外部端子板２１３が接続されている。外部端子板２１３には、状態移行に際して信号出力するための出力端子として、大当たり信号出力端子等が設けられている。メインＭＰＵ４０２は、遊技結果が大当たり結果となった場合には、遊技ホール側の管理制御装置に対して、大当たり信号出力端子を通じて大当たり信号を出力することができる。具体的には、通常時では、大当たり信号出力端子からＬＯＷレベル信号が出力されており、大当たり結果となった場合にはＨＩレベル信号が出力される。なお、この信号の出力態様は逆でもよい。
【０２８０】
停電監視基板４０５は、主制御基板４０１と電源・発射制御装置１９１とを中継し、また電源・発射制御装置１９１から出力される最大電圧である直流安定２４ボルトの電圧を監視する。
【０２８１】
払出制御装置１８１は、主制御装置１６２から入力した賞球コマンドに基づいて、払出装置２２２により賞球や貸し球の払出制御を行うものである。払出制御装置１８１には、満杯検知センサ２８０が接続されており、払出制御装置１８１は、満杯検知センサ２８０から検知信号が入力されることで下皿満杯か否かの判定を行うことが可能になっている。
【０２８２】
電源・発射制御装置１９１は、例えば、遊技場等における商用電源（外部電源）に接続されている。そして、その商用電源から供給される外部電力に基づいて主制御基板４０１や払出制御装置１８１等に対して各々に必要な動作電力を生成するとともに、その生成した動作電力を所定の電力経路を通じて供給する。また、電源・発射制御装置１９１は、遊技球発射機構１１０の発射制御を担うものであり、遊技球発射機構１１０は所定の発射条件が整っている場合に駆動される。
【０２８３】
＜各種カウンタについて＞
次に、主制御装置１６２のメインＭＰＵ４０２にて各種抽選を行うための電気的な構成について図２５を用いて説明する。
【０２８４】
メインＭＰＵ４０２は遊技に際し各種カウンタ情報を用いて、大当たりの発生抽選、主表示ユニット８１の表示の設定、図柄表示装置７５の図柄表示の設定などを行うこととしており、具体的には、図２５に示すように、大当たりの発生の抽選に使用する大当たり乱数カウンタＣ１と、大当たり種別を判定する際に使用する大当たり種別カウンタＣ２と、リーチ発生の有無及びその種別を振り分ける際に使用されるリーチ乱数カウンタＣ３と、大当たり乱数カウンタＣ１の初期値設定に使用する乱数初期値カウンタＣＩＮＩと、主表示ユニット８１及び図柄表示装置７５における変動表示時間を決定する変動種別カウンタＣＳを用いることとしている。さらに、下作動口６３の電動役物７１を電役開放状態とするか否かの抽選に使用する電動役物用カウンタＣ４を用いることとしている。
【０２８５】
各カウンタＣ１〜Ｃ４，ＣＩＮＩ，ＣＳは、その更新の都度前回値に１が加算され、最大値に達した後０に戻るループカウンタとなっている。各カウンタは短時間間隔で更新され、その更新値がＲＡＭ４０４の所定領域に設定された抽選カウンタ用バッファ４２１に適宜格納される。このうち抽選カウンタ用バッファ４２１において、大当たり乱数カウンタＣ１、大当たり種別カウンタＣ２及びリーチ乱数カウンタＣ３に対応した情報は、上作動口６２又は下作動口６３への入賞が発生した場合に、ＲＡＭ４０４に取得情報記憶手段として設けられた保留球格納エリア４２２に格納される。
【０２８６】
保留球格納エリア４２２は、第１結果表示部用保留エリアＲａ及び第２結果表示部用保留エリアＲｂからなる保留用エリアＲＥと、実行エリアＡＥとを備えている。保留エリアＲａ，Ｒｂは、第１エリアＲａ１，Ｒｂ１、第２エリアＲａ２，Ｒｂ２、第３エリアＲａ３，Ｒｂ３、第４エリアＲａ４，Ｒｂ４を備えており、上作動口６２又は下作動口６３への入賞履歴に合わせて、抽選カウンタ用バッファ４２１に格納されている大当たり乱数カウンタＣ１、大当たり種別カウンタＣ２及びリーチ乱数カウンタＣ３の各数値情報が保留情報として、いずれかのエリアＲａ１〜Ｒａ４，Ｒｂ１〜Ｒｂ４に格納される。なお、当該保留情報が特別情報に相当する。
【０２８７】
この場合、第１エリアＲａ１，Ｒｂ１〜第４エリアＲａ４，Ｒｂ４には、上作動口６２又は下作動口６３への入賞が複数回連続して発生した場合に、第１エリアＲａ１，Ｒｂ１→第２エリアＲａ２，Ｒｂ２→第３エリアＲａ３，Ｒｂ３→第４エリアＲａ４，Ｒｂ４の順に各数値情報が時系列的に格納されていく。このようにそれぞれ４つのエリアＲａ１〜Ｒａ４，Ｒｂ１〜Ｒｂ４が設けられていることにより、上作動口６２又は下作動口６３への遊技球の入賞履歴がそれぞれ最大４個まで保留記憶されるようになっている。また、保留球格納エリア４２２には総保留数記憶領域が設けられており、当該総保留数記憶領域には上作動口６２又は下作動口６３への入賞履歴を保留記憶している数を特定するための情報が格納される。
【０２８８】
なお、保留記憶可能な数は、４個に限定されることはなく任意であり、２個、３個又は５個以上といったように他の複数であってもよく、単数であってもよい。
【０２８９】
実行エリアＡＥは、主表示ユニット８１の変動表示を開始する際に、保留用エリアＲＥの第１エリアＲａ１，Ｒｂ１に格納された各数値情報を移動させるためのエリアであり、１遊技回の開始に際しては実行エリアＡＥに記憶されている各種数値情報に基づいて、当否判定などが行われる。
【０２９０】
各カウンタについて詳しくは、大当たり乱数カウンタＣ１は、例えば０〜５９９の範囲内で順に１ずつ加算され、最大値に達した後０に戻る構成となっている。特に大当たり乱数カウンタＣ１が１周した場合、その時点の乱数初期値カウンタＣＩＮＩの値が当該大当たり乱数カウンタＣ１の初期値として読み込まれる。なお、乱数初期値カウンタＣＩＮＩは、大当たり乱数カウンタＣ１と同様のループカウンタである（値＝０〜５９９）。大当たり乱数カウンタＣ１は定期的に更新され、遊技球が上作動口６２又は下作動口６３に入賞したタイミングでＲＡＭ４０４の保留球格納エリア４２２に格納される。より詳しくは、上作動口６２に遊技球が入賞したタイミングでＲＡＭ４０４の第１結果表示部用保留エリアＲａに格納され、下作動口６３に遊技球が入賞したタイミングでＲＡＭ４０４の第２結果表示部用保留エリアＲｂに格納される。
【０２９１】
大当たり当選となる乱数の値は、ＲＯＭ４０３における当否情報群記憶手段としての当否テーブル記憶エリア４１１に当否テーブル（当否情報群）として記憶されている。ここで、当否テーブルの内容について説明する。当否テーブルとしては、低確率モード用の当否テーブル（低確率用当否情報群）と、高確率モード用の当否テーブル（高確率用当否情報群）とが設定されている。つまり、本パチンコ機１０は、当否抽選手段における抽選モードとして、低確率モード（低確率状態）と高確率モード（高確率状態）とが設定されている。
【０２９２】
上記抽選に際して低確率モード用の当否テーブルが参照されることとなる遊技状態下では、大当たり当選となる乱数の値（すなわち、当選情報）は２個である。一方、上記抽選に際して高確率モード用の当否テーブルが参照されることとなる遊技状態下では大当たり当選となる乱数の値は２１個である。この場合、低確率モードである状況において大当たり当選となる大当たり乱数カウンタＣ１の値群は、高確率モードである状況において大当たり当選となる大当たり乱数カウンタＣ１の値群に含まれている。
【０２９３】
なお、低確率モードよりも高確率モードの方の当選確率が高くなるのであれば、上記当選となる乱数の数及び値は任意であり、また低確率モードである状況において大当たり当選となる大当たり乱数カウンタＣ１の値群が、高確率モードである状況において大当たり当選となる大当たり乱数カウンタＣ１の値群に一部のみが含まれている構成としてもよく、含まれていない構成としてもよい。
【０２９４】
各抽選モードにおいて、大当たり当選となる乱数の値以外は、抽選結果が外れ結果となる。
【０２９５】
次に、大当たり種別カウンタＣ２について説明する。大当たり種別カウンタＣ２は、０〜２９の範囲内で順に１ずつ加算され、最大値に達した後０に戻る構成となっている。大当たり種別カウンタＣ２は定期的に更新され、遊技球が上作動口６２又は下作動口６３に入賞したタイミングでＲＡＭ４０４の保留球格納エリア４２２に格納される。より詳しくは、上作動口６２に遊技球が入賞したタイミングでＲＡＭ４０４の第１結果表示部用保留エリアＲａに格納され、下作動口６３に遊技球が入賞したタイミングでＲＡＭ４０４の第２結果表示部用保留エリアＲｂに格納される。
【０２９６】
ここで、本パチンコ機１０では、（１）開閉実行モード終了後の当否抽選手段における当否抽選モード、（２）開閉実行モード終了後の下作動口６３の電動役物７１におけるサポートモード、という２つの条件に差異を設けることにより、複数種の大当たり結果が設定されている。当否抽選モードとしては、上述したとおり低確率モードと高確率モードとが設定されている。
【０２９７】
サポートモードとしては、遊技領域ＰＥに対して同様の態様で遊技球の発射が継続されている状況で比較した場合に、下作動口６３の電動役物７１が単位時間当たりに受入状態となる頻度が相対的に高低となるように、低頻度サポートモード（低頻度サポート状態又は低頻度ガイド状態）と高頻度サポートモード（高頻度サポート状態又は高頻度ガイド状態）とが設定されている。
【０２９８】
具体的には、低頻度サポートモードと高頻度サポートモードとでは、電動役物用カウンタＣ４を用いた電動役物用抽選における電役受入状態当選となる確率は同一（例えば、共に４／５）となっているが、高頻度サポートモードでは低頻度サポートモードよりも、電役受入状態当選となった際に電動役物７１が受入状態となる回数が多く設定されており、さらに１回の受入時間が長く設定されている。この場合、高頻度サポートモードにおいて電役受入状態当選となり電動役物７１の受入状態が複数回発生する場合において、１回の受入状態が終了してから次の受入状態が開始されるまでの待ち時間は、１回の受入時間よりも短く設定されている。さらにまた、高頻度サポートモードでは低頻度サポートモードよりも、１回の電動役物用抽選が行われてから次の電動役物用抽選が行われる上で最低限確保される確保時間が短く設定されている。
【０２９９】
上記のように高頻度サポートモードでは、低頻度サポートモードよりも下作動口６３への入賞が発生する確率が高くなる。換言すれば、低頻度サポートモードでは、下作動口６３よりも上作動口６２の入賞が発生する確率が高くなるが、高頻度サポートモードでは、上作動口６２よりも下作動口６３への入賞が発生する確率が高くなる。そして、下作動口６３への入賞が発生した場合には、所定個数の遊技球の払出が実行されるため、高頻度サポートモードでは、遊技者は持ち球をあまり減らさないようにしながら遊技を行うことができる。
【０３００】
なお、高頻度サポートモードを低頻度サポートモードよりも単位時間当たりに電役受入状態となる頻度を高くする上での構成は、上記のものに限定されることはなく、例えば電動役物用抽選における電役受入状態当選となる確率を高くする構成としてもよい。さらには、受入状態への切替回数を多くする、受入時間を長くする、１回の電動役物用抽選が行われてから次の電動役物用抽選が行われる上で最低限確保される確保時間を短くする（すなわち、役物用結果表示部における１回の変動表示時間を短くする）及び当選確率を高くするのうち、いずれか１条件又は任意の組み合わせの条件を適用することで、低頻度サポートモードに対する高頻度サポートモードの有利性を高めてもよい。
【０３０１】
大当たり種別カウンタＣ２に対する遊技結果の振分先は、ＲＯＭ４０３における振分情報群記憶手段としての振分テーブル記憶エリア４１２に振分テーブル（振分情報群）として記憶されている。そして、かかる振分先として、通常大当たり結果（低確率対応特別遊技結果）と、確変大当たり結果（高確率対応特別遊技結果）とが設定されている。
【０３０２】
通常大当たり結果は、開閉実行モードの終了後に、当否抽選モードが低確率モードとなるとともに、サポートモードが移行後において遊技回数が終了基準回数（具体的には、１００回）となるまで高頻度サポートモードとなる大当たり結果である。なお、終了基準回数が経過した後に、低頻度サポートモードに移行する。
【０３０３】
確変大当たり結果は、開閉実行モードの終了後に、当否抽選モードが高確率モードとなるとともに、サポートモードが高頻度サポートモードとなる大当たり結果である。当該高頻度サポートモードは、当否抽選における抽選結果が大当たり状態当選となり、それによる開閉実行モードに移行するまで継続する。
【０３０４】
振分テーブルにおいて、「０〜９」が通常大当たり結果に対応しており、「１０〜２９」が確変大当たり結果に対応しているが、この数値の振分は任意である。また、大当たり結果の振分先は、上記の２種類に限定されることはなく、例えば、開閉実行モードにおいて遊技球の獲得期待値が高低となるように複数のモードを設定し、当該開閉実行モードの移行先のモードに差異を設けることで大当たり結果の種別を上記の２種類よりも増やす構成としてもよい。
【０３０５】
リーチ乱数カウンタＣ３は、例えば０〜２３８の範囲内で順に１ずつ加算され、最大値に達した後０に戻る構成となっている。ここで、本パチンコ機１０には、図柄表示装置７５における表示演出の一種として期待演出が設定されている。期待演出とは、可変入賞装置６４が開閉実行モードとなる遊技回では変動表示後の停止結果が付与対応結果となる遊技機において、図柄表示装置７５における図柄（絵柄）の変動表示が開始されてから停止結果が導出表示される前段階で、前記付与対応結果となり易い変動表示状態であると遊技者に思わせるための表示状態をいう。
【０３０６】
期待演出には、リーチ表示と、当該リーチ表示が発生する前段階などにおいてリーチ表示の発生や付与対応結果の発生を期待させるための予告表示との２種類が設定されている。
【０３０７】
リーチ表示には、図柄表示装置７５の表示画面７５ａに表示される複数の図柄列のうち一部の図柄列について図柄を停止表示させることで、リーチ図柄の組み合わせを表示し、その状態で残りの図柄列において図柄の変動表示を行う表示状態が含まれる。また、上記のようにリーチ図柄の組み合わせを表示した状態で、残りの図柄列において図柄の変動表示を行うとともに、その背景画面において所定のキャラクタなどを動画として表示することによりリーチ演出を行うものや、リーチ図柄の組み合わせを縮小表示させる又は非表示とした上で、表示画面の略全体において所定のキャラクタなどを動画として表示することによりリーチ演出を行うものが含まれる。
【０３０８】
予告表示には、図柄表示装置７５の表示画面７５ａにおいて図柄の変動表示が開始されてから、全ての図柄列にて図柄が変動表示されている状況において、又は一部の図柄列であって複数の図柄列にて図柄が変動表示されている状況において、図柄列上の図柄とは別にキャラクタを表示させる態様が含まれる。また、背景画面をそれまでの態様とは異なる所定の態様とするものや、図柄列上の図柄をそれまでの態様とは異なる所定の態様とするものも含まれる。かかる予告表示は、リーチ表示が行われる場合及びリーチ表示が行われない場合のいずれの遊技回においても発生し得るが、リーチ表示の行われる場合の方がリーチ表示の行われない場合よりも高確率で発生するように設定されている。
【０３０９】
リーチ表示は、開閉実行モードに移行する遊技回では、リーチ乱数カウンタＣ３の値に関係なく実行される。また、開閉実行モードに移行しない遊技回では、ＲＯＭ４０３のリーチ用テーブル記憶エリアに記憶されたリーチ用テーブルを参照して、所定のタイミングで取得したリーチ乱数カウンタＣ３がリーチ表示の発生に対応している場合に実行される。一方、予告表示を行うか否かの決定は、主制御装置１６２において行うのではなく、報知・演出制御装置１４３又は表示制御装置１７０において行われる。
【０３１０】
変動種別カウンタＣＳは、例えば０〜１９８の範囲内で順に１ずつ加算され、最大値に達した後０に戻る構成となっている。変動種別カウンタＣＳは、主表示ユニット８１における変動表示時間と、図柄表示装置７５における図柄の変動表示時間とをメインＭＰＵ４０２において決定する上で用いられる。変動種別カウンタＣＳは、後述する通常処理が１回実行される毎に１回更新され、当該通常処理内の残余時間内でも繰り返し更新される。そして、主表示ユニット８１における変動表示の開始時及び図柄表示装置７５による図柄の変動開始時における変動パターン決定に際して変動種別カウンタＣＳのバッファ値が取得される。
【０３１１】
電動役物用カウンタＣ４は、例えば、０〜２４９の範囲内で順に１ずつ加算され、最大値に達した後０に戻る構成となっている。電動役物用カウンタＣ４は定期的に更新され、スルーゲート６５に遊技球が入賞したタイミングでＲＡＭ４０４の電役保留エリア４２３に格納される。そして、所定のタイミングにおいて、その格納された電動役物用カウンタＣ４の値によって下作動口６３の電動役物７１を受入状態に制御するか否かの抽選が行われる。例えば、Ｃ３＝０〜１９９であれば、電動役物７１を受入状態に制御し、Ｃ３＝２００〜２４９であれば、電動役物７１を受入状態に制御しない。
【０３１２】
既に説明したように、メインＭＰＵ４０２では、少なくとも変動種別カウンタＣＳのバッファ値を用いて、主表示ユニット８１における変動表示時間が決定されるが、その決定に際してはＲＯＭ４０３の変動表示時間テーブル記憶エリアが用いられる。また、メインＭＰＵ４０２では、実行エリアＡＥに格納されている大当たり乱数カウンタＣ１の値及び大当たり種別カウンタＣ２の値を用いて、主表示ユニット８１における停止結果が決定されるが、その決定に際してはＲＯＭ４０３の停止結果テーブル記憶エリアが用いられる。
【０３１３】
＜報知・演出制御装置１４３及び表示制御装置１７０の電気的構成について＞
再び図２４のブロック図を参照して、報知・演出制御装置１４３及び表示制御装置１７０の電気的構成について説明する。
【０３１４】
報知・演出制御装置１４３は、主制御装置１６２から入力した各種コマンドに基づいて前扉枠１４に設けられたランプ部２６〜２８やスピーカ２９ａ，３０ａを制御するものである。
【０３１５】
報知・演出制御装置１４３はサブＭＰＵ４３２が搭載された報知・演出制御基板４３１を有してなり、サブＭＰＵ４３２には各種制御プログラムや固定値データを記憶したＲＯＭ４３３、そのＲＯＭ４３３内に記憶される制御プログラムの実行に際して各種データを一時的に記憶するためのメモリであるＲＡＭ４３４が内蔵されている。ＲＯＭ４３３には、スピーカ２９，３０から演出音や報知音、案内音を出力するための音データが記憶されている。音データは、デジタルデータとされており、実際の可聴音やアナログデータをサンプリングして得られた波形データになっている。
【０３１６】
サブＭＰＵ４３２には、入力ポート及び出力ポートがそれぞれ設けられている。サブＭＰＵ４３２の入力側には、主制御装置１６２が接続されており、主制御装置１６２からの各種コマンドを受信する。サブＭＰＵ４３２の出力側には、前扉枠１４に設けられた各種ランプ部２６〜２８やスピーカ２９ａ，３０ａが接続されているとともに表示制御装置１７０が接続されている。
【０３１７】
さらに、サブＭＰＵ４３２の出力側には、前扉側通路ユニット４５の規制駆動部３６６が接続されており、サブＭＰＵ４３２は、主制御装置１６２からの各種コマンドに基づいて、規制駆動部３６６の駆動制御を行う。ここで、サブＭＰＵ４３２は、規制駆動部３６６を駆動させて規制部材３６３を強制的に閉鎖することで、下側スピーカ３０ａの背面側から出力される音がパチンコ機１０の前方に放出されにくくすることが可能になる。このため、サブＭＰＵ４３２は、規制駆動部３６６の駆動制御を行うことで、下皿３４に向けて出力される音について出力制御を行うことになる。
【０３１８】
表示制御装置１７０は、ＭＰＵ４４２が搭載された表示制御基板４４１を有してなり、そのＭＰＵ４４２には、各種の制御プログラムや固定値データを記憶したプログラムＲＯＭや、そのプログラムＲＯＭ内に記憶される制御プログラムの実行に際して各種のデータ等を一時的に記憶するためのメモリであるワークＲＡＭなどが内蔵されている。
【０３１９】
表示制御基板４４１には、図柄表示装置７５が接続されている。表示制御装置１７０のＭＰＵ４４２は、報知・演出制御装置１４３から入力したコマンドに基づいて、図柄表示装置７５の表示制御を行う。なお、表示制御装置１７０では、主制御装置１６２から入力された各種コマンドに基づいて、図柄表示装置７５における図柄の変動表示時間及び最終的に停止表示させる図柄の組み合わせの種類を決定するとともに、リーチ発生の有無及びリーチ演出の内容を決定する。
【０３２０】
＜メインＭＰＵ４０２にて実行される各種処理について＞
次に、主制御装置１６２のメインＭＰＵ４０２にて遊技を進行させるために実行される各処理を説明する。かかるメインＭＰＵ４０２の処理としては大別して、電源投入に伴い起動されるメイン処理と、定期的に起動されるタイマ割込み処理とがある。
【０３２１】
＜メイン処理＞
先ず、図２６のフローチャートを参照しながらメイン処理を説明する。
【０３２２】
先ずステップＳ１０１では、電源投入ウェイト処理を実行する。当該電源投入ウェイト処理では、例えばメイン処理が起動されてから１ｓｅｃが経過するまで次の処理に進行することなく待機する。続くステップＳ１０２ではＲＡＭ４０４のアクセスを許可するとともに、ステップＳ１０３にてメインＭＰＵ４０２の内部機能レジスタの設定を行う。
【０３２３】
その後、ステップＳ１０４では、電源・発射制御装置１９１に設けられたＲＷＭ消去スイッチが手動操作されているか否かを判定し、続くステップＳ１０５では、ＲＡＭ４０４の停電フラグに「１」がセットされているか否かを判定する。また、ステップＳ１０６ではチェックサムを算出するチェックサム算出処理を実行し、続くステップＳ１０７ではそのチェックサムが電源遮断時に保存したチェックサムと一致するか否か、すなわち記憶保持されたデータの有効性を判定する。
【０３２４】
本パチンコ機１０では、例えば遊技ホールの営業開始時など、電源投入時にＲＷＭデータを初期化する場合にはＲＷＭ消去スイッチを押しながら電源が投入される。したがって、ＲＷＭ消去スイッチが押されていれば、ステップＳ１０８の処理に移行する。また、電源遮断の発生情報が設定されていない場合や、チェックサムにより記憶保持されたデータの異常が確認された場合も同様にステップＳ１０８の処理に移行する。ステップＳ１０８では、ＲＡＭ４０４の初期化として当該ＲＡＭ４０４をクリアする。その後、ステップＳ１０９に進む。
【０３２５】
一方、ＲＷＭ消去スイッチが押されていない場合には、停電フラグに「１」がセットされていること、及びチェックサムが正常であることを条件に、ステップＳ１０８の処理を実行することなくステップＳ１０９に進む。ステップＳ１０９では、電源投入設定処理を実行する。電源投入設定処理では、停電フラグの初期化といったＲＡＭ４０４の所定のエリアを初期値に設定するとともに、現状の遊技状態を認識させるために現状の遊技状態に対応したコマンドを報知・演出制御装置１４３に送信する。また、払出制御装置１８１のＲＷＭの初期化を実行すべきことを示す払出初期化コマンドを払出制御装置１８１に送信する。さらに、タイマ割込み処理の発生を許可するために割込み許可の設定を行う。
【０３２６】
その後、ステップＳ１１０〜ステップＳ１１３の残余処理に進む。つまり、メインＭＰＵ４０２はタイマ割込み処理を定期的に実行する構成であるが、１のタイマ割込み処理と次のタイマ割込み処理との間に残余時間が生じることとなる。この残余時間は各タイマ割込み処理の処理完了時間に応じて変動することとなるが、かかる不規則な時間を利用してステップＳ１１０〜ステップＳ１１３の残余処理を繰り返し実行する。この点、当該ステップＳ１１０〜ステップＳ１１３の残余処理は非定期的に実行される非定期処理であると言える。
【０３２７】
残余処理では、先ずステップＳ１１０にて、タイマ割込み処理の発生を禁止するために割込み禁止の設定を行う。続くステップＳ１１１では、乱数初期値カウンタＣＩＮＩの更新を行う乱数初期値更新処理を実行するとともに、ステップＳ１１２にて変動種別カウンタＣＳの更新を行う変動用カウンタ更新処理を実行する。これらの更新処理では、ＲＡＭ４０４の対応するカウンタから現状の数値情報を読み出し、その読み出した数値情報を１加算する処理を実行した後に、読み出し元のカウンタに上書きする処理を実行する。この場合、カウンタ値が最大値に達した際それぞれ「０」にクリアする。その後、ステップＳ１１３にて、タイマ割込み処理の発生を禁止している状態から許可する状態へ切り換える割込み許可の設定を行う。ステップＳ１１３の処理を実行したら、ステップＳ１１０に戻り、ステップＳ１１０〜ステップＳ１１３の処理を繰り返す。
【０３２８】
＜タイマ割込み処理＞
次に、図２７のフローチャートを参照しながらタイマ割込み処理を説明する。
【０３２９】
ここで、メインＭＰＵ４０２にてタイマ割込み処理を定期的に実行するためのハード構成について説明する。主制御基板４０１には所定周期でパルス信号を出力するパルス信号出力手段としてクロック回路が設けられており、さらに当該クロック回路とメインＭＰＵ４０２との間の信号経路の途中位置に存在するように分周回路が設けられている。
【０３３０】
分周回路は、クロック回路からのパルス信号の周期を変更する周波数変更手段として機能し、タイマ割込み処理の起動タイミングをメインＭＰＵ４０２にて特定するためのパルス信号を出力するように構成されている。つまり、分周回路からメインＭＰＵ４０２に対して特定周期である４ｍｓｅｃ周期の間隔でパルス信号が供給されるようになっている。メインＭＰＵ４０２では、かかるパルス信号の立ち上がり又は立下りといった特定の信号形態の発生を確認する処理を実行し、特定の信号形態の発生を確認したことを少なくとも一の条件としてタイマ割込み処理を起動して実行する。
【０３３１】
この場合、タイマ割込み処理の起動が禁止されている状況において上記特定の信号形態の発生を確認した場合には、その割込みが禁止されている状態から割込みが許可された状態となった場合にタイマ割込み処理が起動される。つまり、メインＭＰＵ４０２における処理の実行状況によっては前回のタイマ割込み処理が開始されてから４．１ｍｓｅｃ経過後に次のタイマ割込み処理が開始される場合が生じ、このような事象が発生した場合には次のタイマ割込み処理は直前のタイマ割込み処理が開始されてから３．９ｍｓｅｃ経過後に開始されることとなる。
【０３３２】
但し、上記分周回路からのパルス信号の出力はメインＭＰＵ４０２における処理の経過内容に関係なく４ｍｓｅｃといった特定周期で行われるため、基本的にはタイマ割込み処理は特定周期で起動される。さらにまた、メインＭＰＵ４０２の処理構成は、所定のタイミングにおけるタイマ割込み処理が前回のタイマ割込み処理が起動されてから特定周期を超える期間が経過した後に起動されたとしても、当該所定のタイミングの次のタイミングにおけるタイマ割込み処理にてその特定周期を超えた分が吸収されて、さらに次のタイミングにおけるタイマ割込み処理ではパルス信号の入力を確認したタイミングで起動されるように設定されている。
【０３３３】
さて、タイマ割込み処理では、先ずステップＳ２０１にて停電情報記憶処理を実行する。停電情報記憶処理では、停電監視基板４０５から電源遮断の発生に対応した停電信号を受信しているか否かを監視し、停電の発生を特定した場合には停電時処理を実行する。
【０３３４】
続くステップＳ２０２では抽選用乱数更新処理を実行する。抽選用乱数更新処理では、大当たり乱数カウンタＣ１、大当たり種別カウンタＣ２、リーチ乱数カウンタＣ３及び電動役物開放カウンタＣ４の更新を実行する。具体的には、大当たり乱数カウンタＣ１、大当たり種別カウンタＣ２、リーチ乱数カウンタＣ３及び電動役物開放カウンタＣ４から現状の数値情報を順次読み出し、それら読み出した数値情報をそれぞれ１加算する処理を実行した後に、読み出し元のカウンタに上書きする処理を実行する。この場合、カウンタ値が最大値に達した際それぞれ「０」にクリアする。
【０３３５】
その後、ステップＳ２０３ではステップＳ１１１と同様に乱数初期値更新処理を実行するとともに、ステップＳ２０４にてステップＳ１１２と同様に変動用カウンタ更新処理を実行する。続くステップＳ２０５では、遊技停止判定処理を実行する。遊技停止判定処理では、遊技の進行を停止すべき状況であるか否かを監視し、遊技の進行を停止すべき状況であれば遊技を進行させるための処理の実行を停止する。
【０３３６】
その後、ステップＳ２０６では遊技の進行を停止している状態であるか否かを判定し、遊技の進行を停止していない状態であることを条件に、ステップＳ２０７以降の処理を実行する。
【０３３７】
ステップＳ２０７では、ポート出力処理を実行する。ポート出力処理では、前回のタイマ割込み処理において出力情報の設定が行われている場合に、その出力情報に対応した出力を可変入賞装置６４及び電動役物７１に行うための処理を実行する。例えば、可変入賞装置６４の大入賞口を開放状態に切り換えるべき情報が設定されている場合には可変入賞装置６４への駆動信号の出力を開始させ、閉鎖状態に切り換えるべき情報が設定されている場合には当該駆動信号の出力を停止させる。また、下作動口６３の電動役物７１を開放状態に切り換えるべき情報が設定されている場合には電動役物７１への駆動信号の出力を開始させ、閉鎖状態に切り換えるべき情報が設定されている場合には当該駆動信号の出力を停止させる。
【０３３８】
続くステップＳ２０８では、読み込み処理を実行する。読み込み処理では、停電信号及び入賞信号以外の信号の読み込みを実行し、その読み込んだ情報を今後の処理にて利用するために記憶する。
【０３３９】
続くステップＳ２０９では入賞検知処理を実行する。当該入賞検知処理では、一般入賞口６１等の各入賞検知センサから受信している信号を読み込むとともに、一般入賞口６１、可変入賞装置６４の大入賞口、上作動口６２、下作動口６３及びスルーゲート６５への入賞の有無を特定する処理を実行する。
【０３４０】
続くステップＳ２１０では、ＲＡＭ４０４に設けられている複数種類のタイマカウンタの数値情報をまとめて更新するためのタイマ更新処理を実行する。この場合、記憶されている数値情報が減算されて更新されるタイマカウンタを集約して扱う構成であるが、減算式のタイマカウンタの更新及び加算式のタイマカウンタの更新の両方を集約して行う構成としてもよい。
【０３４１】
続くステップＳ２１１では、不正用の監視対象として設定されている所定の事象が発生しているか否かを監視する不正検知処理を実行する。当該不正検知処理では、複数種類の事象の発生を監視し、所定の事象が発生していることを確認することで、次回のタイマ割込み処理における上記ステップＳ２０５にて遊技停止用の設定を行い、ステップＳ２０６にて肯定判定するようになる。
【０３４２】
続くステップＳ２１２では、遊技球の発射制御を行うための発射制御処理を実行する。遊技球発射ハンドル４１に対して発射操作が継続されている状況では、既に説明したとおり、所定の発射周期である０．６ｓｅｃに１個の遊技球が発射される。
【０３４３】
続くステップＳ２１３では、入力状態監視処理として、ステップＳ２０８の読み込み処理にて読み込んだ情報に基づいて、各入賞検知センサの断線確認や、遊技機主部１２や前扉枠１４の開放確認を行う。
【０３４４】
続くステップＳ２１４では、遊技回の実行制御及び開閉実行モードの実行制御を行うための特図特電制御処理を実行する。当該特図特電制御処理では、保留球格納エリア４２２に記憶されている保留情報の数が上限数未満である状況で上作動口６２又は下作動口６３への入賞が発生した場合に、その時点における大当たり乱数カウンタＣ１、大当たり種別カウンタＣ２及びリーチ乱数カウンタＣ３の各数値情報を保留情報として、保留球格納エリア４２２に時系列的に格納していく処理を実行する。また、特図特電制御処理では、遊技回中及び開閉実行モード中ではなく且つ保留情報が記憶されていることを条件に、その保留情報が大当たり当選に対応しているか否かを判定する当否判定処理、及び大当たり当選に対応している場合にはその保留情報がいずれの大当たり結果に対応しているのかを判定する振分判定処理を実行する。また、特図特電制御処理では、当否判定処理及び振分判定処理だけでなく、その保留情報が大当たり当選に対応していない場合には、その保留情報がリーチ発生に対応しているか否かを判定するリーチ判定処理を実行するとともに、その時点における変動種別カウンタＣＳの数値情報を利用して遊技回の継続時間を選択する継続時間の選択処理を実行する。そして、それら各処理の結果に応じた継続時間の情報を含む変動用コマンドと、遊技結果の情報を含む種別コマンドとを、報知・演出制御装置１４３に送信するとともに、主表示ユニット８１における絵柄の変動表示を開始させる。これにより、１遊技回が開始された状態となり、主表示ユニット８１及び図柄表示装置７５にて遊技回用の演出が開始される。
【０３４５】
また、特図特電制御処理では、１遊技回の実行中にはその遊技回の終了タイミングであるか否かを判定し、終了タイミングである場合には遊技結果に対応した表示を行った状態で、その遊技回を終了させる処理を実行する。この場合、遊技回を終了させるべきことを示す最終停止コマンド（又は確定コマンド）を報知・演出制御装置１４３に送信する。また、特図特電制御処理では、遊技回の結果が開閉実行モードへの移行に対応した結果である場合には、当該開閉実行モードを開始させるための処理を実行する。この開始に際しては、開閉実行モードが開始されることを示すオープニングコマンドを報知・演出制御装置１４３に送信する。また、特図特電制御処理では、各ラウンド遊技を開始させるための処理及び各ラウンド遊技を終了させるための処理を実行する。これら各処理に際して、ラウンド遊技が開始されること（又は可変入賞装置６４が開放状態となること）を示す開放コマンドを報知・演出制御装置１４３に送信するとともに、ラウンド遊技が終了されること（又は可変入賞装置６４が閉鎖状態となること）を示す閉鎖コマンドを報知・演出制御装置１４３に送信する。また、特図特電制御処理では、開閉実行モードを終了させる場合にそのことを示すエンディングコマンドを報知・演出制御装置１４３に送信するとともに、開閉実行モード後の当否抽選モードやサポートモードを設定するための処理を実行する。
【０３４６】
タイマ割込み処理においてステップＳ２１４の特図特電制御処理を実行した後は、ステップＳ２１５にて普図普電制御処理を実行する。普図普電制御処理では、スルーゲート６５への入賞が発生している場合に普図側の保留情報を取得するための処理を実行するとともに、普図側の保留情報が記憶されている場合にその保留情報について開放判定を行い、さらにその開放判定を契機として普図用の演出を行うための処理を実行する。また、開放判定の結果に基づいて、下作動口６３の電動役物７１を開閉させる処理を実行する。
【０３４７】
続くステップＳ２１６では、直前のステップＳ２１４及びステップＳ２１５の処理結果に基づいて、主表示ユニット８１に係る保留情報の増減個数を保留数表示部に反映させるための出力情報の設定を行うとともに、主表示ユニット８１に係る保留情報の増減個数を保留数表示部に反映させるための出力情報の設定を行う。また、ステップＳ２１６では、直前のステップＳ２１４及びステップＳ２１５の処理結果に基づいて、主表示ユニット８１の表示内容を更新させるための出力情報の設定を行うとともに、主表示ユニット８１の表示内容を更新させるための出力情報の設定を行う。
【０３４８】
続くステップＳ２１７では、遊技回及び開閉実行モードのいずれもが実行されていない状況において図柄表示装置７５の表示内容を待機表示用のものとするためのデモ表示用処理を実行するとともに、ステップＳ２１８では、払出制御装置１８１から受信したコマンド及び信号の内容を確認し、その確認結果に対応した処理を行うための払出状態受信処理を実行する。また、ステップＳ２１９では、賞球コマンドを出力対象として設定するための払出出力処理を実行する。
【０３４９】
続くステップＳ２２０では、今回のタイマ割込み処理にて実行された各種処理の処理結果に応じた外部信号の出力の開始及び終了を制御するための外部情報設定処理を実行する。また、ステップＳ２２１では、試射試験情報を編集するための処理を実行する。
【０３５０】
ステップＳ２０６にて肯定判定をした場合、又はステップＳ２０７〜ステップＳ２２１の処理を実行した後は、ステップＳ２２２に進む。ステップＳ２２２では、割込み終了宣言の設定を実行する。メインＭＰＵ４０２では、一度タイマ割込み処理が起動された場合、次のタイマ割込み処理が起動されるための条件の１つとして割込み終了宣言の設定を行うことが定められており、ステップＳ２２２では、次のタイマ割込み処理の実行を可能とするために割込み終了宣言の設定を行う。また、ステップＳ２２３では、割込み許可の設定を行う。メインＭＰＵ４０２では、タイマ割込み処理が一旦起動されると、割込み禁止の状態に設定されるため、ステップＳ２２３では、次のタイマ割込み処理の実行を可能とするために割込み許可の設定を行う。その後、本タイマ割込み処理を終了する。
【０３５１】
＜特図特電制御処理＞
次に、タイマ割込み処理（図２７）のステップＳ２１４にて実行される特図特電制御処理について説明する。
【０３５２】
特図特電制御処理では、上作動口６２又は下作動口６３への入賞が発生している場合に保留情報を取得するための処理を実行するとともに、保留情報が記憶されている場合にその保留情報について当否判定を行い、さらにその当否判定を契機として遊技回用の演出を行うための処理を実行する。また、当否判定の結果に基づいて、遊技回用の演出後に開閉実行モードに移行させる処理を実行するとともに、開閉実行モード中及び開閉実行モード終了時の処理を実行する。
【０３５３】
図２８のフローチャートに示すように、先ずステップＳ６０１にて、保留情報の取得処理を実行する。保留情報の取得処理では、上作動口６２又は下作動口６３への入賞が発生しているか否かを判定し、入賞が発生している場合には保留球格納エリア４２２における保留数が上限値（本実施の形態では「４」）未満であるか否かを判定する。保留数が上限値未満である場合には、保留数を１加算するとともに、タイマ割込み処理（図２７）の前回のステップＳ２０２にて更新した大当たり乱数カウンタＣ１、大当たり種別カウンタＣ２及びリーチ乱数カウンタＣ３の各数値情報を、保留用エリアＲＥの空き保留エリアＲａ１〜Ｒａ４，Ｒｂ１〜Ｒｂ４のうち最初の保留エリアに格納する。
【０３５４】
なお、上作動口６２及び下作動口６３への入賞が同時に発生している場合には、保留情報の取得処理を１回実行する範囲内において、上記保留情報を取得するための処理を複数回実行する。
【０３５５】
ステップＳ３０１にて保留情報の取得処理を実行した後は、ステップＳ３０２、Ｓ３０３に進む。ステップＳ３０２及びステップＳ３０３では、上作動口６２又は下作動口６３への入賞が発生したことを報知・演出制御装置１４３及び表示制御装置１７０に認識させるための処理である保留予告用の確認処理及び保留コマンドの設定処理を実行する。
【０３５６】
ステップＳ３０３の保留コマンドの設定処理にて設定された保留コマンドは報知・演出制御装置１４３に送信される。なお、ステップＳ３０２，Ｓ３０３の各処理についての詳細な説明は後述する。
【０３５７】
続くステップＳ３０４では、ＲＡＭ４０４に設けられた特図特電カウンタの情報を読み出す処理を実行し、ステップＳ３０５にてＲＰＭ４０３から特図特電アドレステーブルを読み出す処理を実行する。そして、ステップＳ３０６にて、特図特電アドレステーブルから特図特電カウンタの情報に対応した開始アドレスを取得する処理を実行する。
【０３５８】
ここで、ステップＳ３０４〜ステップＳ３０６の処理内容について説明する。
【０３５９】
既に説明したとおり特図特電制御処理には、遊技回用の演出に係る処理と、開閉実行モードに係る処理と、が含まれている。この場合に、遊技回用の演出に係る処理として、遊技回用の演出を開始させるための処理である特図変動開始処理（ステップＳ３０８）と、遊技回用の演出を進行させるための処理である特図変動中処理（ステップＳ３０９）と、遊技回用の演出を終了させるための処理である特図確定中処理（ステップＳ３１０）と、が設定されている。
【０３６０】
また、開閉実行モードに係る処理として、開閉実行モードのオープニングを制御するための処理である特電開始処理（ステップＳ３１１）と、可変入賞装置６４の大入賞口の開放中の状態を制御するための処理である特電開放中処理（ステップＳ３１２）と、大入賞口の閉鎖中の状態を制御するための処理である特電閉鎖中処理（ステップＳ３１３）と、開閉実行モードのエンディング及び開閉実行モード終了時の遊技状態の移行を制御するための処理である特電終了処理（ステップＳ３１４）と、が設定されている。
【０３６１】
このような処理構成において、特図特電カウンタは、上記複数種類の処理のうちいずれを実行すべきであるかをメインＭＰＵ４０２にて把握するためのカウンタであり、特図特電アドレステーブルには、特図特電カウンタの数値情報に対応させて、上記複数種類の処理を実行するためのプログラムの開始アドレスが設定されている。
【０３６２】
この場合、開始アドレスＳＡ０は、特図変動開始処理（ステップＳ３０８）を実行するためのプログラムの開始アドレスであり、開始アドレスＳＡ１は、特図変動中処理（ステップＳ３０９）を実行するためのプログラムの開始アドレスであり、開始アドレスＳＡ２は、特図確定中処理（ステップＳ３１０）を実行するためのプログラムの開始アドレスであり、開始アドレスＳＡ３は、特電開始処理（ステップＳ３１１）を実行するためのプログラムの開始アドレスであり、開始アドレスＳＡ４は、特電開放中処理（ステップＳ３１２）を実行するためのプログラムの開始アドレスであり、開始アドレスＳＡ５は、特電閉鎖中処理（ステップＳ３１３）を実行するためのプログラムの開始アドレスであり、開始アドレスＳＡ６は、特電終了処理（ステップＳ３１４）を実行するためのプログラムの開始アドレスである。
【０３６３】
特図特電カウンタは、現状格納されている数値情報に対応した処理を終了した場合に当該数値情報を更新すべき条件が成立していることを契機として、その次の処理回における特図特電制御処理にて実行される処理に対応させて、１加算、１減算又は「０」クリア（初期化）される。したがって、各処理回における特図特電制御処理では、特図特電カウンタにセットされている数値情報に応じた処理を実行すればよいこととなる。
【０３６４】
ステップＳ３０６の処理を実行した後は、ステップＳ３０７にて、ステップＳ３０６において取得した開始アドレスの示す処理にジャンプする処理を実行する。具体的には、取得した開始アドレスがＳＡ０である場合にはステップＳ３０８の特図変動開始処理にジャンプする。
【０３６５】
特図変動開始処理では、保留情報が保留記憶されていることを条件に、その保留情報を保留球格納エリア４２２の実行エリアＡＥにシフトする処理を実行するとともに、各保留エリアＲａ１〜Ｒａ４，Ｒｂ１〜Ｒｂ４のデータを上位側（すなわち第１エリアＲａ１，Ｒｂ１側）にシフトする処理を実行する。その後、実行エリアＡＥにシフトされた保留情報について、大当たり当選に対応しているか否かを判定する当否判定処理、及び大当たり当選に対応している場合にはその保留情報がいずれの大当たり結果に対応しているのかを判定する振分判定処理を実行する。当否判定処理に際しては、保留情報において大当たり乱数カウンタＣ１から取得した数値情報が、大当たり当選に対応した数値情報であるか否かの判定を行う。また、振分判定処理に際しては、保留情報において大当たり種別カウンタＣ２から取得した数値情報が、いずれの大当たり結果の区分に対応しているか否かの判定を行う。
【０３６６】
当否判定処理及び振分判定処理だけでなく、その保留情報が大当たり当選に対応していない場合には、その保留情報がリーチ発生に対応しているか否かを判定するリーチ判定処理を実行するとともに、その時点における変動種別カウンタＣＳの数値情報を利用して遊技回の継続時間を選択する継続時間の選択処理を実行する。なお、リーチ判定処理に際しては、保留情報においてリーチ乱数カウンタＣ３から取得した数値情報が、リーチ発生の数値情報に対応しているか否かの判定を行う。
【０３６７】
継続時間の情報を選択した場合には、当該継続時間の情報を含む変動用コマンドと遊技結果の情報を含む種別コマンドとを報知・演出制御装置１４３に送信するとともに、主表示ユニット８１における絵柄の変動表示を開始させる。これにより、１遊技回が開始された状態となり、主表示ユニット８１及び図柄表示装置７５にて遊技回用の演出が開始される。
【０３６８】
ちなみに、このように遊技回用の演出を開始させた場合には、特図特電カウンタの数値情報を１加算することで、当該カウンタの数値情報を特図変動開始処理に対応したものから特図変動中処理に対応したものに更新する。
【０３６９】
取得した開始アドレスがＳＡ１である場合にはステップＳ３０９の特図変動中処理にジャンプする。特図変動中処理では、遊技回の継続時間中であって、確定表示前のタイミングであるか否かを判定する処理を実行し、確定表示前であれば主表示ユニット８１における絵柄の表示態様を規則的に変化させるための処理を実行する。
【０３７０】
ちなみに、確定表示させるタイミングとなるまで特図変動中処理にて待機するのではなく、確定表示させるタイミングではない場合には上記規則的に変化させるための処理を実行した後に、本特図変動中処理を終了する。したがって、遊技回用の演出が開始された後は、確定表示させるタイミングとなるまで、特図特電制御処理が起動される度に特図変動中処理が起動される。また、確定表示させるタイミングとなった場合には、特図特電カウンタの数値情報を１加算することで、当該カウンタの数値情報を特図変動中処理に対応したものから特図確定中処理に対応したものに更新する。
【０３７１】
取得した開始アドレスがＳＡ２である場合にはステップＳ３１０の特図確定中処理にジャンプする。特図確定中処理では、図柄表示装置７５にて今回の遊技回の停止結果を最終停止表示させるために、最終停止コマンドを報知・演出制御装置１４３に送信するとともに、主表示ユニット８１における絵柄の表示態様を今回の遊技回の抽選結果に対応した表示態様とする。また、特図確定中処理では、確定表示中の期間が経過したか否かを判定し、当該期間が経過している場合には開閉実行モードへの移行が発生するか否かの判定を行い、開閉実行モードへの移行が発生する場合には当該モード移行用の処理を実行する。
【０３７２】
ちなみに、確定表示中の期間が経過するまで特図確定中処理にて待機するのではなく、当該期間が経過していない場合には本特図確定中処理を終了する。したがって、確定表示が開始された後は、確定表示中の期間が経過するまで、特図特電制御処理が起動される度に特図確定中処理が起動される。また、確定表示中の期間が経過した場合には、開閉実行モードへの移行が発生しない状況では特図特電カウンタの数値情報を初期化（すなわち「０」クリア）し、開閉実行モードへの移行が発生する状況では特図特電カウンタの数値情報を１加算することで、当該カウンタの数値情報を特図確定中処理に対応したものから特電開始処理に対応したものに更新する。
【０３７３】
取得した開始アドレスがＳＡ３である場合にはステップＳ３１１の特電開始処理にジャンプする。特電開始処理では、開閉実行モードが開始されることを示すオープニングコマンドを報知・演出制御装置１４３に送信する。また、特電開始処理では、開閉実行モードのオープニング期間が経過したか否かを判定する。オープニング期間が経過していない場合には特電開始処理にて待機するのではなく本特電開始処理を終了する。したがって、開閉実行モードのオープニング演出が開始された後は、オープニング期間が経過するまで、特図特電制御処理が起動される度に特電開始処理が起動される。また、オープニング期間が経過した場合には、特図特電カウンタの数値情報を１加算することで、当該カウンタの数値情報を特電開始処理に対応したものから特電開放中処理に対応したものに更新する。
【０３７４】
取得した開始アドレスがＳＡ４である場合にはステップＳ３１２の特電開放中処理にジャンプする。特電開放中処理では、１のラウンド遊技を開始させるとともに、当該ラウンド遊技の終了条件が成立したか否かを判定する。終了条件が成立していない場合には特電開放中処理にて待機するのではなく、上記終了条件の成立を監視するための処理を実行した後に本特電開放中処理を終了する。上記終了条件が成立している場合には、特図特電カウンタの数値情報を１加算することで、当該カウンタの数値情報を特電開放中処理に対応したものから特電閉鎖中処理に対応したものに更新する。
【０３７５】
取得した開始アドレスがＳＡ５である場合にはステップＳ３１３の特電閉鎖中処理にジャンプする。特電閉鎖中処理では、１のラウンド遊技を終了させる処理を実行する。また、ラウンド遊技間のインターバル期間においては、インターバル期間が経過したか否かを判定する。インターバル期間が経過していない場合には特電閉鎖中処理にて待機するのではなく本特電閉鎖中処理を終了する。したがって、インターバル期間が開始された場合には当該期間が経過するまで、特図特電制御処理が起動される度に特電閉鎖中処理が起動される。また、インターバル期間が経過した場合には、特図特電カウンタの数値情報を１減算することで、当該カウンタの数値情報を特電閉鎖中処理に対応したものから特電開放中処理に対応したものに更新する。
【０３７６】
一方、最後のラウンド遊技に対する特電閉鎖中処理では１のラウンド遊技を終了させる処理を実行した後に、特図特電カウンタの数値情報を１加算することで、当該カウンタの数値情報を特電閉鎖中処理に対応したものから特電終了処理に対応したものに更新する。
【０３７７】
取得した開始アドレスがＳＡ６である場合にはステップＳ３１４の特電終了処理にジャンプする。特電終了処理では、開閉実行モードが終了されることを示すエンディングコマンドを報知・演出制御装置１４３に送信する。また、特電終了処理では、開閉実行モードのエンディング期間が経過したか否かを判定する。エンディング期間が経過していない場合には特電終了処理にて待機するのではなく本特電終了処理を終了する。したがって、開閉実行モードのエンディング演出が開始された後は、エンディング期間が経過するまで、特図特電制御処理が起動される度に特電終了処理が起動される。また、エンディング期間が経過した場合には、開閉実行モード後の遊技状態（当否抽選モード及びサポートモード）を設定するための処理を実行した後に、特図特電カウンタの数値情報を初期化することで、当該カウンタの数値情報を特電終了処理に対応したものから特図変動開始処理に対応したものに更新する。
【０３７８】
次に、遊技回用の演出として、図柄表示装置７５（表示画面７５ａ）にて表示される図柄の変動表示態様について、図２９を参照しつつ説明する。図２９（ａ）は変動表示態様の種類を示す概略図、図２９（ｂ）群は各変動表示態様の概要を示す概略図である。
【０３７９】
図２９（ａ）に示すように、図柄表示装置７５の表示画面７５ａにて実行される図柄の変動表示態様については、完全外れ，ノーマルリーチＡ，ノーマルリーチＢ，スーパーリーチＡ，スーパーリーチＢ，スーパーリーチＣの５つに大別される。これら各変動表示態様については、変動表示時間が異なるように設定されており、主制御装置１６２からのコマンドに付与され変動表示時間に係る情報に基づいて遊技回毎の変動表示態様の概要を把握可能となっている。
【０３８０】
具体的には、完全外れの変動表示時間については「３ｓｅｃ〜８ｓｅｃ」（保留数に応じて差が設定されている）、ノーマルリーチＡの変動表示時間については「１０ｓｅｃ」、ノーマルリーチＢの変動表示時間についてはノーマルリーチＡの変動表示時間よりも長い「１５ｓｅｃ」、スーパーリーチＡの変動表示時間についてはノーマルリーチＡ，Ｂの変動表示時間よりも長い「１６ｓｅｃ」、スーパーリーチＢの変動表示時間についてはスーパーリーチＡの変動表示時間よりも長い「１７ｓｅｃ」、スーパーリーチＣの変動表示時間については他のスーパーリーチＡ，Ｂの変動表示時間よりも長い「１８ｓｅｃ」となっており、変動表示時間が長くなるにつれて大当たりの当選期待度が高くなるように設定されている。例えば、主制御装置１６２からのコマンドに付与された変動表示時間に関する情報が「１５ｓｅｃ」である場合には、表示制御装置１７０にてノーマルリーチＢを実行すべき旨が把握されることとなる。
【０３８１】
ここで、図２９（ｂ１）を参照してノーマルリーチＡ，Ｂの変動表示態様について説明する。ノーマルリーチＡ，Ｂが選択された場合には、先ず停止表示されている全ての図柄列の変動表示（スクロール表示）を開始し、その後、上段の図柄列Ｚ１において図柄の変動表示を終了し（停止表示させ）、さらに下段の図柄列Ｚ３において図柄の変動表示を終了する（停止表示させる）。このようにして上下の図柄列Ｚ１，Ｚ３を停止表示した状態において、いずれかの有効ラインに同一の数字が付された主図柄が停止表示されることでリーチラインが形成される。そして、当該リーチラインが形成されている状況下において中段の図柄列Ｚ２の変動表示が行われることでリーチ表示となる。リーチ表示となった後、中段の図柄列Ｚ２を停止表示することにより、変動表示が終了する。そして、リーチライン上に当該リーチ表示を構成している図柄と同一の図柄が停止することで大当たりに当選した旨が報知され、同リーチライン上にそれ以外の図柄が停止することで大当たりに当選していない旨が報知されることとなる。このようにして、最終停止表示された図柄の組み合わせについては所定期間に亘ってそのまま維持される。つまり、停止表示期間が経過するまでは今回の遊技回が続いており、当該停止表示期間が経過することにより次の遊技回への移行が許容されることとなる。
【０３８２】
本実施の形態においてはリーチラインが形成された後の中図柄列Ｚ２の変動表示時間に差を設定することにより、ノーマルリーチＡとノーマルリーチＢとの変動表示時間の差が確保されているが、両者の差の設定の仕方については任意である。例えば、変動表示が開始されてからリーチラインが形成されるまでの時間に差を設定することにより、上記変動表示時間の差を確保することも可能である。
【０３８３】
次に、上述したノーマルリーチＡ，Ｂの変動表示態様を踏まえてスーパーリーチＡ，Ｂ，Ｃの変動表示態様について説明する。図２９（ｂ２）〜（ｂ４）に示すように、スーパーリーチＡ，Ｂ，Ｃについては、ノーマルリーチＡ，Ｂと同様の過程を経て上述したリーチラインを形成する。そして、リーチラインを形成した後、中図柄列Ｚ２の変動表示に併せて、所定のキャラクタを動画として表示することによりリーチ演出を行う構成となっている。具体的には、スーパーリーチＡにおいてはリーチラインが形成された後、中図柄列Ｚ２の変動表示領域の中央（変動表示領域ＭＥの中央）に妖精を模したキャラクタが表示され、スーパーリーチＢにおいてはリーチラインが形成された後、中図柄列Ｚ２の変動表示領域の中央（変動表示領域ＭＥの中央）に男の子を模したキャラクタが表示され、スーパーリーチＣにおいてはリーチラインが形成された後、中図柄列Ｚ２の変動表示領域の中央（変動表示領域ＭＥの中央）に女の子を模したキャラクタが表示されることとなる。
【０３８４】
＜保留予告用の確認処理＞
次に、特電特図制御処理（図２８）のステップＳ３０２にて実行される保留予告用の確認処理について図３０のフローチャートを参照しながら説明する。
【０３８５】
保留予告用の確認処理においては、先ずステップＳ４０１にて、特図特電制御処理（図２８）での直前のステップＳ３０１における保留情報の取得処理にて新たに取得された保留情報を、メインＭＰＵ４０２のレジスタに記憶する。その後、ステップＳ４０２〜Ｓ４０６にて今回の入賞によって取得された保留情報に大当たり当選の情報が含まれているか否かを確認する。
【０３８６】
具体的には、先ずステップＳ４０２にて、上作動口６２又は下作動口６３への今回の入賞に基づき、新たに取得した保留情報のうち大当たり判定用の情報、すなわち取得済みの大当たり乱数カウンタＣ１の値を把握する。
【０３８７】
続くステップＳ４０３では、低確率モードであるか否かを判定する。具体的には、ＲＡＭ４０４の各種フラグ格納エリアに高確率モードフラグが格納されているか否かを判定することで、現状の当否抽選モードが低確率モードであるか否かを判定する。低確率モードである場合にはステップＳ４０４に進み、低確率モード用の当否テーブルを参照してステップＳ４０２にて把握した大当たり判定用の情報（大当たり乱数カウンタＣ１の値）が大当たり当選に対応する情報群に含まれているかを特定する。また、高確率モードである場合にはステップＳ４０５に進み、上述した高確率モード用の当否テーブルを参照して、大当たり乱数カウンタＣ１の値が大当たり当選として設定された情報に含まれているかを特定する。
【０３８８】
ステップＳ４０４又はステップＳ４０５の後はステップＳ４０６に進み、ステップＳ４０２にて把握した大当たり判定用の情報（大当たり乱数カウンタＣ１の値）が大当たり当選に対応しているか否かを判定する。大当たり当選に対応している場合には、ステップＳ４０７にてメインＭＰＵ４０２のレジスタに大当たり情報を記憶し、そのまま本保留予告用の確認処理を終了する。
【０３８９】
一方、ステップＳ４０６にて否定判定をした場合には、ステップＳ４０８に進む。ステップＳ４０８では、上作動口６２又は下作動口６３への今回の入賞に基づき、新たに取得した保留情報のうち外れリーチ判定用の情報、すなわち取得済みのリーチ乱数カウンタＣ３の値を把握する。
【０３９０】
続くステップＳ４０９では、ＲＰＭ４０３のリーチ判定用テーブル記憶エリア（リーチ判定用情報群記憶手段）に記憶されているリーチ判定用テーブル（リーチ判定用情報群）を参照して、ステップＳ４０８にて把握したリーチ判定用の情報（リーチ乱数カウンタＣ３の値）がリーチ当選として設定された情報に含まれているかを特定する。
【０３９１】
ステップＳ４０９の処理を実行した後はステップＳ４１０に進み、ステップＳ４０８にて把握したリーチ判定用の情報（リーチ乱数カウンタＣ３の値）がリーチ発生に対応しているか否かを判定する。リーチ発生に対応している場合には、ステップＳ４１１にて、メインＭＰＵ４０２のレジスタにリーチ発生情報を記憶した後に、本確認処理を終了する。一方、リーチ発生に対応していない場合には、そのまま本確認処理を終了する。
【０３９２】
＜保留コマンドの設定処理＞
次に、図３１のフローチャートを参照して保留コマンドの設定処理について説明する。
【０３９３】
保留コマンドの設定処理においては先ず、ステップＳ５０１にて、メインＭＰＵ４０２のレジスタに大当たり情報が記憶されているか否かを判定することで、特図特電制御処理（図２８）での直前の保留予告用の確認処理（図３０）において大当たり判定用の情報が大当たり当選に対応していると特定されたか否かを判定する。大当たり情報が記憶されている場合にはステップＳ５０２に進み、大当たり対応保留コマンドを設定する。なお、上記コマンドの設定や後述する各種コマンドの設定は、ＲＡＭ４０４に設けられたコマンド設定エリアに対してコマンド情報を格納することにより行われる。
【０３９４】
一方、ステップＳ５０１にて否定判定をした場合、すなわちメインＭＰＵ４０２のレジスタに大当たり情報が記憶されていないと判定した場合には、ステップＳ５０３に進み、メインＭＰＵ４０２のレジスタにリーチ発生情報が記憶されているか否かを判定することで、特図特電制御処理（図２８）での直前の保留予告用の確認処理（図３０）においてリーチ判定用の情報がリーチ発生に対応していると特定されたか否かを判定する。リーチ発生情報が記憶されている場合には、ステップＳ５０４にて外れリーチ対応保留コマンドを設定し、リーチ発生情報が記憶されていない場合には、ステップＳ５０５にて完全外れ対応保留コマンドを設定する。
【０３９５】
ステップＳ５０２，Ｓ５０４，Ｓ５０５にて保留コマンドの設定を行う場合には、記憶されている大当たり種別カウンタＣ２の値や変動種別カウンタＣＳの値等を参照して変動表示時間を決定し、同変動表示時間にかかる情報を当該保留コマンドに格納する。変動表示時間の決定に際しては、変動表示時間テーブルが参照される。このようにして設定された保留コマンドが表示制御装置１７０に送信され、同表示制御装置１７０においては同保留コマンドに基づいて図柄の変動表示態様等を把握可能となる。
【０３９６】
ステップＳ５０２、ステップＳ５０４、ステップＳ５０５のいずれかのコマンド設定処理を実行した後は、ステップＳ５０６にて、保留個数の情報を上記保留コマンドに対して設定する処理を実行する。かかる処理として具体的には、上記設定された保留コマンドの情報は、複数バイトの情報として構成されており、そのうちの一部のビットに対して、自身が保留コマンドである旨の情報や保留コマンドの種別の情報が含まれているとともに、保留個数の情報が設定可能となっている。この場合に、ステップＳ５０６では、先ず直前の保留予告用の確認処理（図３０）におけるステップＳ４０１にてメインＭＰＵ４０２のレジスタに記憶された保留個数の情報を読み出し、その後に、既に設定されている保留コマンドにおける保留個数の情報用のビットに対して上記読み出した保留個数の情報を論理和などの演算処理によって格納する。これにより、ステップＳ５０２、ステップＳ５０４、ステップＳ５０５のいずれかの処理にて設定された保留コマンドに対して、かかる保留コマンドに対応した保留情報が何個目のものであるかを特定するための情報が含まれることとなる。以上詳述したステップＳ５０６の処理を実行した後に、本保留コマンド設定処理を終了する。
【０３９７】
なお、ステップＳ５０６にて保留個数の情報が含められた保留コマンドは、報知・演出制御装置１４３に送信される。報知・演出制御装置１４３では、かかる保留コマンドを受信することにより、保留情報が増加したことを特定する。また、報知・演出制御装置１４３では、保留コマンドをその形態を維持したまま表示制御装置１７０に送信する。表示制御装置１７０では、その受信した保留コマンドに基づいて画像データ準備用の処理等を実行する。当該準備用の処理については後に詳細に説明する。
【０３９８】
また、保留コマンドの設定の仕方は、表示制御装置１７０において保留コマンドによって、大当たり当選の有無、大当たり当選の場合にはその際の大当たり種別、大当たり当選でない場合にはリーチ発生の有無等、言い換えれば図柄の変動表示態様を特定することができるのであれば任意である。例えば、大当たり対応保留コマンド，外れリーチ対応保留コマンド，完全外れ対応保留コマンドの組み合わせが、各保留個数に対応させて個別に設定されており、保留コマンドの設定処理では、保留予告用の確認処理（図３０）における確認結果に応じて一の保留コマンドを選択する構成とすることも可能である。
【０３９９】
＜払出状態受信処理＞
次に、タイマ割込み処理（図２７）のステップＳ２１８にて実行される払出状態受信処理について説明する。
【０４００】
ここで、払出制御装置１８１は、図３２のフローチャートにて示すような払出状態検知処理を定期的（例えば２ｍｓｅｃ周期）に実行しており、当該処理にて各種コマンドの受信に対応した処理を実行する。ここでは、まず、払出制御装置１８１による払出状態検知処理について説明し、その後、主制御装置１６２による払出状態受信処理について説明する。
【０４０１】
払出状態検知処理では、先ずステップＳ６０１にて賞球完了状態を検知しているか否かを判定する。具体的には、主制御装置１６２から受信した賞球コマンドの賞球数に対応した遊技球が払出装置２２２から払い出された（払い出しが完了した）ことを確認する。なお、払出装置２２２には、その下流側へと送り出される遊技球を個別に検知する払出検知センサが設けられており、その払出検知センサの出力結果に基づいて払い出しが完了したことの確認を行う。
【０４０２】
ステップＳ６０１にて肯定判定をした場合には、ステップＳ６０２にて払出モータ異常コマンドを送信データ記憶部に格納することで出力対象に設定する。ステップＳ６０１にて否定判定をした場合又はステップＳ６０２の実行後は、ステップＳ６０３にて下皿満杯状態を検知しているか否かを判定する。具体的には、満杯検知センサ２８０の出力結果を確認することによって下皿３４の満杯状態の検知を行っている。満杯検知センサ２８０は、下皿３４（及び前扉側下皿通路部２７３の下段横通路部２８６）に貯留されている遊技球が所定数よりも少ない場合には、非検知中に対応したＬＯＷレベルの入賞検知信号を出力するとともに、所定数以上である場合には、検知中に対応したＨＩレベルの入賞検知信号を出力する。ＬＯＷレベルからＨＩレベルへ検知信号が変化し、その後も複数処理回に亘ってＨＩレベルの検知信号が検出されている場合には、下皿満杯状態であると判断される。
【０４０３】
ステップＳ６０３にて肯定判定をした場合には、ステップＳ６０４にて下皿満杯コマンドを送信データ記憶部に格納することで出力対象に設定する。ステップＳ６０３にて否定判定をした場合又はステップＳ６０４の実行後は、ステップＳ６０５にて異常終了状態を検知しているか否かを判定する。具体的には、既に説明した払出モータ異常状態及び下皿満杯状態のいずれかの状態が検知された状態から、検知されていない状態となり、複数の処理回に亘って上記各状態が検知されていない場合には、異常終了状態であると判断される。
【０４０４】
ステップＳ６０５にて肯定判定をした場合には、ステップＳ６０６にて異常終了コマンドを送信データ記憶部に格納することで出力対象に設定する。ステップＳ６０５にて否定判定をした場合又はステップＳ６０６の実行後は、本払出状態検知処理を終了する。
【０４０５】
ここで、本パチンコ機１０では、電源・発射制御装置１９１からの電力は、主制御装置１６２のＲＡＭ４０４に供給されるが、払出制御装置１８１のＲＷＭには供給されない。当該構成とすることにより、電源・発射制御装置１９１の小容量化が図られ、それに伴ってパチンコ機１０のコストの削減が図られる。
【０４０６】
但し、当該構成においては、外部電源からのパチンコ機１０への電力供給が停止されると、払出制御装置１８１のＲＷＭに記憶されている情報は全て消去されてしまう（破壊されてしまう）。この場合、従来のパチンコ機のように未払出の賞球数の情報を全て払出制御装置１８１のＲＷＭに記憶しておく構成とすると、未払出の賞球数がある状況でパチンコ機１０への電力供給が停止された場合にはその未払出の賞球数の全てが払い出されることなく消去されてしまう。そうすると、遊技者に多大な不利益を及ぼすこととなってしまう。
【０４０７】
これに対して、本パチンコ機１０では、未払出の賞球情報は基本的にＲＡＭ４０４に記憶し、メインＭＰＵ４０２は払出制御装置１８１からＨＩレベルの払出許可信号を受信している場合に当該払出制御装置１８１に対して賞球コマンドを送信する。そして、払出制御装置１８１では、払出制御装置１８１のＲＷＭに記憶される賞球数の情報が、最大でも、１回の入賞に対する最大賞球数（１５個賞球数）と、後述する許可基準数との和となるように払出許可信号をＨＩレベルとＬＯＷレベルとの間で切り換えるタイミングを設定する。なお、この許可基準数は、１回の入賞に対する最小賞球数又はそれ未満となっている。これにより、未払出の賞球数が多数残っている状況でパチンコ機１０への電力供給が停止されたとしても、その際に消去される賞球数を極力少なくすることが可能となる。つまり、払出許可信号とは、メインＭＰＵ４０２において賞球コマンドの出力タイミングを特定するために、払出制御装置１８１からメインＭＰＵ４０２に出力される情報である。
【０４０８】
払出状態受信処理では、払出許可信号を含めて払出制御装置１８１から受信した情報に基づいて、当該払出制御装置１８１に対して賞球コマンドを出力可能な状況であるか否かの判定を行うための設定を行う。
【０４０９】
さて、主制御装置１６２により実行される払出状態受信処理では、図３３のフローチャートに示すように、先ずステップＳ７０１にて、払出制御装置１８１から下皿満杯コマンドを受信しているか否かを判定する。下皿満杯コマンドは、既に説明したとおり、満杯検知センサ２８０によって下皿３４の満杯状態が検知されている場合に払出制御装置１８１から送信されるものであり、払出異常コマンドに相当する。
【０４１０】
タンク球無しコマンドを受信している場合には、ステップＳ７０２にて払出異常用の処理を実行する。払出異常用の処理として、ＲＡＭ４０４に設けられた払出異常フラグに「１」をセットすることで、払出異常状態に設定する。また、下皿満杯コマンドを払出異常コマンドとしてサブ側の制御装置である報知・演出制御装置１４３に送信する。この場合、報知・演出制御装置１４３では当該払出異常コマンドの受信を契機として払出異常報知がランプ部２６〜２８やスピーカ部２９，３０にて実行される。なお、かかる払出異常報知が図柄表示装置７５にて実行されるようにしてもよい。
【０４１１】
ステップＳ７０１にて否定判定をした場合又はステップＳ７０２の処理を実行した後は、ステップＳ７０３にて、払出制御装置１８１から異常終了コマンドを受信しているか否かを判定する。異常終了コマンドは、既に説明したとおり、遊技球の払出に関して所定の異常が解除された場合に払出制御装置１８１から送信される。異常終了コマンドを受信している場合にはステップＳ７０４にて異常終了用の処理を実行する。具体的には、ＲＡＭ４０４の払出異常フラグを「０」クリアすることで、払出異常状態を解除する。
【０４１２】
払出異常用の処理として上記のように払出異常コマンドを送信する構成において、異常終了用の処理として、払出異常解除コマンドを報知・演出制御装置１４３に送信する。この場合、報知・演出制御装置１４３では既に実行している払出異常報知を終了させる。
【０４１３】
ステップＳ７０３にて否定判定をした場合又はステップＳ７０４の処理を実行した後は、ステップＳ７０５にて、払出制御装置１８１から賞球完了コマンドを受信している否かを判定する。賞球完了コマンドは、既に説明したとおり、賞球が完了した場合に払出制御装置１８１から送信されるとともに、その賞球が完了した個数の情報が含まれる。
【０４１４】
賞球完了コマンドを受信していない場合にはそのまま本払出状態受信処理を終了し、賞球完了コマンドを受信している場合にはステップＳ７０６にて賞球数の外部出力処理を実行した後に、本払出状態受信処理を終了する。賞球数の外部出力処理では、今回完了した賞球の個数の情報を遊技ホールの管理コンピュータに認識させる外部出力を行うための処理を実行する。
【０４１５】
なお、賞球完了コマンドが払出制御装置１８１から送信されない構成としてもよい。また、当該構成においては払出制御装置１８１も外部端子板２１３に対して電気的に接続し、賞球が完了したことやその完了した賞球数の情報の外部出力がメインＭＰＵ４０２を介することなく払出制御装置１８１にて実行される構成としてもよい。
【０４１６】
＜演出制御装置１４３による音出力制御処理＞
報知・演出制御装置１４３は、規制駆動部３６６の駆動に伴って規制部材３６３を閉状態に強制的に移行させることで、ホーン領域３７１からの音の放出よりも音通路３３３への遊技球の流出規制を優先することが可能になっている。また、規制部材３６３を閉状態に強制的に移行させることは、ホーン領域３７１からの音の放出を積極的に制限することにもなり、報知・演出制御装置１４３は、音放出の制限を音制限演出として演出に用いることが可能になっている。
【０４１７】
ここでは、報知・演出制御装置１４３により実行される報知及び演出制御処理について、図３４、図３５のフローチャートを参照しつつ説明する。
【０４１８】
図３４において、ステップＳ８０１では、主制御装置１６２から出力された保留コマンドに対応するための保留コマンド対応処理を行う。保留コマンド対応処理については、図３５のフローチャートを用いて説明する。なお、保留コマンド対応処理は、主制御装置１６２から報知・演出制御装置１４３へコマンドが送信された場合に同報知・演出制御装置１４３にて実行されるコマンド対応処理のうち保留コマンドに対応するものである。
【０４１９】
保留コマンド対応処理においては先ず、ステップＳ９０１にて大当たり対応コマンドを受信しているか否かを判定する。ここで、報知・演出制御装置１４３のサブＭＰＵ４３２ではコマンドを主制御装置１６２から受信するが、この受信したコマンドはＲＡＭ４３４のコマンド格納エリアに一旦格納される。当該コマンド格納エリアは、複数のコマンドを個別に記憶可能であって先に記憶したコマンドから読み出し可能なリングバッファとして構成されており、複数のコマンドを同時期に受信した場合であってもそれら各コマンドに対応した処理を良好に実行できるようになっている。ステップＳ９０１の判定に際しては、コマンド格納エリアにおける今回の読み出し対象のエリアに大当たり対応保留コマンドを受信しているか否かを判定する。なお、かかるコマンドの読み出しの構成は、以下のコマンドの読み出しにおいても同様である。
【０４２０】
大当たり対応保留コマンドを受信している場合には、ステップＳ９０２にて、今回受信したコマンドに含まれる保留個数の情報を特定し、その特定した保留個数の情報をＲＡＭ４３４の各種カウンタエリアに格納された消去用カウンタに設定する。当該消去用カウンタに設定された保留個数の情報は、後述するように、新たに遊技回が開始されるたびに１ディクリメントされるように更新される。
【０４２１】
ステップＳ９０２にて消去用カウンタの設定を行った後は、ステップＳ９０３〜Ｓ９０７にて、大当たり対応設定処理を実行する。
【０４２２】
大当たり対応設定処理では、先ずステップＳ９０３にて今回受信した保留コマンドがスーパーリーチＡ〜Ｃの何れかに対応しているか否かを判定する。本実施の形態では大当たりの当選期待度が異なるようにして図柄の変動表示態様が複数設定されており、各変動表示態様によって遊技回における大当たりの当選期待度が報知される構成が採用されているが、上記ステップＳ９０３においてはＲＯＭ４３３の変動表示パターン記憶エリアを参照して保留コマンドがスーパーリーチＡ〜Ｃに対応するものであるか否かを判定する。
【０４２３】
ステップＳ９０３にて否定判定をした場合には、そのまま本設定処理を終了する。一方、ステップＳ９０３にて肯定判定をした場合、すなわち保留情報の中にスーパーリーチＡ〜Ｃに対応するものがある場合には、ステップＳ９０４に進む。ステップＳ９０４ではＲＯＭ４３３の抽選用テーブル記憶エリアに記憶された大当たり対応の音制限演出の抽選処理用テーブルを参照し、続くステップＳ９０５にて、音制限演出を実行するか否かの抽選処理を実行する。
【０４２４】
具体的には、ＲＡＭ４３４の抽選用カウンタから音制限演出の抽選用カウンタの値を読み出し、ＲＯＭ４３３に記憶されている音制限演出の抽選用テーブル（音制限演出抽選用情報群）を参照して、上記読み出した抽選用カウンタの値が当選結果に対応しているか否かを判定する。なお、抽選用カウンタの値は、保留コマンド対応処理が起動される度に、すなわち約２ｍｓｅｃ周期で更新（１インクリメント）される構成となっている。
【０４２５】
ステップＳ９０５の処理を実行した後はステップＳ９０６に進み、音制限演出に当選したか否かを判定する。ステップＳ９０６にて否定判定をした場合には、そのまま本設定処理を終了する。一方、ステップＳ９０６にて肯定判定をした場合には、ステップＳ９０７に進み、音制限演出フラグをセットする。音制限演出フラグは、ＲＡＭ４３４の各種フラグ格納エリアにセットされるフラグであり、セットされていることで、大当たり対応保留コマンドを受信している場合（大当たりリーチ）において音制限演出を行うことを示すものである。
【０４２６】
ステップＳ９０７の処理を実行した後は、ステップＳ９０８に進み、ＲＡＭ４３４の保留情報格納エリア（詳しくは第１エリア〜第８エリアにおいて保留情報が格納されていないエリアのうち最も若いエリア）に大当たりに対応する保留情報（詳しくは、音制限演出の可否にかかる情報）をセットし、本保留コマンド対応処理を終了する。
【０４２７】
ここで、保留情報格納エリアにかかる構成について補足説明する。保留情報格納エリアは、上述の如く第１エリア〜第８エリアを有しており、各エリアにつき１の保留情報を格納可能な構成となっている。第１エリア〜第８エリアに格納された保留情報は、主制御装置１６２からシフト時コマンドを受信することにより、すなわち遊技回が開始された場合に、下位エリア側に順にシフトされることとなる。具体的には、第１エリアのデータをクリアするとともに、第２エリア→第１エリア、第３エリア→第２エリア、第４エリア→第３エリア  ・・・  第８エリア→第７エリアといった具合に各エリア内のデータがシフトされる。なお、主制御装置１６２の保留球格納エリアにおいては、上作動口用保留エリアと下作動口用保留エリアとが区別して設けられていたが、報知・演出制御装置１４３の保留情報格納エリアにおいては入球先に関係なく保留情報が時系列的にまとめて記憶される構成となっている。
【０４２８】
再びステップＳ９０１の説明に戻り、同ステップＳ９０１にて大当たり対応保留コマンドを受信していないと判定した場合には、ステップＳ９０９に進む。ステップＳ９０９では、外れリーチ対応保留コマンドを受信しているか否かを判定する。
【０４２９】
ステップＳ９０９にて肯定判定をした場合、すなわち外れリーチ対応保留コマンドを受信していると判定した場合にはステップＳ９１０〜Ｓ９１４にて、外れリーチ対応設定処理を実行する。
【０４３０】
外れリーチ対応設定処理では、先ずステップＳ９１０にて、今回受信した保留コマンドがスーパーリーチＡ〜Ｃの何れかに対応しているか否かを判定する。本実施の形態では大当たりの当選期待度が異なるようにして図柄の変動表示態様が複数設定されており、各変動表示態様によって遊技回における大当たりの当選期待度が報知される構成が採用されているが、上記ステップＳ９１０においてはＲＯＭ４３３の変動表示パターン記憶エリアを参照して保留コマンドがスーパーリーチＡ〜Ｃに対応するものであるか否かを判定する。
【０４３１】
ステップＳ９１０にて否定判定をした場合には、そのまま本設定処理を終了する。一方、ステップＳ９１０にて肯定判定をした場合、すなわち保留情報の中にスーパーリーチＡ〜Ｃに対応するものがある場合には、ステップＳ９１１に進む。ステップＳ９１１ではＲＯＭ４３３の抽選用テーブル記憶エリアに記憶された外れ対応の音制限演出の抽選処理用テーブルを参照し、続くステップＳ９１２にて上述した音制限演出を実行するか否かの抽選処理を実行する。
【０４３２】
具体的には、ＲＡＭ４３４の抽選用カウンタから音制限演出の抽選用カウンタの値を読み出し、ＲＯＭ４３３に記憶されている音制限演出の抽選用テーブルを参照して、上記読み出した抽選用カウンタの値が当選結果に対応しているか否かを判定する。なお、抽選用カウンタの値は、保留コマンド対応処理が起動される度に、すなわち約２ｍｓｅｃ周期で更新（１インクリメント）される構成となっている。
【０４３３】
ステップＳ９１２の処理を実行した後はステップＳ９１３に進み、音制限演出に当選したか否かを判定する。ステップＳ９１３にて否定判定をした場合には、そのまま本設定処理を終了する。一方、ステップＳ９１３にて肯定判定をした場合には、ステップＳ９１４に進み、音制限演出フラグをセットする。音制限演出フラグは、ＲＡＭ４３４の各種フラグ格納エリアにセットされるフラグであり、セットされていることで、外れリーチ対応保留コマンドを受信している場合（外れリーチ）において音制限演出を行うことを示すものである。
【０４３４】
ステップＳ９１４の処理を実行した後は、ステップＳ９０８に進み、ＲＡＭ４３４の保留情報格納エリア（詳しくは第１エリア〜第８エリアにおいて保留情報が格納されていないエリアのうち最も若いエリア）に外れに対応する保留情報（詳しくは、音制限演出の可否にかかる情報）をセットし、本保留コマンド対応処理を終了する。
【０４３５】
以上詳述した、保留コマンド対応処理においては、保留コマンドを参照して音制限演出を実行するか否かを決定し、その結果が保留情報格納エリアに記憶されることとなる。
【０４３６】
報知・演出制御装置１４３においては、主制御装置１６２から変動開始コマンドを受信した際に、改めて変動表示の態様等の演出態様を特定する構成となっている。この際、保留情報格納エリアにおいて当該変動開始コマンドに対応するエリアを参照して音制限演出を行うか否かを特定する。つまり、音制限演出の可否については変動開始コマンドを受信する前の保留コマンド受信時に特定される構成となっており、変動開始コマンドを受信した際には、その特定された結果を参照するに過ぎず再度音制限演出の抽選を行うことはない。
【０４３７】
図３４の説明に戻り、ステップＳ８０１の保留コマンド対応処理を行った後には、ステップＳ８０２に進み、下皿３４が満杯状態であるか否かの判定を行う。ここでは、主制御装置１６２から下皿満杯コマンドを受信しているか否かを判定し、受信している場合に下皿３４が満杯状態であると判定する。
【０４３８】
下皿３４が満杯状態である場合、ステップＳ８０３に進み、音通路３３３を閉状態に移行させる閉鎖処理を行う。この処理では、規制駆動部３６６を駆動させることで、規制部材３６３を閉状態に強制的に移行させる。これにより、規制部材３６３によりホーン領域３７１が音通路３３３側と前扉側下皿通路部２７３側とに仕切られた状態になる。
【０４３９】
なお、音通路３３３の閉鎖処理においては、既に規制部材３６３が閉状態にある場合には、規制駆動部３６６を駆動させないことでそのまま閉状態を保持する。この場合、音通路３３３の閉鎖処理は、音通路３３３が閉鎖された状態で保持する保持手段に相当する。
【０４４０】
ここで、下皿３４が満杯状態になっていることに伴って前扉側下皿通路部２７３に遊技球が積み上がった場合、積み上がった遊技球が下皿通路孔３４４から音通路３３３に侵入することや、規制部材３６３が積み上がった遊技球に引っ掛かって閉状態に移行できないことが懸念される。これに対して、前扉側下皿通路部２７３においては、満杯検知センサ２８０が下皿通路孔３４４から下流側に離間した位置に配置されているため、積み上がった遊技球が下皿通路孔３４４に到達するよりも前のタイミングで規制部材３６３を閉状態に強制的に移行させることができ、その結果、遊技球が下皿通路孔３４４を通じて音通路３３３に侵入するということを確実に規制できる。
【０４４１】
下皿３４が満杯状態ではない場合、ステップＳ８０４に進み、遊技状態が開閉実行モードにあるか否かを判定する。開閉実行モードにある場合、ステップＳ８０３に進み、音通路３３３の閉鎖処理を行う。
【０４４２】
ここで、遊技状態が開閉実行モードにある場合、可変入賞装置６４への入賞が数多く発生することで、払出装置２２２から払い出された多数の遊技球が断続的に前扉側下皿通路部２７３を流下する。この場合、遊技球の流下に伴って規制部材３６３が開閉する際のその開閉速度が、多数の遊技球の断続的な流下に追い付かず、規制部材３６３に遊技球が引っ掛かって球詰まりが発生する、という可能性がないとはいえない。これに対して、遊技状態が開閉実行モードに移行した場合には、下皿３４が満杯状態になっていなくても、規制部材３６３を閉状態に強制的に移行させることで、前扉側下皿通路部２７３において球詰まりが発生する原因そのものを排除することができる。
【０４４３】
下皿３４が満杯状態ではなく、且つ遊技状態が開閉実行モードでない場合（ステップＳ８０４がＮＯ判定の場合）、ステップＳ８０５にて、音制限演出フラグがセットされているか否かを判定し、ステップＳ８０６にてスーパーリーチＡ〜Ｃのいずれかがスーパーリーチ演出として実行されているか否かを判定する。音制限演出フラグがセットされ、且つスーパーリーチ演出が実行されている場合、ステップＳ８０３に進む。なお、スーパーリーチ演出が実行されている場合でも、そのスーパーリーチ演出に対応した音制限演出フラグがセットされていなければ、音制限演出は行わないことになる。
【０４４４】
ステップＳ８０３では、音通路３３３の閉鎖処理を行う。スーパーリーチ演出においては、音通路３３３の閉鎖処理を行うことで音制限演出処理を行うことになる。ここで、スーパーリーチ演出が行われている際に、ホーン領域３７１を通じて下皿３４に音が放出される場合と、放出されない場合とが存在することで、下皿３４への音の放出の有無によって大当たりへの当選期待度を高めることができる。特に、本実施形態では、下皿３４が満杯状態でなければ、スーパーリーチ演出以外の演出では下皿３４に音が放出されるようになっている。したがって、スーパーリーチ演出に合わせて音制限演出を実行した場合、下皿３４への音の放出が規制されることで他の演出との相違点を確保することになり、大当たりへの当選期待度を高めることができる。
【０４４５】
音制限演出フラグがセットされている状態で、スーパーリーチ演出中でない場合（ステップＳ８０６がＮＯ判定の場合）、ステップＳ８０７に進み、音制限演出を終了したか否かを判定する。ここでは、音制限演出フラグに対応したスーパーリーチ演出を実行したか否かを判定し、音制限演出フラグがセットされていてもその音演出制限フラグに対応したスーパーリーチ演出が未だ実行されていない場合には、音制限演出を終了していないとする。
【０４４６】
音制限演出が終了した場合、つまり、音制限演出フラグに対応したスーパーリーチ演出が終了した場合には、ステップＳ８０８に進む。ステップＳ８０８では、終了した音制限演出に対応した音制限演出フラグをクリアする。これにより、音制限演出が終了した後、次に行われるスーパーリーチ演出に際して、音制限演出の抽選に当選していないにもかかわらず音制限演出が実行されるという不都合が生じない。
【０４４７】
下皿３４が満杯ではなく、遊技状態が開閉実行モードでなく、更に音制限演出フラグがセットされていない場合（ステップＳ８０５がＮＯ判定の場合）、ステップＳ８０９に進み、音通路３３３を開放にする開放処理を行う。この処理では、規制部材３６３が規制駆動部３６６により閉状態に保持されている場合には、規制駆動部３６６を駆動させることで規制部材３６３を全開状態に移行させ、それによって、音通路３３３を開放された状態に移行させる。一方、既に規制部材３６３が全開状態にある場合には、規制駆動部３６６を駆動させないことでそのまま音通路３３３を開放された状態にて保持する。なお、音通路３３３の開放処理が行われることで、規制部材３６３は遊技球の流下に伴って全開状態から非全開状態に移行するべく開閉自在な状態になる。
【０４４８】
以上詳述した本実施形態によれば、以下の優れた効果を奏する。
【０４４９】
＜エンクロージャ３３１について＞
下側スピーカ３０ａの背面側がエンクロージャ３３１に収納されているため、下側スピーカ３０ａの背面側からの出力音がその下側スピーカ３０ａの前面側からの出力音を打ち消すということを抑制できる。このため、下側スピーカ３０ａから出力された音について低音域の音量が小さくなることなどを抑制できる。しかも、エンクロージャ３３１が前扉側下皿通路部２７３を有しているため、エンクロージャ３３１の全てが専用空間により形成された構成に比べて、そのエンクロージャ３３１を小型化することができる。これにより、パチンコ機１０の内部という狭小空間においてエンクロージャ３３１を適正に配置することが可能になる。
【０４５０】
下側スピーカ３０ａが振動板３０ｂを有しているため、例えば振動子が前扉側通路形成部２７６に取り付けられることでその前扉側通路形成部２７６が外部の振動板として利用される構成とは異なり、前扉側通路形成部２７６内に存在する遊技球により振動板３０ｂの振動が妨げられるということがない。このため、下側スピーカ３０ａから出力される音の音質が遊技球により低下するということを抑制できる。また、ダイナミック型のスピーカユニットを下側スピーカ３０ａとして使用したことで、例えば振動子を有するスピーカを下側スピーカ３０ａとして使用した構成に比べて、コスト負担を低減できる。
【０４５１】
エンクロージャ３３１においては、下側スピーカ３０ａの背面側からの出力音がホーン領域３７１を通じて放出されるため、その出力音の低音域が増幅しやすくなっている。このため、下側スピーカ３０ａの背面側からの出力音について、不足しがちな低音域の音量をホーン領域３７１により増加させることができる。特に、前扉側下皿通路部２７３においては、ホーン領域３７１を形成する部分の断面積が第１球入口３４ａに向けて徐々に大きくなっていることで、遊技球が流下しやすい環境をつくりだしており、それによって、球詰まり発生しにくくなっている。
【０４５２】
また、前扉側下皿通路部２７３においては、下流側ほど断面積が大きくなっていることで、下流側ほど遊技球の貯留量が大きくなっていることになり、下皿３４が満杯になっても積み上がった遊技球が払出装置２２２に達しにくい構成を実現できる。なお、積み上がった遊技球が払出装置２２２に達した場合には、払出装置２２２の払出モータに駆動電流が流れているにもかかわらず回転体２２２ｅが回転せずに払出装置２２２に異常が発生するという事態が懸念される。
【０４５３】
ホーン領域３７１が折れ曲がっているため、下側スピーカ３０ａの背面側からの出力音の中高音が減衰しやすくなっている。このため、前扉側下皿通路部２７３から下皿３４に向けて放出される音について低音域を際立たせることができる。つまり、ホーン領域３７１にバックロードホーンとしての機能を発揮させることができる。
【０４５４】
前扉側下皿通路部２７３においては、流下する遊技球の速度を低減させるために折れ曲がった形状になっており、その折れ曲がり部分（中間曲がり部３０４及び下流曲がり部３０５）を中高音の低減にも利用できることになる。また、前扉側下皿通路部２７３においては、横通路部２８４，２８６及び縦通路部２８５が直線的に延びているため、その直線部分により遊技球をある程度加速させることができる。これにより、前扉側下皿通路部２７３が折れ曲がった形状であっても、遊技球の流下速度が極端に低下して前扉側下皿通路部２７３において球詰まりが発生するということを抑制できる。
【０４５５】
ホーン領域３７１においては、前扉側下皿通路部２７３と空気室３３２とが音通路３３３により接続されているため、前扉側下皿通路部２７３に対する空気室３３２の相対位置に関する自由度を高めることができる。また、バックロードホーンを構築する上で前扉側下皿通路部２７３だけではホーン領域３７１の長さ寸法が不足するという事態を音通路３３３により解消できる。つまり、前扉側下皿通路部２７３の長さ寸法や下皿通路孔３４４の設置位置を変更しなくても、ホーン領域３７１を音通路３３３により適正な長さ寸法に設定することができる。
【０４５６】
ホーン領域３７１の第１球入口３４ａにおいては、その断面積が下皿３４に向けて指数関数的に大きくされているため、ホーン領域３７１から放出された音がパチンコ機前方に向けて進みやすくなっている。つまり、ホーン領域３７１からの放出音に指向性を持たせることが可能になっている。この場合、ホーン領域３７１から放出された音が下皿３４の奥壁部２４３に沿って上下左右に拡散しにくくなっており、その音を適正な音量で遊技者に聞かせることが可能になっている。
【０４５７】
下皿通路孔３４４に対して規制部材３６３が設けられているため、前扉側下皿通路部２７３から音通路３３３に遊技球が流出することを規制部材３６３により規制できる。これにより、前扉側下皿通路部２７３を流下する遊技球が下皿３４に適正に排出されないという事態を抑制できる。ここで、前扉側下皿通路部２７３から音通路３３３に遊技球が流出した場合、その遊技球が支障になって音通路３３３から前扉側下皿通路部２７３に音が伝わりにくくなることや音質が低下することが懸念される。このため、前扉側下皿通路部２７３から音通路３３３への遊技球の流出を規制部材３６３により規制することは、下側スピーカ３０ａの背面側からの出力音を前扉側下皿通路部２７３から適正に放出する上でも有効である。
【０４５８】
前扉側通路ユニット４５が前扉側下皿通路部２７３、音通路３３３及び空気室３３２を有しているため、これら前扉側下皿通路部２７３、音通路３３３及び空気室３３２を前扉枠１４に対して個別に搭載するという煩雑な作業を行うという必要がない。また、エンクロージャ３３１をあらかじめ製作した状態でパチンコ機１０に搭載することにより、エンクロージャ３３１において前扉側下皿通路部２７３と音通路３３３との境界部や、音通路３３３と空気室３３２との境界部から音漏れが発生するということを抑制できる。
【０４５９】
前扉側通路ユニット４５にスピーカ用開口部３３６が設けられているため、前扉枠１４のベース枠２３１に下側スピーカ３０ａを取り付けておき、その後、下側スピーカ３０ａの背面部分を空気室３３２に挿入させながら前扉側通路ユニット４５をベース枠２３１に固定することができる。この場合、下側スピーカ３０ａと前扉側通路ユニット４５とを個別にベース枠２３１に固定することができるため、下側スピーカ３０ａの振動板３０ｂが振動することでベース枠２３１に対する前扉側通路ユニット４５の固定状態が不安定になるということを抑制できる。
【０４６０】
前扉側通路ユニット４５においては、空気室３３２が前扉側下皿通路部２７３に前後に並ばない位置に配置されているため、前扉側通路ユニット４５の厚み寸法を低減できる。しかも、空気室３３２が前扉側下皿通路部２７３の下側に配置されていることで、前扉側通路形成部２７６の上側にファール球通路１１８や球受け通路２８９の設置構造が煩雑になることを抑制できる。このため、前扉側通路形成部２７６の上側スペースを遊技球の回収スペースとして利用する一方で、下側スペースをデッドスペースとするのではなく空気室３３２の設置スペースとして利用することができる。
【０４６１】
空気室３３２が上段横通路部２８４の下方において縦通路部２８５の側方に配置されているため、縦通路部２８５の側面部に下皿通路孔３４４を配置することができる。この場合、例えば上段横通路部２８４の床部に下皿通路孔３４４が配置された構成に比べて、その下皿通路孔３４４から遊技球が流出しにくい構成を実現できる。また、上段横通路部２８４の床部に下皿通路孔３４４が配置された構成では、下皿通路孔３４４が小孔であっても遊技球がその小孔に引っ掛かることでその遊技球の流下が阻害されることになってしまう。
【０４６２】
＜前扉側下皿通路部２７３からの音放出の制限について＞
下側スピーカ３０ａにおいては、振動板３０ｂが振動することで音が出力されるため、下皿通路孔３４４に対する規制部材３６３の開度を小さくすることで、前扉側下皿通路部２７３からの音の放出を制限することができる。このため、遊技球の流下に伴って規制部材３６３の開度が小さくなることや、規制駆動部３６６の駆動により規制部材３６３が強制的に閉状態に移行することで、前扉側下皿通路部２７３からの音の放出態様に関して自由度を高めることができる。
【０４６３】
流下してくる遊技球により規制部材３６３が押されることで、下皿通路孔３４４に対する規制部材３６３の開度が小さくなるため、遊技球の流下を利用することで下皿通路孔３４４から前扉側下皿通路部２７３への音の取り込みを規制することができる。つまり、遊技球の流下を利用することで前扉側下皿通路部２７３からの音の放出態様を変化させることができる。この場合、前扉側下皿通路部２７３から放出される音により演出効果を高めることができるとともに、遊技者は、下皿３４を視認しなくても前扉側下皿通路部２７３から下皿３４に遊技球が排出されていることを察知できる。
【０４６４】
遊技球が規制部材３６３を通過した場合、下皿通路孔３４４に対する規制部材３６３の開度が大きくなるため、遊技球の流下に伴って前扉側下皿通路部２７３からの音放出が制限される期間を極めて短くできる。これにより、前扉側下皿通路部２７３を流下する遊技球の数に合わせてその前扉側下皿通路部２７３からの音の放出態様が変化するため、その音による演出効果を更に高めることができる。
【０４６５】
規制部材３６３がベース板２７４ａ，２７４ｂに対して回動可能に軸支されているため、例えば規制部材３６３がスライド可能に設けられた構成に比べて、流下する遊技球が規制部材３６３を押すという構成を容易に実現できる。また、規制部材３６３は、単に回動することで、下皿通路孔３４４を閉鎖すること及び前扉側下皿通路部２７３を上流側と下流側とに仕切ることの両方が可能になっている。規制部材３６３が仕切状態にある場合には、下皿通路孔３４４から前扉側下皿通路部２７３に取り込まれた音が上流側に伝わることが規制部材３６３により規制されるため、前扉側下皿通路部２７３からの音の放出効率を高めることができる。
【０４６６】
下皿通路孔３４４が縦通路部２８５の側面部に対して設けられているため、下皿通路孔３４４に対する規制部材３６３の開度が小さくなりさえすれば、遊技球が規制部材３６３を越えて下流側に流下することになる。したがって、遊技球の流下に伴って規制部材３６３が閉鎖動作する構成であっても、規制部材３６３が下皿通路孔３４４を完全に閉鎖するわけではないため、音の取り込み量は減少しても下皿通路孔３４４を通じての音の取り込みは継続される。つまり、放出される音の音量は小さくなっても前扉側下皿通路部２７３からの音の放出が継続される。したがって、遊技球の流下に伴って音が途切れることに対して遊技者が違和感を抱いたとしても、その違和感をできるだけ小さなものにすることができる。
【０４６７】
これに対して、例えば下皿通路孔３４４が上段横通路部２８４の床部に対して設けられた構成では、下皿通路孔３４４に遊技球が引っ掛からないようにするために、遊技球の通過に伴って規制部材３６３が下皿通路孔３４４を完全に閉鎖する必要が生じる。この場合、前扉側下皿通路部２７３からの音の放出が停止され、それに伴って遊技者に違和感を付与することが懸念される。
【０４６８】
規制部材３６３の状態移行が報知・演出制御装置１４３により強制的に行われるため、規制部材３６３の全開状態と非全開状態（閉状態を含む）とを適宜使い分けることができる。つまり、前扉側下皿通路部２７３からの放出を制限しない状態と制限した状態とを任意のタイミングで適宜使い分けることができる。これにより、規制部材３６３を強制的に閉状態に移行させることで、音制限演出を行うことができる。
【０４６９】
音制限演出の抽選に当選した場合、スーパーリーチ演出が実行されている状況であれば、規制部材３６３が閉状態に移行することで音制限演出が行われるため、図柄表示装置７５による図柄の変動表示に対する期待度に、音制限演出が行われる場合と行われない場合とで差異を生じさせることができる。これにより、リーチ演出のうち特に期待度の高いスーパーリーチ演出の期待度を更に高めることができる。
【０４７０】
＜規制部材３６３の仕切状態について＞
規制部材３６３が仕切状態に移行可能であるため、下皿通路孔３４４から前扉側下皿通路部２７３に取り込まれた音が上流側に拡散することに加えて、針金等の不正治具が前扉側下皿通路部２７３の奥深くに挿入されることも規制部材３６３により規制できる。このため、前扉側下皿通路部２７３からの音の放出効率が向上する一方で、前扉側下皿通路部２７３に挿入された不正治具により払出装置２２２から遊技球が不正に払い出されるということを抑制できる。
【０４７１】
規制部材３６３が流下許可状態に移行することで、遊技球が規制部材３６３を通過して下流側に流下することが可能になるため、規制部材３６３により球詰まりが発生するということを抑制できる。これにより、前扉側下皿通路部２７３への不正治具の侵入を規制部材３６３により規制できる構成であっても、前扉側下皿通路部２７３から下皿３４に遊技球を適正に排出することができる。
【０４７２】
規制部材３６３は、流下してきた遊技球により押されることで閉鎖動作を行うため、規制部材３６３が閉鎖動作を行ってから遊技球が規制部材３６３の仕切位置（ホーン領域３７１と非ホーン領域３７２との境界部）に到達するまでにタイムラグが生じないようになっている。このため、遊技球の流下タイミングに合わせて不正治具を規制部材３６３よりも奥深くに侵入させるという不正行為を抑制できる。しかも、規制部材３６３は、遊技球による押圧が解除されたタイミングで仕切状態に戻るため、不正治具の侵入に対する規制効果が低下する期間を極めて短くすることができる。
【０４７３】
規制部材３６３は、仕切状態（全開状態）から更なる開放動作を行わないようになっているため、不審者が不正治具を用いて規制部材３６３を上流側に向けて強引に押し開けようとしても、その不正治具が規制部材３６３を突破できないようになっている。特に、規制部材３６３は、その回動先端部が回動ストッパ３６５に引っ掛かることで仕切状態にて保持されるため、例えば規制部材３６３の回動基端側が回動ストッパ３６５に引っ掛かる構成に比べて、規制部材３６３を仕切状態にて保持する強度を高めることができる。つまり、不正治具により規制部材３６３が上流側に向けて強引に押し開けられることに対する抗力を極めて高いものにすることができる。
【０４７４】
規制部材３６３が仕切状態にある場合、下皿通路孔３４４は開放されているため、規制部材３６３は、侵入してきた不正治具を下皿通路孔３４４に誘導することが可能になる。つまり、不正治具を前扉側下皿通路部２７３から外部に誘導することが可能になる。これにより、不正治具が前扉側下皿通路部２７３の奥深くに侵入するということを抑制できる。
【０４７５】
規制部材３６３は、仕切状態にある場合に、下皿通路孔３４４の内周面と同一平面を形成しているため、不正治具が規制部材３６３に到達したとしても、その不正治具を規制部材３６３の板面に沿って下皿通路孔３４４に誘導することができる。この場合、前扉側下皿通路部２７３において、規制部材３６３が下皿通路孔３４４から上流側に離間した位置に配置された場合とは異なり、不審者は、前扉側下皿通路部２７３が下皿通路孔３４４から上流側に向けて延びている方向すら把握することができない。しかも、規制部材３６３の下面が音通路３３３（第３通路部３５３）の天井面と同一平面を形成しているため、不審者は、不正治具が下皿通路孔３４４から音通路３３３に誘導されたことも把握することができない。
【０４７６】
規制部材３６３の状態を報知・演出制御装置１４３により強制的に移行させることが可能になっているため、規制部材３６３により不正治具の侵入を阻止することを優先する場合と、前扉側下皿通路部２７３からの音の放出を優先する場合とを適宜使い分けることができる。
【０４７７】
遊技状態が開閉実行モードにある場合、報知・演出制御装置１４３により規制部材３６３が強制的に閉状態に移行されるため、払出装置２２２から多数の遊技球が払い出されても、前扉側下皿通路部２７３において球詰まりが発生するということを抑制できる。ここで、遊技状態が開閉実行モードにある場合には、多数の遊技球の払い出しに伴って利益が付与されていることや、次々に流下してくる遊技球に逆らって前扉側下皿通路部２７３に不正治具を挿入する作業が困難であることなどに起因して、不正治具が前扉側下皿通路部２７３に挿入される可能性自体が低いと想定される。したがって、規制部材３６３が仕切状態になっていなくても、不正治具が前扉側下皿通路部２７３に挿入されることに対する抑止力が著しく低下するということもない。
【０４７８】
下皿３４が満杯になっている場合、報知・演出制御装置１４３により規制部材３６３が強制的に閉状態に移行されるため、前扉側下皿通路部２７３に積み上がった遊技球が規制部材３６３に到達したとしても、それら遊技球の間に規制部材３６３が挟み込まれるということを回避できる。これにより、積み上がった遊技球から荷重が加えられて規制部材３６３が変形したり破損したりするということを抑制できる。ここで、下皿３４が満杯状態になっている場合には、前扉側下皿通路部２７３が遊技球により塞がれた状態になっていることに起因して、不正治具が前扉側下皿通路部２７３に挿入される可能性自体が低いと想定される。したがって、規制部材３６３が仕切状態になっていなくても、不正治具が前扉側下皿通路部２７３に挿入されることに対する抑止力が著しく低下するということもない。
【０４７９】
＜下皿通路孔３４４からの遊技球の流出規制について＞
前扉側下皿通路部２７３に下皿通路孔３４４が設けられているため、下側スピーカ３０ａからの出力音を下皿通路孔３４４を通じて前扉側下皿通路部２７３に効率良く取り込むことができる。
【０４８０】
下皿通路孔３４４は、遊技球の流下経路から離間した位置に配置されているため、流下している遊技球が下皿通路孔３４４から流出するということを抑制できる。また、この場合、流下している遊技球が下皿通路孔３４４に引っ掛かることや、流下している遊技球により下皿通路孔３４４が塞がれることも抑制できる。
【０４８１】
下皿通路孔３４４が縦通路部２８５に対して設けられているため、下皿通路孔３４４を遊技球の流下経路から離間させることができる。ここで、下皿通路孔３４４が遊技球の流下経路から離間させた構成としては、下皿通路孔３４４を上段横通路部２８４や下段横通路部２８６の天井部に配置する構成が考えられるが、これらの構成では、空気室３３２や音通路３３３を横通路部２８４，２８６の上側に配置する必要が生じるため、上段横通路部２８４の上側に球受け通路２８９を配置することや、下段横通路部２８６の上側にファール球通路１１８を配置することが困難になってしまう。これに対して、下皿通路孔３４４が縦通路部２８５の側面部に配置された構成では、空気室３３２や音通路３３３を横通路部２８４，２８６の上側に配置する必要がないため、下段横通路部２８６及びファール球通路１１８を適正な位置に配置した上で、遊技球の流下経路から離間した位置に下皿通路孔３４４を配置することができる。
【０４８２】
下皿通路孔３４４は、その側面部のうち上段横通路部２８４側の部分（下皿通路仕切部３４２の縦部分３４２ｂ）に配置されているため、上段横通路部２８４を流下してきた遊技球が縦通路部２８５に到達した場合に、その遊技球を下皿通路孔３４４から遠ざかる側に移動させることができる。しかも、下皿通路孔３４４が上段横通路部２８４の床部（下皿通路仕切部３４２の横部分３４２ａ）から下方に向けて延びているため、遊技球は上段横通路部２８４と縦通路部２８５との境界部を通過した直後に下皿通路孔３４４の側方を流下することになる。この場合、遊技球が縦通路部２８５の外周部に接触してその流下方向が変化したとしても、そのタイミングでは既に下皿通路孔３４４よりも低い位置まで流下していると想定されるため、その遊技球が下皿通路孔３４４から流出することをより確実に抑制できる。
【０４８３】
下皿通路孔３４４に対して規制部材３６３が設けられているため、前扉側下皿通路部２７３において流下している遊技球が下皿通路孔３４４から流出することを規制部材３６３により抑制できる。この場合、下皿通路孔３４４を小孔とする必要がないため、下皿通路孔３４４からの音の取り込み効率が過剰に低下しない程度に下皿通路孔３４４の開口面積を大きくすることができる。これにより、前扉側下皿通路部２７３から放出される音の音量が不足するということを抑制できる。しかも、規制部材３６３が非規制状態に移行可能であるため、下皿通路孔３４４からの音の取り込み効率が規制部材３６３により低下することを抑制できる。
【０４８４】
規制部材３６３は、前扉側下皿通路部２７３を流下する遊技球により押圧されることで閉鎖動作を行うため、その遊技球が下皿通路孔３４４から流出することをより確実に規制できる。
【０４８５】
その一方で、規制部材３６３は、全開状態にて保持されるように付勢部材により付勢されているため、閉鎖動作を行っても次の瞬間には全開状態に戻っていることになる。この場合、前扉側下皿通路部２７３から放出される音が途切れる期間が極めて短くなるため、例えば規制部材３６３が遊技球の通過に伴って所定期間だけ閉状態にて保持される構成とは異なり、前扉側下皿通路部２７３から放出される音による演出効果が著しく低下することを抑制できる。
【０４８６】
規制部材３６３は、全開状態にある場合に前扉側下皿通路部２７３を仕切った仕切状態にあるため、音通路３３３から前扉側下皿通路部２７３に伝わった音がその前扉側下皿通路部２７３の上流側に拡散することを抑制できる。これにより、前扉側下皿通路部２７３からの音の放出効率を高めることができる。
【０４８７】
また、前扉側下皿通路部２７３には回動ストッパ３６５が設けられているため、規制部材３６３の開放動作が付勢部材の付勢力により行われる構成でも、その規制部材３６３を回動ストッパ３６５により仕切状態にて保持できる。
【０４８８】
下皿３４が満杯になっている場合、報知・演出制御装置１４３により規制部材３６３が強制的に閉状態に移行されるため、前扉側下皿通路部２７３に積み上がった遊技球が下皿通路孔３４４に到達したとしても、それら遊技球が下皿通路孔３４４から流出することを抑制できる。
【０４８９】
前扉側下皿通路部２７３においては、満杯検知センサ２８０が下皿通路孔３４４よりも下流に配置されているため、報知・演出制御装置１４３が規制部材３６３を閉状態に移行させるよりも前のタイミングで積み上がった遊技球が下皿通路孔３４４に到達するということを回避できる。これにより、規制部材３６３の変形や破損をより確実に抑制できる。また、積み上がった遊技球が下皿通路孔３４４から流出するということも確実に抑制できる。
【０４９０】
＜第２の実施形態＞
第２の実施形態では、前扉側通路ユニット４５において、前扉側下皿通路部２７３に対する空気室３３２及び音通路３３３の位置が第１の実施形態とは異なっており、前扉側通路ユニット４５の構成について、図３６を参照しつつ、第１の実施形態との相違点を中心に説明する。図３６は、前扉側通路ユニット４５の内部構造を示す図であり、（ａ）に規制部材３６３が全開状態にある場合の図を示し、（ｂ）規制部材３６３が閉状態にある場合の図を示す。
【０４９１】
図３６（ａ）に示すように、前扉側通路ユニット４５において、空気室３３２及び音通路３３３が前扉側下皿通路部２７３の上側に配置されている。空気室３３２及び音通路３３３は、下段横通路部２８６の上側に配置されており、その下段横通路部２８６に沿って横並びに配置されている。第１の実施形態では、空気室３３２と前扉側下皿通路部２７３との間に音通路３３３が配置されていたが、本実施形態では、空気室３３２及び音通路３３３が両方とも前扉側下皿通路部２７３に隣接している。
【０４９２】
前扉側通路ユニット４５は、空気室３３２と音通路３３３とを仕切っている空気室仕切部４５１と、前扉側下皿通路部２７３と空気室３３２及び音通路３３３とを仕切っている下皿通路仕切部４５２を有している。音通路３３３は、第１の実施形態と同様に、第１通路部３５１、第２通路部３５２及び第３通路部３５３を有しているが、これら通路部３５１〜３５３はいずれも上下方向に延びた状態で、前扉側通路ユニット４５の幅方向に沿って横並びに配置されている。この場合、通路部３５１〜３５３のうち第１通路部３５１だけが空気室３３２に沿って延びており、空気室仕切部４５１は空気室３３２と第１通路部３５１とを仕切っている。
【０４９３】
第１通路部３５１及び第２通路部３５２が下段横通路部２８６の上側に配置されている一方で、第３通路部３５３は縦通路部２８５の上側に配置されている。第２通路部３５２は、第１通路部３５１と縦通路部２８５との間に配置されていることで、縦通路部２８５に隣り合っている。第３通路部３５３は、外側開口部２７９から空気室３３２側に離間した位置に配置されており、上下方向において縦通路部２８５に対して直列に並べられている。なお、本実施形態では、図示を省略するが、ファール球通路１１８及び球受け通路２８９が空気室３３２や音通路３３３、上段横通路部２８４の上側に配置されている。
【０４９４】
下皿通路仕切部４５２は、上段横通路部２８４の外周部を形成する横通路部分４５２ａと、縦通路部２８５の外周部を形成する縦通路部分４５２ｂとを有している。横通路部分４５２ａは、上段横通路部２８４の天井部を形成しており、上段横通路部２８４を空気室３３２、第１通路部３５１及び第２通路部３５２に対して区画している。縦通路部分４５２ｂは、縦通路部２８５の側面部を形成しており、縦通路部２８５を第２通路部３５２及び第３通路部３５３に対して区画している。
【０４９５】
下皿通路孔３４４は、縦通路部分４５２ｂにおいて縦通路部２８５と第３通路部３５３とを仕切る部分に設けられている。下皿通路孔３４４は、縦通路部２８５の上方位置に配置されており、縦通路部２８５を上方に向けて開放している。この場合、下皿通路孔３４４は、遊技球の流下経路から上方に離間した位置に配置されていることになり、下方に向けて流下している遊技球が下皿通路孔３４４から流出するということが発生しにくくなっている。なお、下皿通路孔３４４は、縦通路部２８５の天井部に配置されていることになる。
【０４９６】
本実施形態においても、規制部材３６３は、開状態にある場合に下皿通路孔３４４を開放し、閉状態にある場合に下皿通路孔３４４を閉鎖している。規制部材３６３においては、その回動軸部が上段横通路部２８４の天井部に横並びに配置されている。上段横通路部２８４の天井部には、上側に向けて凹んだ上側凹部４５５が形成されており、その上側凹部４５５内に規制部材３６３の回動軸部が配置されている。
【０４９７】
図３６（ｂ）に示すように、規制部材３６３は、閉状態にある場合に、縦通路部２８５の幅方向に延びた状態で、その縦通路部２８５の上方位置に配置されている。この場合、規制部材３６３は、第３通路部３５３と前扉側下皿通路部２７３（縦通路部２８５）との境界部に沿って延びており、規制部材３６３の下面は上段横通路部２８４の天井面と同一平面を形成している。このように、規制部材３６３は、閉状態にある場合に前扉側下皿通路部２７３側に突出していないため、前扉側下皿通路部２７３においては、遊技球が規制部材３６３に引っ掛からずに適正に流下するようになっている。
【０４９８】
前扉側通路ユニット４５は、規制部材３６３が閉状態から第３通路部３５３側に回動することを規制する逆ストッパ４５６を有している。逆ストッパ４５６は、第３通路部３５３の内周面から内側に突出した凸部であり、規制部材３６３は、その回動先端部が下流側（縦通路部２８５側）から逆ストッパ４５６に引っ掛かることで閉状態にて保持される。逆ストッパ４５６は、下皿通路孔３４４を挟んで上側凹部４５５の反対側に配置されている。このため、例えば下皿満杯に伴って前扉側下皿通路部２７３にて積み上がった遊技球が下皿通路孔３４４に達したとしても、規制部材３６３が遊技球により押し開けられるということを抑制できる。
【０４９９】
規制部材３６３は、その回動先端部が下側（第３通路部３５３から離れる向き）に回動することで開放する。図３６（ａ）に示すように、規制部材３６３は、全開状態にある場合に、回動軸部から下方に向けて延びた状態で、前扉側下皿通路部２７３を上段横通路部２８４側と縦通路部２８５側とに仕切った仕切状態になっている。ここで、上段横通路部２８４の床部には下方に向けて凹んだ下側凹部４５７が設けられており、規制部材３６３が全開状態にある場合に、その規制部材３６３の回動先端部が下側凹部４５７に収納されるようになっている。この場合、規制部材３６３は、その回動先端部が下側凹部４５７に縦通路部２８５側から引っ掛かることで、全開状態にて保持されるようになっている。
【０５００】
規制部材３６３は、回動軸部によりぶら下がった状態になっており、その自重で全開状態にて保持されるようになっている。このため、第１の実施形態のように規制部材３６３に対して付勢部材が取り付けられていなくても、規制部材３６３が全開状態に保たれる構成を実現できる。
【０５０１】
規制部材３６３は、全開状態にある場合に、第３通路部３５３の側面部と縦通路部２８５の側面部とに掛け渡された状態になっている。この場合、規制部材３６３においては、縦通路部２８５側の板面が第３通路部３５３の内周面及び縦通路部２８５の内周面と同一平面を形成している。このため、仮に不正治具が前扉側下皿通路部２７３に挿入されたとしても、その不正治具の先端が規制部材３６３に引っ掛かりにくくなっており、不正治具を挿入した不審者は、規制部材３６３の存在を察知することすらできないようになっている。
【０５０２】
本実施形態のように、第３通路部３５３が縦通路部２８５から上方に向けて延びている構成では、第１の実施形態とは異なり、音通路３３３及び下段横通路部２８６に加えて、縦通路部２８５の全てがホーン領域３７１に含まれている。全開状態にある規制部材３６３は、ホーン領域３７１と、上段横通路部２８４が形成する非ホーン領域３７２とを左右に仕切っていることになる。
【０５０３】
ここで、非ホーン領域３７２は、ホーン領域３７１において上下に延びている部分（第３通路部３５３及び縦通路部２８５により形成された部分）の中間位置から側方に延びているため、仮に不正治具を前扉側下皿通路部２７３に挿入した不審者が規制部材３６３の存在を察知したとしても、その不正治具を非ホーン領域３７２（上段横通路部２８４）に侵入させることが非常に困難になっている。また、規制部材３６３は、その回動先端部が下側凹部４５７に引っ掛かっていることで非ホーン領域３７２側（上段横通路部２８４側）には回動しないようになっているため、不審者が不正治具により規制部材３６３を無理矢理押し開けようとしても、押し開けることができないようになっている。
【０５０４】
次に、規制部材３６３の動作について簡単に説明する。
【０５０５】
図３６（ａ）に示すように、前扉側下皿通路部２７３において、遊技球がホーン領域３７１と非ホーン領域３７２との境界部を通過していない場合、規制部材３６３はその自重により全開状態に保持されている。このため、下側スピーカ３０ａの背面側から空気室３３２に対して出力された音は、非ホーン領域３７２に拡散することなく、ホーン領域３７１から下皿３４に対して放出される。
【０５０６】
図３６（ｂ）に示すように、前扉側下皿通路部２７３を流下している遊技球が、全開状建物にある規制部材３６３に到達した場合、この遊技球は、規制部材３６３を縦通路部２８５側に押し開けるようにしてホーン領域３７１と非ホーン領域３７２との境界部を通過する。この場合、規制部材３６３は遊技球と下皿通路孔３４４との間に存在することで、この規制部材３６３を押圧した遊技球が下皿通路孔３４４から流出することを規制することになる。
【０５０７】
また、満杯検知センサ２８０により下皿満杯が検知された場合には、報知・演出制御装置１４３により規制駆動部３６６の駆動制御が行われることで、規制部材３６３が閉状態に移行する。これにより、前扉側下皿通路部２７３にて積み上がった遊技球が下皿通路孔３４４から音通路３３３に流出することを規制できる。
【０５０８】
ここで、仮に遊技球が下皿通路孔３４４を通じて第３通路部３５３に侵入したとしても、第３通路部３５３が下皿通路孔３４４から上方に延びていることに起因して、その遊技球は自重で落下することにより縦通路部２８５に戻ることになる。また、規制部材３６３には付勢部材の付勢力が付与されていないため、遊技球が縦通路部２８５に戻ることが付勢部材の付勢力により阻害されるということもない。
【０５０９】
以上詳述した本実施形態によれば、以下の優れた効果を奏する。
【０５１０】
空気室３３２が前扉側下皿通路部２７３の上側に配置されているため、前扉側下皿通路部２７３の上方スペースを空気室３３２や下側スピーカ３０ａの設置スペースとして有効に利用することができる。また、前扉側下皿通路部２７３の上方スペースは音通路３３３の設置スペースとしても利用することができる。
【０５１１】
下皿通路孔３４４が縦通路部２８５の天井部に配置されているため、上段横通路部２８４を流下してきた遊技球が下皿通路孔３４４に向けて上昇すること自体が発生しにくい。このため、遊技球が下皿通路孔３４４から音通路３３３側に流出するということを抑制できる。
【０５１２】
規制部材３６３は、上段横通路部２８４の天井部からぶら下がっていることで全開状態になっているため、規制部材３６３を全開状態にて保持する構成、規制部材３６３が閉鎖動作を行った後に全開状態に戻る構成の両方を、付勢部材を用いなくても実現することができる。このため、前扉側下皿通路部２７３から音及び遊技球の両方が適正に放出される構成を簡易化することができる。
【０５１３】
＜第３の実施形態＞
第１の実施形態では、エンクロージャ３３１が音通路３３３を有していたが、第３の実施形態では、エンクロージャ３３１が音通路３３３を有しておらず、空気室３３２と前扉側下皿通路部２７３とが音通路３３３を介さずに接続されている。本実施形態の前扉側通路ユニット４５の構成について、図３７、図３８を参照しつつ説明する。図３７は前扉側通路ユニット４５の分解斜視図、図３８は前扉側通路ユニット４５の内部構造を示す図である。なお、図３８においては、（ａ）に仕切部材４６１が仕切状態にある場合の図を示し、（ｂ）に仕切部材４６１が流下許可状態にある場合の図を示す。
【０５１４】
図３７、図３８（ａ）に示すように、前扉側通路ユニット４５が音通路３３３を有しておらず、空気室３３２が前扉側下皿通路部２７３の下側に配置されている。この場合、下皿通路仕切部３４２が空気室３３２と前扉側下皿通路部２７３とを仕切っており、これら空気室３３２と前扉側下皿通路部２７３とは下皿通路孔３４４により連通されている。下皿通路孔３４４は、遊技球が通過できない大きさ及び形状を有する円形状の小孔になっており、下皿通路仕切部３４２に多数設けられている。なお、小孔は、楕円形状や矩形状、多角形状とされていてもよい。
【０５１５】
下皿通路仕切部３４２においては、横部分３４２ａが上段横通路部２８４と空気室３３２とを上下に仕切っており、縦部分３４２ｂが縦通路部２８５と空気室３３２とを左右に仕切っている。下皿通路孔３４４は、横部分３４２ａ及び縦部分３４２ｂのそれぞれに複数ずつ配置されており、これら横部分３４２ａ及び縦部分３４２ｂのいずれにおいても、遊技球の流下方向及び前扉側通路ユニット４５の厚み方向のそれぞれに沿って複数並べられている。
【０５１６】
なお、ホーン領域３７１は、前扉側下皿通路部２７３において下皿通路孔３４４よりも下流側の領域により形成されている。
【０５１７】
上述したように、下皿通路孔３４４そのものが遊技球の流出を阻止する機能を有している。本実施形態では、第１の実施形態のように下皿通路孔３４４に対して規制部材３６３が設けられているのではなく、前扉側下皿通路部２７３を上流側と下流側とに仕切る仕切部材４６１が前扉側下皿通路部２７３に対して設けられている。仕切部材４６１は、規制部材３６３と同様に、板材により形成されており、空気中の音の伝達を遮断することが可能になっている。
【０５１８】
仕切部材４６１は、上段横通路部２８４の天井部から吊り下げられた状態で設けられており、その自重により下方に向けて延びた状態が上段横通路部２８４を左右に仕切った仕切状態に相当する。仕切部材４６１は、前扉側下皿通路部２７３において各下皿通路孔３４４よりも上流側に配置されており、仕切状態にある場合に、下皿通路孔３４４から前扉側下皿通路部２７３に取り込まれた音が上流側に拡散することを規制するものである。なお、仕切部材４６１が仕切体に相当する。
【０５１９】
仕切部材４６１は、その上端部を回動軸部として回動可能になっており、上流側又は下流側に向けて回動することで非仕切状態に移行可能になっている。仕切部材４６１の回動軸部は、遊技球の流下方向において上段横通路部２８４の中間位置に配置されており、仕切部材４６１は、上流側及び下流側のいずれに向けて回動した場合でも、上段横通路部２８４の天井面に重なることが可能になっている。ここで、前扉側下皿通路部２７３においては、上段横通路部２８４の上流側端部が外側開口部２７９に向けて上方に開放されており、仕切部材４６１は、上流側に向けて回動した場合に上段横通路部２８４の開放部分にはみ出さない位置に配置されている。
【０５２０】
図３８（ｂ）に示すように、遊技球が流下してきた場合、その遊技球は、仕切部材４６１を下流側に向けて押して回動させながらその仕切部材４６１を通過する。ここで、仕切部材４６１は、遊技球が通過できる程度に回動した場合に、非仕切状態のうち遊技球の流下を許可する流下許可状態に移行したことになる。
【０５２１】
また、下皿３４が満杯になった場合に、前扉側下皿通路部２７３にて積み上がった遊技球が仕切部材４６１を上流側に向けて押し開けた状態になったとしても、その仕切部材４６１が上段横通路部２８４の上流側端部と外側開口部２７９との間に存在しない。このため、積み上がった遊技球により上流側に向けて押されることで仕切部材４６１が変形したり破損したりすることを抑制できる。
【０５２２】
以上詳述した本実施形態によれば、以下の優れた効果を奏する。
【０５２３】
下皿通路孔３４４が小孔とされているため、下側スピーカ３０ａの出力音を下皿通路孔３４４から前扉側下皿通路に取り込む構成を実現した上で、下皿通路孔３４４から遊技球が流出することを防止できる。しかも、小孔としての下皿通路孔３４４が多数設けられているため、下側スピーカ３０ａの出力音が下皿通路孔３４４から取り込まれた際に、その音量が小さくなるということを抑制できる。
【０５２４】
さらに、下側スピーカ３０ａの出力音が多数の下皿通路孔３４４を通過することで、その低音域が増幅しやすくなっている一方で、その中高音域が減衰しやすくなっている。これにより、エンクロージャ３３１が音通路３３３を有していないことでホーン領域３７１の長さ寸法を十分に確保することができなくても、前扉側下皿通路部２７３から下皿３４に対して放出される音の低音域を際立たせることが可能になる。
【０５２５】
下皿通路仕切部３４２においては、下皿通路孔３４４が横部分３４２ａ及び縦部分３４２ｂのそれぞれに複数ずつ配置されているため、下皿通路孔３４４を小孔とした構成であっても、各下皿通路孔３４４の開口面積の合計を音の取り込み量を適正に確保できる程度に大きくすることができる。しかも、横部分３４２ａと縦部分３４２ｂとでは、下皿通路孔３４４による音の取り込み方向が異なっているため、これら音の低音域が増幅しやすくなっている一方で、中高音域が減衰しやすくなっている。
【０５２６】
上段横通路部２８４において、その床部に下皿通路孔３４４が形成されている一方で、その天井部から仕切部材４６１が吊り下げられた状態になっているため、仕切部材４６１の回動状態に関係なく下皿通路孔３４４が仕切部材４６１によっては閉鎖されない構成を実現できる。このため、遊技球が仕切部材４６１を押し開けて流下する場合に、仕切部材４６１が非仕切状態に移行することで前扉側下皿通路部２７３において上流側に音が拡散することはあっても、下皿通路孔３４４から前扉側下皿通路部２７３への音の取り込みが停止される又は制限されるということを回避できる。
【０５２７】
エンクロージャ３３１が音通路３３３を有していないため、第１の実施形態に比べて、前扉側通路ユニット４５を小型化することや、空気室３３２を大型化することが可能になっている。空気室３３２を大型化した場合には、下側スピーカ３０ａを大型化すること、つまり、低音域の出力音量の大きいスピーカユニットを下側スピーカ３０ａとして利用することが可能になる。
【０５２８】
＜第４の実施形態＞
第１の実施形態では、規制部材３６３が下皿通路孔３４４を開放可能に設けられていたが、第４の実施形態では、規制部材が下皿通路孔３４４を開放できない状態で設けられている。本実施形態の前扉側通路ユニット４５の構成について、図３９を参照しつつ説明する。図３９は前扉側通路ユニット４５の分解斜視図である。
【０５２９】
図３９に示すように、第３の実施形態と同様に、前扉側通路ユニット４５が音通路３３３を有しておらず、空気室３３２と前扉側下皿通路部２７３とが下皿通路孔３４４により連通されている。下皿通路孔３４４は、横部分３４２ａと縦部分３４２ｂとに掛け渡された状態で設けられている。下皿通路孔３４４は、横部分３４２ａにおいては空気室３３２を側方に向けて開放する一方で、縦部分３４２ｂにおいては空気室３３２を上方に向けて開放している。この場合、下側スピーカ３０ａの出力音が下皿通路孔３４４から上段横通路部２８４及び縦通路部２８５の両方に取り込まれる。
【０５３０】
下皿通路孔３４４に対しては、その下皿通路孔３４４からの遊技球の流出を規制する規制部材４６５が設けられている。規制部材４６５は、互いに交差する方向に延びた一対の板部を有しており、一方の板部が横部分３４２ａに直列に並び且つ他方の板部分が縦部分に直列に並んだ状態で配置されている。規制部材４６５は、下皿通路孔３４４を塞いだ状態でベース板２７４ａ，２７４ｂ、横部分３４２ａ及び縦部分３４２ｂに固定されている。この場合、規制部材４６５は、下皿通路孔３４４内に入り込んだ状態になっており、遊技球の流下を阻害しないようになっている。
【０５３１】
規制部材４６５は、下皿通路孔３４４の内周面に沿って延びている枠部４６６と、その枠部４６６の内側に設けられた網部４６７とを有している。枠部４６６は矩形状の枠体を２つ有しており、一方の枠体が横部分３４２ａに沿って延び、他方の枠体が縦部分３４２ｂに沿って延びている。網部４６７は、下皿通路孔３４４を複数に分割する分割部であり、下皿通路孔３４４を通じた音の伝達を許可すること、及び下皿通路孔３４４からの遊技球の流出を規制することの両方が可能になっている。
【０５３２】
網部４６７は、ワイヤや糸等の細い線状部材を複数有しており、これら線状部材が交差する方向に延びていることで形成されている。網部４６７においては、線状部材が細いことからして、その線状部材が音の伝達を阻害しにくくなっており、例えば規制部材４６５が下皿通路孔３４４に設けられていない構成に比べても、下皿通路孔３４４における音の伝達効率が著しく低下するということが生じないようになっている。
【０５３３】
以上詳述した本実施形態によれば、以下の優れた効果を奏する。
【０５３４】
規制部材４６５が下皿通路孔３４４に対して開閉しないため、規制部材４６５が前扉側下皿通路部２７３を上流側と下流側とに仕切ることがない。つまり、規制部材４６５により遊技球の流下が阻害されるということを回避できる。その一方で、規制部材４６５の網部４６７が下皿通路孔３４４を複数に分割した状態になっているため、遊技球が下皿通路孔３４４から流出することを規制部材４６５により規制できる。しかも、網部４６７の線状部材が細くされているため、下皿通路孔３４４における音の伝達効率が網部４６７により低下しにくくなっている。このため、規制部材４６５を開放させなくても、前扉側下皿通路部２７３から放出される音の音量を適正に保つことができる。
【０５３５】
規制部材４６５が枠部４６６を有しているため、枠部４６６を前扉側通路形成部２７６（ベース板２７４ａ，２７４ｂや連結板２７４ｃ）に固定することで、網部４６７をその前扉側通路形成部２７６に対して固定することができる。この場合、網部４６７を前扉側通路形成部２７６に直接固定した構成に比べて、前扉側通路形成部２７６に対する網部４６７の固定強度が高められるため、流下する遊技球や積み上がった遊技球から網部４６７に荷重が加えられても、網部４６７が変形したり破損したりするということを抑制できる。
【０５３６】
＜他の実施形態＞
なお、上述した各実施形態の記載内容に限定されず例えば次のように実施してもよい。ちなみに、以下の各構成を個別に上記各実施形態に対して適用してもよく、一部又は全部を組み合わせて上記各実施形態に対して適用してもよい。
【０５３７】
（ａ１）上記第１の実施形態では、前扉側下皿通路部２７３において、縦通路部２８５と下段横通路部２８６とが組み合わされていることでホーン領域３７１が折れ曲がった形状とされていたが、ホーン領域３７１が折れ曲がっていれば、斜め方向に延びた斜め通路部を有していてもよく、上下に重ねられた複数の横通路部が組み合わされていてもよい。
【０５３８】
また、前扉側下皿通路部２７３や音通路３３３は、直線的に延びた通路部を有していなくても、折れ曲がった形状になっていればよい。例えば、波形状のように蛇行した形状になっていても、折れ曲がった形状が実現されていることになる。
【０５３９】
（ａ２）上記第１の実施形態では、音通路３３３が音曲がり部３５７を複数有していたが、音通路３３３は音曲がり部３５７を有していなくてもよい。つまり、音通路３３３はストレート形状にされていてもよい。この場合でも、音通路３３３がホーン形状になっていれば、音通路３３３を伝わる音の低音域が増幅しやすくなる。
【０５４０】
（ａ３）上記第１の実施形態では、前扉側下皿通路部２７３が中間曲がり部３０４及び下流曲がり部３０５を有していたが、前扉側下皿通路部２７３はこれら曲がり部３０４，３０５を有していなくてもよい。つまり、前扉側下皿通路部２７３はストレート形状にされていてもよい。この場合でも、前扉側下皿通路部２７３がホーン形状になっていれば、前扉側下皿通路部２７３を伝わる音の低音域が増幅しやすくなる。
【０５４１】
（ａ４）上記第１の実施形態では、前扉側下皿通路部２７３の断面積がその上流側端部から下流側端部に向けて徐々に大きくなっているが、前扉側下皿通路部２７３の断面積は、下皿通路孔３４４よりも上流側において任意に設定されていてもよい。この場合でも、ホーン領域３７１の断面積が下皿３４に向けて徐々に大きくなっている構成は実現できる。
【０５４２】
（ａ５）上記第１の実施形態では、音取り込み孔としての下皿通路孔３４４に対して規制部材３６３が設けられていたが、規制部材３６３は設けられていなくてもよい。この場合、下皿通路孔３４４からの遊技球の流出が規制部材３６３によっては規制されないことになるため、遊技球を下皿３４や前扉側下皿通路部２７３に排出するための専用通路が音通路３３３や空気室３３２に接続されていることが好ましい。これにより、下皿通路孔３４４から音通路３３３に遊技球が流出したとしても、その遊技球を下皿３４に排出することができる。
【０５４３】
（ａ６）上記第１の実施形態では、ベース板２７４ａ，２７４ｂ及び連結板２７４ｃが組み合わされることで前扉側通路ユニット４５が形成されていたが、あらかじめ製造しておいた空気室３３２や音通路３３３を前扉側通路形成部２７６等に取り付けることで前扉側通路ユニット４５が形成されてもよい。この場合でも、空気室３３２や音通路３３３を、前扉枠１４のベース枠２３１に対して前扉側通路形成部２７６等と一緒に取り付けることができる。これにより、空気室３３２や音通路３３３、前扉側通路形成部２７６をベース枠２３１に取り付ける際の作業負担を低減できる。
【０５４４】
（ａ７）上記第１の実施形態では、前扉枠１４において、下側スピーカ３０ａと前扉側通路ユニット４５とがベース枠２３１に対して個別に固定されている一方で、下側スピーカ３０ａと前扉側通路ユニット４５とは固定されていなかったが、これら下側スピーカ３０ａと前扉側通路ユニット４５とが互いに固定されていてもよい。この場合、前扉側通路ユニット４５に下側スピーカ３０ａをあらかじめ取り付けておき、これら前扉側通路ユニット４５及び下側スピーカ３０ａをまとめてベース枠２３１に取り付けることが可能になる。これにより、前扉側通路ユニット４５及び下側スピーカ３０ａをベース枠２３１に取り付ける際の作業負担を低減できる。
【０５４５】
（ａ８）上記第１の実施形態では、空気室３３２及び音通路３３３が、前扉側下皿通路部２７３の下側として、上段横通路部２８４の下方位置に配置されていたが、空気室３３２や音通路３３３は、下段横通路部２８６や縦通路部２８５の下方位置に配置されていてもよい。この場合、下皿通路孔３４４は、下段横通路部２８６や縦通路部２８５の床部に配置されていることが好ましい。
【０５４６】
また、上記第２の実施形態では、空気室３３２及び音通路３３３が、前扉側下皿通路部２７３の上側として、下段横通路部２８６の上方位置に配置されていたが、空気室３３２は、上段横通路部２８４や縦通路部２８５の上方位置に配置されていてもよく、音通路３３３は、前扉側上皿通路部２７２の側方位置に配置されていてもよい。この場合、下皿通路孔３４４は、上段横通路部２８４や下段横通路部２８６の天井部に配置されていることが好ましい。
【０５４７】
さらに、上記第３の実施形態では、下皿通路孔３４４が小孔として、上段横通路部２８４の床部及び縦通路部２８５の側面部のそれぞれに設けられていたが、空気室３３２や音通路３３３が前扉側下皿通路部２７３の上側に配置されていれば、下皿通路孔３４４は、下段横通路部２８６の天井部及び縦通路部２８５の側面部のそれぞれに設けられていてもよい。これにより、下段横通路部２８６の下皿通路孔３４４と縦通路部２８５の下皿通路孔３４４とで音を取り込む方向が交差することになるため、低音域が増幅しやすく中高音域が減衰しやすい環境を作り出すことができる。
【０５４８】
（ａ９）上記第１の実施形態では、空気室３３２及び音通路３３３が前扉側下皿通路部２７３等の下皿通路や前扉側上皿通路部２７２等の上皿通路の下方に配置されていたが、空気室３３２や音通路３３３は、パチンコ機１０の前後方向において下皿通路や上皿通路に重なる位置に配置されていてもよい。
【０５４９】
（ｂ１）上記第１の実施形態では、規制部材３６３の上端部に回動軸部が配置されていたが、規制部材３６３においては、その下端部や中間部分に回動軸部が配置されていてもよい。例えば、下端部に回動軸部が配置された規制部材３６３が、全開状態にある場合に、下皿通路孔３４４の下端部から下方に向けて延びた状態になっている構成とする。この構成でも、流下している遊技球が下皿通路孔３４４の近くに到達するよりも前のタイミングで、規制駆動部３６６により規制部材３６３を強制的に閉状態に移行させることで、下皿通路孔３４４からの遊技球の流出を規制部材３６３により規制できる。
【０５５０】
（ｂ２）上記第１の実施形態では、下皿通路孔３４４からの遊技球の流出が規制部材３６３の状態に応じて規制又は許可される構成としたが、規制部材３６３の状態に関係なく、下皿通路孔３４４からの遊技球の流出が規制部材３６３により規制される構成としてもよい。例えば、規制部材３６３の中間部分に回動軸部が配置され、その回動軸部が下皿通路孔３４４を上下に分割する位置に配置された構成とする。この構成では、下皿通路孔３４４からの遊技球の流出が規制部材３６３の回動軸部により規制されるため、下皿通路孔３４４からの音の取り込み状態に関係なく、下皿通路孔３４４からの遊技球の流出を規制できる。
【０５５１】
（ｂ３）上記第１の実施形態では、規制部材３６３が回動ストッパ３６５に引っ掛かることで、全開状態よりも開度の大きい状態に移行しない構成としたが、第３の実施形態のように、規制部材３６３が全開状態よりも開度の大きい状態に移行可能な構成としてもよい。例えば、回動ストッパ３６５が設けられていない構成とする。
【０５５２】
（ｂ４）上記第１の実施形態では、規制部材３６３が回動することで下皿通路孔３４４を開閉していたが、規制部材３６３は、スライド移動することで下皿通路孔３４４を開閉してもよい。例えば、規制部材３６３が縦通路部２８５の側面部（下皿通路仕切部３４２の縦部分３４２ｂ）に重ねられた状態で設けられた構成とする。この構成では、規制部材３６３は、縦部分３４２ｂとの重なりが小さくなる向きにスライド移動することで下皿通路孔３４４を閉鎖し、縦部分３４２ｂとの重なりが大きくなる向きにスライド移動することで下皿通路孔３４４を開放することが可能になっている。この構成でも、規制部材３６３が縦通路部２８５の内側に向けて延びた延出部を有していれば、流下してきた遊技球によりその延出部が押されることで規制部材３６３を開状態から閉状態に移行させることが可能になっている。
【０５５３】
また、規制部材３６３は、弾性変形することで下皿通路孔３４４を開閉してもよい。例えば、規制部材３６３が、ゴム等の弾性変形可能な材料により形成され、全開状態で設けられた構成とする。この構成では、規制部材３６３は、流下してきた遊技球により押された場合に、下皿通路孔３４４に対する開度を小さくする向きで弾性変形し、遊技球が通過して押圧が解除されることで、元の形状に戻ることで全開状態に移行することになる。なお、この構成では、規制部材３６３が全開状態（仕切状態）よりも開度の大きい状態に移行可能であるため、前扉側下皿通路部２７３にて遊技球が積み上がった場合でも、その遊技球により規制部材３６３が破損したり球詰まりが発生したりすることを抑制できる。
【０５５４】
（ｂ５）第１の実施形態では、規制部材３６３が前扉側下皿通路部２７３において回動可能に設けられていたが、規制部材３６３は、音通路３３３において回動可能に設けられていてもよい。例えば、閉状態にある規制部材３６３が前扉側下皿通路部２７３側及び音通路３３３側の何れに向けて回動した場合でも、下皿通路孔３４４が開放される構成とする。
【０５５５】
（ｂ６）上記第１の実施形態では、音制限演出が行われる場合に、規制部材３６３を閉状態に移行させる構成としたが、前扉側下皿通路部２７３から放出される音の音量が制限されるのであれば、下皿通路孔３４４に対する規制部材３６３の開度を小さくするだけでもよい。この場合、音制限演出が行われていない場合に比べて、規制部材３６３の開度が小さくされていればよい。
【０５５６】
（ｂ７）上記第１の実施形態では、図柄表示装置７５での変動表示の態様がスーパーリーチＡ〜Ｃのいずれかである場合に音制限演出を実行可能としたが、ノーマルリーチＡ，Ｂのいずれかである場合や、完全外れである場合に音制限演出を実行可能としてもよい。いずれの場合でも、変動表示の停止結果に対する遊技者の期待度を高めることができる。
【０５５７】
（ｂ８）上記第１の実施形態では、スーパーリーチ演出が開始されたタイミングで音制限演出が開始される構成としたが、スーパーリーチ演出が開始されてから所定時間が経過した後に音制限演出が開始される構成としてもよい。これにより、遊技者の期待度を高めることができるとともに、音制限演出のバリエーションを増やすことができる。
【０５５８】
（ｂ９）上記第１の実施形態では、遊技回が行われている場合、すなわち、図柄表示装置７５にて図柄の変動表示が行われている場合に、音制限演出を実行可能としたが、図柄の変動表示が行われていない場合に音制限演出を実行可能としてもよい。例えば、当否抽選モードが高確率モードにある場合に音制限演出を実行可能としてもよい。いずれの場合でも、遊技者にとって特典が付与される可能性が高い状態と高くない状態とが音制限演出により差別化されるため、音制限演出により特典付与への期待度を高めることができる。
【０５５９】
（ｂ１０）上記第１の実施形態では、下皿満杯になっている場合、開閉実行モードにある場合、又は音制限演出を行う場合に、規制部材３６３が強制的に閉状態に移行されたが、他にも、不正検知処理（ステップＳ２０２）により不正が検知された場合や、デモ表示用処理（ステップＳ２１７）により図柄表示装置７５に待機表示が行われている場合などに、規制部材３６３が強制的に閉状態に移行されてもよい。
【０５６０】
（ｂ１１）上記第１の実施形態では、下側スピーカ３０ａの背面側から出力された音が前扉側下皿通路部２７３に取り込まれる構成としたが、下側スピーカ３０ａの背面側ではなく前面側から出力された音が前扉側下皿通路部２７３に取り込まれる構成としてもよい。例えば、前扉側通路ユニット４５において、スピーカ用開口部３３６が後側ベース板２７４ｂに設けられていることで、空気室３３２がパチンコ機後方に向けて開放された構成とする。この構成では、空気室３３２がパチンコ機前方に向けては開放されておらず、下側スピーカ３０ａの前面部分がスピーカ用開口部３３６を通じて空気室３３２内に入り込んだ状態になっている。この場合、下側スピーカ３０ａの前面側からの出力音が前扉側下皿通路部２７３を通じて下皿３４に向けて放出されることになる。
【０５６１】
（ｃ１）上記第１の実施形態では、仕切体としての規制部材３６３の回動軸部が下皿通路孔３４４の上端部に対して設けられていたが、規制部材３６３は、下皿通路孔３４４から上流側に離間した位置に配置されていてもよい。例えば、規制部材３６３が仕切状態にある場合に上段横通路部２８４の中間位置にてその上段横通路部２８４を上流側と下流側とに仕切る位置に配置された構成とする。
【０５６２】
（ｃ２）上記第１の実施形態では、仕切状態にある規制部材３６３の回動先端部が回動ストッパ３６５に引っ掛かっている構成としたが、仕切状態にある規制部材３６３の回動基端部や側端部、中間部分が回動ストッパ３６５に引っ掛かる構成としてもよい。また、回動ストッパ３６５は、前扉側下皿通路部２７３の外周部に設けられているのではなく、規制部材３６３やその規制部材３６３の回動軸部に設けられていてもよい。さらに、規制部材３６３は、前扉側通路形成部２７６の内周面に引っ掛かることで仕切状態にて保持されてもよい。
【０５６３】
（ｃ３）上記第１の実施形態では、規制部材３６３が回動ストッパ３６５に引っ掛かっていることで仕切状態にて保持されていたが、規制駆動部３６６が規制部材３６３の回動を規制する機能を有していることで、その規制部材３６３が仕切状態にて保持されていてもよい。
【０５６４】
（ｃ４）上記第１の実施形態では、遊技状態が開閉実行モードにある場合に規制部材３６３を閉状態に強制的に移行させたが、高頻度サポートモードにある場合に、規制部材３６３を閉状態に強制的に移行させてもよい。また、開閉実行モードにある場合でも、確変大当たりに当選していれば規制部材３６３を閉状態に移行させ、通常大当たりに当選していれば規制部材３６３を閉状態に移行させない、という構成にしてもよい。
【０５６５】
（ｄ１）上記第１の実施形態では、下皿通路仕切部３４２の縦部分３４２ｂにおいて、下皿通路孔３４４が横部分３４２ａから下方に向けて延びていたが、下皿通路孔３４４は、横部分３４２ａから下方に離間した位置に配置されていてもよい。この場合でも、遊技球の流下経路から離間した位置に下皿通路孔３４４を配置することができる。
【０５６６】
（ｄ２）上記第１の実施形態では、縦通路部２８５において、縦通路部２８５の側面部のうち上段横通路部２８４側の縦部分３４２ｂに下皿通路孔３４４が配置されていたが、下皿通路孔３４４は、縦通路部２８５の側面部のうち、上段横通路部２８４とは反対側の側面部や、縦通路部２８５の前後に配置された側面部に配置されていてもよい。この場合でも、遊技球の流下経路から離間した位置に下皿通路孔３４４を配置することは可能である。
【０５６７】
（ｄ３）上記第１の実施形態では、下皿通路孔３４４が遊技球の通過が可能な大きさ及び形状とされていたが、下皿通路孔３４４は、遊技球を通過させない大きさ及び形状を有していてもよい。この下皿通路孔３４４としては、遊技球の流下方向に沿って延びた長孔や、前扉側下皿通路部２７３の厚み方向に延びた長孔などが挙げられる。
【０５６８】
（ｄ４）上記第１の実施形態では、規制部材３６３が空気中の音の伝達を遮る機能を有していたが、規制部材３６３は、閉状態にある場合に下皿通路孔３４４からの遊技球の流出を規制するものであれば、空気中の音の伝達を遮る機能を有していなくてもよい。例えば、第１の実施形態の規制部材３６３が、第４の実施形態の規制部材４６５のように分割手段として網部４６７を有していてもよい。
【０５６９】
（ｄ５）上記第４の実施形態では、規制部材４６５が、下皿通路孔３４４を複数に分割する分割手段として網部４６７を有していたが、規制部材４６５は、棒部材や格子部材といった分割手段を有していてもよい。例えば、規制部材４６５が、下皿通路孔３４４を上下に分割する棒部材を有しており、この棒部材が枠部４６６に対して固定された構成とする。この構成では、下皿通路孔３４４を遊技球が通過できない大きさ及び形状に分割することで、下皿通路孔３４４からの遊技球の流出が規制される一方で、下皿通路孔３４４からの音の取り込みが行われる。
【０５７０】
なお、網部４６７の網目が非常に荒い構成や、下皿通路孔３４４を仕切る棒部材が非常に細い構成であれば、これら分割手段が音の伝達に及ぼす影響が極めて小さいと想定される。このため、第１の実施形態において、規制部材３６３が下皿通路孔３４４を開放できない状態で設けられ、ホーン領域３７１の中間位置に存在する下皿通路孔３４４に対して分割手段が設けられていても、ホーン領域３７１において低音域の増幅しやすさ及び中高音域の減衰しやすさを保つことが可能になる。
【０５７１】
（ｄ６）上記第１の実施形態では、満杯検知センサ２８０が下段横通路部２８６に対して設けられていたが、満杯検知センサ２８０は、下皿通路孔３４４よりも下流位置であれば、下皿３４や第１球入口３４ａ、縦通路部２８５に対して設けられていてもよい。また、下皿通路孔３４４が上段横通路部２８４に対して設けられている構成では、満杯検知センサ２８０が、下皿通路孔３４４よりも下流位置であれば、上段横通路部２８４に対して設けられていてもよい。
【０５７２】
（ｅ１）上記各実施形態では、下皿通路において、下皿通路孔３４４が前扉側下皿通路部２７３に対して設けられていたが、下皿通路孔３４４は、内枠側下皿通路部２６３や裏パック側下皿通路部２５９に対して設けられていてもよい。
【０５７３】
（ｅ２）上記各実施形態では、上皿３３及び下皿３４という２つの球受け皿が設けられていたが、１つの球受け皿が設けられていてもよい。例えば、球受け皿に接続された球通路に対して取り込み孔が設けられ、下側スピーカ３０ａの出力音が取り込み孔から球通路に取り込まれる構成とする。この構成でも、下側スピーカ３０ａの出力音が球通路から前方に放出されることになる。
【０５７４】
（ｅ３）上記各実施形態では、下側スピーカ３０ａの出力音が下皿通路（前扉側下皿通路部２７３）から放出される構成としたが、上皿通路やファール球通路１１８、球抜き通路２４２、排出通路盤２０３の排出通路から放出される構成としてもよい。例えば、上皿通路において、音取り込み孔が前扉側上皿通路部２７２の外周部に設けられ、下側スピーカ３０ａの出力音が音取り込み孔を通じて前扉側上皿通路部２７２に取り込まれ、取り込まれた音が前扉側上皿通路部２７２から上皿３３に向けて放出される構成とする。
【０５７５】
（ｅ４）上記実施形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも本発明を適用できる。
【０５７６】
更に、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機にも本発明を適用できる。
【０５７７】
＜上記実施形態から抽出される発明群について＞
以下、上述した実施形態から抽出される発明群の特徴について、必要に応じて効果等を示しつつ説明する。なお以下においては、理解の容易のため、上記実施形態において対応する構成を括弧書き等で適宜示すが、この括弧書き等で示した具体的構成に限定されるものではない。
【０５７８】
＜特徴Ａ群＞
下記特徴Ａ群の発明は、以下の課題に対して効果的である。
【０５７９】
パチンコ機等の遊技機は、効果音等の音を出力することが可能なスピーカを備えている（例えば特開２００５−２６１８０８号公報参照）。遊技機においては、スピーカから出力された音が、遊技機前方に向けて放出されるようになっている。
【０５８０】
しかしながら、スピーカ等の音出力手段から出力された音が遊技機前方に放出される構成について未だ改善の余地がある。
【０５８１】
特徴Ａ１．遊技機前方に露出した状態で設けられ、遊技球を貯留する球受け皿（下皿３４）と、
遊技球を前記球受け皿に排出する球通路（裏パック側下皿通路部２５９、内枠側下皿通路部２６３、前扉側下皿通路部２７３、第１球入口３４ａ）と、
振動板（振動板３０ｂ）を有し、該振動板の振動に伴って音を出力するスピーカ（下側スピーカ３０ａ）と、
前記スピーカの背面側から出力された音を遊技機前方に放出するエンクロージャ（エンクロージャ３３１）と、
を備え、
前記エンクロージャは、前記スピーカの背面側を収納している空気室（空気室３３２）を有しており、
前記球通路の外周部には、前記スピーカの背面側から前記空気室に出力された音を当該球通路に取り込む音取り込み孔（下皿通路孔３４４）が設けられており、
前記球通路は、前記音取り込み孔を介して前記空気室に連通されていることで前記エンクロージャに含まれており、前記音取り込み孔から当該球通路に取り込まれた音を前記球受け皿に向けて放出するものであることを特徴とする遊技機。
【０５８２】
特徴Ａ１によれば、スピーカが特定の振動板を有しているため、スピーカから音が出力される場合に、球通路の外周部などが外部の振動板としての役割を果たす必要がない。このため、球通路を通じて遊技機前方に音が放出される構成であっても、球通路に存在する遊技球によりスピーカの振動板の振動が阻害されるということがない。したがって、球通路を通じて遊技機前方に放出される音について、その音質が遊技球の存在により低下するということを抑制できる。
【０５８３】
ここで、振動板を有するスピーカにおいては、背面側からの出力音が前面側からの出力音に対して位相が反転することに起因して、これら出力音が互いに打ち消し合い、特に低音域の音量が小さくなるということが懸念される。これに対して、本特徴によれば、球通路がエンクロージャに含まれているため、スピーカの背面側からの出力音が球通路を経由して遊技機前方に放出されることで、前面側からの出力音に対する反転位相からずれることになる。このため、スピーカの前後に出力された音が互いに打ち消し合いにくくなり、低音域の音量が小さくなるなどスピーカの出力能力が低下することを抑制できる。
【０５８４】
また、スピーカの背面側が空気室に収納されている構成では、その空気室を含むエンクロージャが大型化することが懸念される。これに対して、本特徴によれば、エンクロージャが球通路を含んで構成されているため、エンクロージャの全てが専用空間により形成された構成に比べて、エンクロージャを小型化することができる。これにより、遊技機の内部という狭小空間にエンクロージャを適正に配置することができる。
【０５８５】
以上のように、スピーカから出力された音を遊技機前方に放出する上で好適な構成を提供することができる。
【０５８６】
なお、スピーカからの出力音が球通路から放出されるため、球受け皿が遊技球で満杯になっている場合には、その遊技球により球通路が塞がれて音が球通路から放出されにくくなってしまう。ここで、音は遊技者が遊技を楽しむための１つの要素であるため、球受け皿が満杯になっていることに起因して音が聞こえにくくなっているのであれば、その音を聞いて遊技を楽しむために球受け皿の満杯状態を解消すると考えられる。したがって、球通路から音を放出することは、球受け皿からの遊技球の排出作業を遊技者に促す構成を実現することにもなる。
【０５８７】
特徴Ａ２．前記球通路においては、前記空気室との連通部分よりも下流側の部分（ホーン領域３７１）が、全体として前記空気室から前記球受け皿に近付くにつれて太くされたホーン形状になっていることを特徴とする特徴Ａ１に記載の遊技機。
【０５８８】
特徴Ａ２によれば、球通路がホーン形状になっているため、球通路を通過する音の低音域が増幅しやすくなっている。このため、スピーカの背面側からの出力音について、スピーカから出力された時点では不足しがちな低音域の音量を、球通路を通過させることで増加させることができる。
【０５８９】
特徴Ａ３．前記球通路において前記下流側の部分は、遊技球の流下方向を変化させる球コーナー部分（中間曲がり部３０４、下流曲がり部３０５）を有していることを特徴とする特徴Ａ２に記載の遊技機。
【０５９０】
特徴Ａ３によれば、球通路においては、流下する遊技球の速度が球コーナー部分で低減しやすくなっているとともに、音が球コーナー部分を通ることでその音の中高音域が減衰しやすくなっている。このため、遊技球が過度の勢いを保ったまま球受け皿に排出されないようにするための構成を利用して、球通路から放出される音について低音域が際立って聞こえるようにすることができる。つまり、スピーカシステムにおいて、球通路にバックロードホーンとしての機能を発揮させることができる。
【０５９１】
特徴Ａ４．前記球通路は、直線的に延びている複数の通路部（上段横通路部２８４、縦通路部２８５、下段横通路部２８６）を有しており、
異なる方向に延び且つ隣り合う前記通路部が接続された接続部分は、遊技球の流下方向を変化させる球コーナー部分（中間曲がり部３０４）になっていることを特徴とする特徴Ａ２に記載の遊技機。
【０５９２】
特徴Ａ４によれば、球コーナー部分により接続されている通路部が直線的に延びているため、通路部の直線部分により遊技球をある程度加速させることができる。これにより、球通路を流下する遊技球の勢いを制限し過ぎて球通路にて球詰まりが発生するということを抑制できる。
【０５９３】
しかも、球コーナー部分の存在により、球通路を通る音の中高音域が減衰しやすくなっているため、球通路から放出される音について低音域が際立って聞こえるようにすることができる。つまり、スピーカシステムにおいて、球通路にバックロードホーンとしての機能を発揮させることができる。
【０５９４】
特徴Ａ５．前記エンクロージャは、全体として前記空気室から前記球受け皿に近付くにつれて太くされたホーン部（ホーン領域３７１）を有しており、
前記ホーン部は、前記球通路と、該球通路及び前記空気室を接続した音通路（音通路３３３）とを有していることを特徴とする特徴Ａ１乃至Ａ４のいずれか１つに記載の遊技機。
【０５９５】
エンクロージャにおいてホーン部を形成する上で、球通路だけではホーン部の長さ寸法が不足することが懸念される。これに対して、特徴Ａ５によれば、球通路に加えて音通路によりホーン部が形成されているため、その球通路に音通路を接続することでホーン部の長さ寸法を十分に確保することができる。この場合、スピーカの背面側から出力された音の低音域がホーン部により十分に増幅されるため、スピーカの前面側から出力された音だけでは不足しがちな低音域の音量を、ホーン部から出力される音で補うことができる。
【０５９６】
特徴Ａ６．前記音通路は、音が伝わる方向を変化させる音コーナー部分（音曲がり部３５７）を有していることを特徴とする特徴Ａ５に記載の遊技機。
【０５９７】
特徴Ａ６によれば、音通路が音コーナー部分を有しているため、ホーン部にバックロードホーンとしての機能を発揮させることができる。しかも、ホーン部においては、音通路が音コーナー部分を有していることで、必ずしも球通路が球コーナー部分を有している必要がないため、球通路の形状や大きさに関して、バックロードホーンに球通路を含めることで自由度が低下するということを回避できる。したがって、球通路における遊技球の流下態様に影響を与えないようにした上で、その球通路を利用してバックロードホーンを適正に形成できる。
【０５９８】
特徴Ａ７．前記ホーン部において遊技球が前記球通路から前記音取り込み孔を通じて前記音通路に流出することを規制する流出規制部（規制部材３６３）を備えていることを特徴とする特徴Ａ５又はＡ６に記載の遊技機。
【０５９９】
ホーン部は、空気室から球受け皿に近付くにつれて断面積が大きくされていることで、音の低音域を増幅する機能を発揮するものであるため、音通路と球通路との接続部分に音取り込み孔が形成された構成では、その音取り込み孔の開口面積は、その下流側の球通路の断面積に応じて設定されることになる。この場合、球通路は遊技球の通過が可能な大きさ及び形状に設定されているため、音取り込み孔も遊技球の通過が可能な大きさ及び形状になっている可能性が高く、音通路に遊技球が流出することが懸念される。
【０６００】
これに対して、特徴Ａ７によれば、球通路を流下する遊技球が音通路に流出したことに起因して球受け皿に適正に排出されないということを抑制できる。また、音通路や空気室に遊技球が詰まってホーン部から適正に音が放出されないということも抑制できる。
【０６０１】
特徴Ａ８．前記流出規制部は、前記球通路を流下する遊技球により押圧されることで、前記音通路への遊技球の流出を規制しない非規制状態から、前記音通路への遊技球の流出を規制する規制状態に移行することを特徴とする特徴Ａ７に記載の遊技機。
【０６０２】
特徴Ａ８によれば、流下する遊技球が音取り込み孔に接近した場合には、その遊技球に押圧されることで流出規制部が規制状態に移行するため、音通路への遊技球の流出を確実に規制できる。ここで、音通路への遊技球の流出が流出規制部により規制されている場合、流出規制部が音通路から球通路への音の伝わりも規制してしまうことが懸念される。これに対して、本特徴によれば、流下する遊技球が音取り込み孔に接近していない場合には、流出規制部を非規制状態にて保持することが可能であるため、音通路から球通路への音の伝わりを規制しないで済む。したがって、球通路からの音の放出及び遊技球の排出の両方を適正に行うことができる。
【０６０３】
特徴Ａ９．前記流出規制部は、遊技球が通過して押圧が解除されることで前記規制状態から前記非規制状態に戻ることを特徴とする特徴Ａ８に記載の遊技機。
【０６０４】
特徴Ａ９によれば、球通路において遊技球が音取り込み孔の周辺を通過する際に極めて短い期間だけ流出規制部が規制状態になるため、音通路から球通路への音の取り込みが途切れる期間を極めて短くすることができる。したがって、音通路への遊技球の流出を規制しても、球通路から放出される音による演出効果が著しく低下するということを抑制できる。
【０６０５】
なお、前記流出規制部が前記規制状態から前記非規制状態に戻る構成としては、前記流出規制部が前記非規制状態から前記規制状態に移行することに伴って弾性変形し、該弾性変形によって生じる付勢力で前記流出規制部を前記規制状態から前記非規制状態に戻す付勢部材を備えた構成や、前記流出規制部が当該流出規制部の自重で前記規制状態から前記非規制状態に戻る構成が挙げられる。
【０６０６】
特徴Ａ１０．前記流出規制部は、流下する遊技球により押圧されていない場合に、前記非規制状態として、前記球通路を上流側と下流側とに仕切った仕切状態にあることを特徴とする特徴Ａ８又はＡ９に記載の遊技機。
【０６０７】
特徴Ａ１０によれば、非規制状態にある流出規制部は、球通路において遊技球の流下経路上に存在しているため、球通路を流下する遊技球が流出規制部を非規制状態から規制状態に移行する向きで押圧する構成を実現できる。
【０６０８】
また、流出規制部が板材等の音の伝わりを規制する部材により形成されていれば、この流出規制部は、非規制状態にある場合に、音取り込み孔を通じて球通路に取り込まれた音が下流側（球受け皿）に伝わることを規制しない一方で、その音が上流側（球受け皿とは反対側）に伝わることを規制することになる。この場合、音取り込み孔を通じて球通路に伝わった音が球通路の上流側に向けて拡散することが抑制されるため、上流側への音の伝わりが規制されない構成に比べて、球通路から遊技機前方に放出される音を大きくできる。
【０６０９】
特徴Ａ１１．前記遊技盤を有する遊技機本体（内枠１３）と、
前記球受け皿を有し、前記遊技機本体に対して遊技機前方に回動可能に設けられた遊技機前面体（前扉枠１４）と、
を備え、
前記球通路は、前記遊技機前面体に設けられ前記球受け皿に通じている前面通路部（前扉側下皿通路部２７３）を有しており、
前記遊技機前面体は、前記空気室及び前記前面通路部を形成する通路ユニット（前扉側通路ユニット４５）を有していることを特徴とする特徴Ａ１乃至Ａ１０のいずれか１つに記載の遊技機。
【０６１０】
特徴Ａ１１によれば、前面通路部と空気室とが、互いに一体化されることで通路ユニットを形成しているため、これら前面通路部及び空気室を個別に遊技機前面体に搭載するという煩雑な作業を行う必要がない。また、通路ユニットをあらかじめ製作しておくことで、前面通路部と空気室との間において音漏れが発生するということも抑制できる。
【０６１１】
特徴Ａ１２．前記遊技機前面体は、前記スピーカ及び前記通路ユニットが取り付けられたベース体（ベース枠２３１）を有しており、
前記通路ユニットは、前記空気室を前記スピーカに向けて開放したスピーカ用開口部（スピーカ用開口部３３６）を有しており、該スピーカ用開口部を通じて前記スピーカの背面部分を前記空気室に収納した状態で、前記ベース体の背面に取り付けられていることを特徴とする特徴Ａ１１に記載の遊技機。
【０６１２】
特徴Ａ１２によれば、通路ユニットにスピーカ用開口部が形成されているため、遊技機前面体のベース体にあらかじめスピーカを取り付けておき、その後、ベース体に対して通路ユニットを取り付けることが可能になる。つまり、通路ユニットとスピーカとをベース体に対して別々に取り付けることができる。
【０６１３】
ここで、スピーカにおいては振動板の振動に伴って音が出力されるため、その振動によって固定状態が不安定にならないようにスピーカを遊技機前面体に対して強固に取り付けておくことが好ましい。これに対して、通路ユニットとスピーカとをベース体に別々に取り付けることで、スピーカを通路ユニットを介してベース体に固定するのではなく、ベース体に対して直接固定することが可能になるため、ベース体に対するスピーカの固定強度を十分に確保することができる。
【０６１４】
特徴Ａ１３．前記空気室は、遊技機前後方向において前記球通路に重ならない位置に配置されていることを特徴とする特徴Ａ１乃至Ａ１２のいずれか１つに記載の遊技機。
【０６１５】
特徴Ａ１３によれば、遊技機前後方向において空気室が球通路に重ならない位置に配置されているため、遊技機内にスピーカシステムを設置することで遊技機の厚み寸法が過剰に大きくなるということを抑制できる。また、エンクロージャにより音質を向上させる構成を実現した上で、遊技機幅方向において球通路の側方位置や、上方位置、下方位置をデッドスペースとしておくのではなく、空気室の設置スペースとして有効利用することができる。
【０６１６】
特徴Ａ１４．前記音取り込み孔は、前記球通路の外周部において遊技球の流下経路から離間した離間位置に設けられていることを特徴とする特徴Ａ１乃至Ａ１３のいずれか１つに記載の遊技機。
【０６１７】
球通路の外周部に音取り込み孔が形成された構成では、球通路を通る遊技球が音取り込み孔から空気室側に流出することや、音取り込み孔が遊技球の流下を阻害する要因になることが懸念される。これに対して、特徴Ａ１４によれば、音取り込み孔が遊技球の流下経路から離間しているため、音取り込み孔が遊技球の流下を阻害することや、遊技球が球通路から流出するということを抑制できる。また、音取り込み孔が遊技球の流下経路から離間していることで、流下する遊技球により音取り込み孔が塞がれにくくなっているため、遊技球が流下している状況でもスピーカの背面側からの出力音が音取り込み孔を通じて球通路に適正に取り込まれることになる。したがって、遊技球及び音の両方が球通路から球受け皿に適正に放出される構成を実現できる。
【０６１８】
特徴Ａ１５．前記球通路は、遊技機幅方向又は奥行き方向に延びた横通路部（上段横通路部２８４、下段横通路部２８６）を有しており、
前記空気室は、前記横通路部の下方に配置されていることを特徴とする特徴Ａ１乃至Ａ１４のいずれか１つに記載の遊技機。
【０６１９】
球通路が横通路部を有している構成では、球通路内に導入されなかった遊技球を球通路の外周部の上面に沿って流下させることで、所定の位置に案内することができる。つまり、球通路の上方スペースを、遊技球の回収スペースとして有効利用することが可能になっている。
【０６２０】
これに対して、特徴Ａ１５によれば、横通路部の下方スペースを空気室の設置スペースとして有効利用することができる。これにより、遊技機の内部という限られたスペースにおいて、球通路に関する他の機能を制限することなく、スピーカシステムを好適に構築することができる。
【０６２１】
特徴Ａ１６．前記球通路は、
前記横通路部の下流側に配置され、該横通路部の下流側端部から下方に向けて延びた縦通路部（縦通路部２８５）を有しており、
前記音取り込み孔は、前記横通路部の下方において前記縦通路部の側面部（下皿通路仕切部３４２の縦部分３４２ｂ）に設けられていることを特徴とする特徴Ａ１５に記載の遊技機。
【０６２２】
空気室と球通路とが音取り込み孔を通じて連通している構成では、球通路を通る遊技球が音取り込み孔から空気室側に流出することや、音取り込み孔が遊技球の流下を阻害する要因になることが懸念される。特に、空気室が横通路部の下方に配置された構成では、横通路部の下面部に音取り込み孔を形成することが想定されるが、これでは、横通路部を通る遊技球が音取り込み孔から空気室側に流出することや、横通路部において遊技球の流下を音取り込み孔が阻害することが懸念される。
【０６２３】
これに対して、特徴Ａ１６によれば、縦通路部の側面部において、その縦通路部と横通路部との入隅部分側の位置に音取り込み孔が配置されているため、横通路部を通ってきた遊技球は音取り込み孔から遠ざかる側に移動しながら縦通路部を流下することになる。この場合、遊技球が音取り込み孔の上を通ることや、音取り込み孔に向けて流下することが生じにくくなっているため、縦通路部を流下する遊技球が音取り込み孔から空気室側に流出することや、縦通路部において遊技球の流下を音取り込み孔が阻害するということを抑制できる。
【０６２４】
特徴Ａ１７．前記音取り込み孔は、前記縦通路部の側面部において前記横通路部の床部（下皿通路仕切部３４２の横部分３４２ａ）から下方に向けて延びていることを特徴とする特徴Ａ１６に記載の遊技機。
【０６２５】
特徴Ａ１７によれば、縦通路部において音取り込み孔を横通路部の直下に配置できるため、横通路部から縦通路部に向けて流下する遊技球が音取り込み孔に接触することをより確実に抑制できる。したがって、音取り込み孔が縦通路部に形成されていても、その音取り込み孔に関係なく遊技球が球受け皿に適正に排出される構成を実現できる。
【０６２６】
特徴Ａ１８．遊技球が流下する遊技領域が形成された遊技盤（遊技盤６０ａ）と、
発射装置に基づいて遊技球を発射する遊技球発射手段（遊技球発射機構１１０）と、
前記遊技盤に設けられ、前記遊技球発射手段から発射された遊技球を前記遊技領域に向けて誘導する誘導レール（誘導レール１００）と、
前記遊技球発射手段に向けて前記誘導レールを逆流してくる遊技球を回収する回収口（回収口２８１ａ）を有し、その回収した遊技球を前記球受け皿に向けて案内する回収通路（ファール球通路１１８）と、
を備え、
前記回収通路は、前記横通路部に沿って延びた状態で該横通路部の上側に設けられていることを特徴とする特徴Ａ１５乃至Ａ１７のいずれか１つに記載の遊技機。
【０６２７】
特徴Ａ１８によれば、横通路部の上方スペースが、遊技領域から逆流してきたファール球の回収スペースとして使用されている構成において、横通路部の下方に空気室が配置されているため、スピーカシステムの空気室を設置することで回収通路の配置を制限したり回収通路の機能が低下したりするということを回避できる。
【０６２８】
特徴Ａ１９．遊技盤（遊技盤６０ａ）を有する遊技機本体（内枠１３）と、
前記球受け皿を有し、前記遊技機本体に対して遊技機前方に回動可能に設けられた遊技機前面体（前扉枠１４）と、
を備え、
前記球通路は、
前記遊技機前面体に設けられ、入口部（外側開口部２７９）にて受けた遊技球を前記球受け皿に導く第１通路部（前扉側下皿通路部２７３）と、
第１通路部よりも上流側を構成し、前記入口部に遊技球を導く第２通路部（裏パック側下皿通路部２５９、内枠側下皿通路部２６３）と、
を有し、
前記遊技機本体に対する前記遊技機前面体の開放に伴って前記入口部から溢れた遊技球を受け、その受けた遊技球を前記回収口に導く球受け通路（球受け通路２８９）が、前記横通路部に沿って延びた状態で該横通路部の上側に設けられていることを特徴とする特徴Ａ１５乃至Ａ１８のいずれか１つに記載の遊技機。
【０６２９】
特徴Ａ１９によれば、横通路部の上方スペースが、第１通路部の入口部から溢れた溢れ球の回収スペースとして使用されているため、横通路部の下方に空気室が配置されていることで、空気室が回収通路や球受け通路の配置を制限したりこれら回収通路や球受け通路の機能が低下したりすることを回避できる。
【０６３０】
特徴Ａ２０．前記空気室は、前記球通路の上側に配置されていることを特徴とする特徴Ａ１乃至Ａ１９のいずれか１つに記載の遊技機。
【０６３１】
特徴Ａ２０によれば、球通路の上方スペースを空気室の設置スペースとして有効利用することができる。
【０６３２】
特徴Ａ２１．前記音取り込み孔は、前記球通路の天井部（下皿通路仕切部４５２の縦通路部分４５２ｂ）に設けられていることを特徴とする特徴Ａ２０に記載の遊技機。
【０６３３】
特徴Ａ２１によれば、横通路部の上面部に音取り込み孔が形成されているため、横通路部においては、流下している遊技球が音取り込み孔に接触すること自体が生じにくくなっている。このため、横通路部を流下する遊技球が音取り込み孔から空気室側に流出することや、横通路部において遊技球の流下を音取り込み孔が阻害するということを抑制できる。
【０６３４】
特徴Ａ２２．前記音取り込み孔は、遊技球を通過させない小孔として複数設けられていることを特徴とする特徴Ａ１乃至Ａ２１のいずれか１つに記載の遊技機。
【０６３５】
特徴Ａ２２によれば、小孔である音取り込み孔を遊技球が通過できないため、球通路からの遊技球の流出を抑制することができる。しかも、スピーカの背面側からの出力音が複数の小孔を通過することで、その音の中高音域が減衰しやすくなっているため、球通路から放出される音の低音域が際立って聞こえるようにすることができる。このため、遊技球が球通路から流出しないようにするための構成を利用して、低音による演出効果を高めることができる。
【０６３６】
特徴Ａ２３．前記球通路は、遊技機幅方向又は奥行き方向に延びた横通路部（上段横通路部２８４）と、該横通路部に接続され上下方向に延びた縦通路部（縦通路部２８５）とを有しており、
前記音取り込み孔は、遊技球を通過させない小孔として、前記横通路部及び前記縦通路部の各外周部のそれぞれに複数ずつ設けられていることを特徴とする特徴Ａ１乃至Ａ２２のいずれか１つに記載の遊技機。
【０６３７】
特徴Ａ２３によれば、小孔である音取り込み孔を遊技球が通過できないため、球通路からの遊技球の流出を抑制することができる。しかも、スピーカの背面側からの出力音が複数の小孔を通過することで、その音の中高音域が減衰しやすくなっているため、球通路から放出される音の低音域が際立って聞こえるようにすることができる。このため、遊技球が球通路から流出しないようにするための構成を利用して、低音による演出効果を高めることができる。
【０６３８】
さらに、横通路部と縦通路部とでは空気室からの音の伝わる向きが異なっていることで、その音の低音域が増幅しやすく且つ中高音域が減衰しやすい環境を作り出すことができる。これにより、低音による演出効果を更に高めることができる。
【０６３９】
＜特徴Ｂ群＞
下記特徴Ｂ群の発明は、以下の課題に対して効果的である。
【０６４０】
パチンコ機等の遊技機は、効果音等の音を出力することが可能なスピーカを備えている（例えば特開２００５−２６１８０８号公報参照）。遊技機においては、スピーカから出力された音が、遊技機前方に向けて放出されるようになっている。
【０６４１】
しかしながら、スピーカ等の音出力手段から出力された音が遊技機前方に放出される構成について未だ改善の余地がある。
【０６４２】
特徴Ｂ１．遊技機前方に露出した状態で設けられ、遊技球を貯留する球受け皿（下皿３４）と、
遊技球を前記球受け皿に排出する球通路（前扉側下皿通路部２７３）と、
振動板（振動板３０ｂ）を有し、該振動板の振動に伴って音を出力するスピーカ（下側スピーカ３０ａ）と、
前記球通路の外周部（下皿通路仕切部３４２の縦部分３４２ｂ）に設けられ、前記スピーカから出力された音を当該球通路に取り込む音取り込み孔（下皿通路孔３４４）と、
前記音取り込み孔を開閉する開閉体（規制部材３６３）と、
を備え、
前記開閉体は、前記スピーカからの出力音が前記音取り込み孔を通じて前記球通路に取り込まれることを、前記音取り込み孔に対する開度に応じて規制するものであることを特徴とする遊技機。
【０６４３】
特徴Ｂ１によれば、スピーカが特定の振動板を有しているため、スピーカから音が出力される場合に、球通路の外周部などが外部の振動板としての役割を果たす必要がない。このため、単に音取り込み孔を開閉体により閉鎖することで、球通路からの音の放出が停止することになる。この場合、スピーカからの音の出力を停止させなくても、球通路からの音の放出を停止させることが可能になるため、例えばスピーカからの出力音を放出する音放出部が球通路の他にも設けられている構成であれば、他の音放出部からの音の放出を継続させる一方で、球通路からの音の放出を停止させることができる。
【０６４４】
以上のように、スピーカからの出力音が遊技機外部に放出される態様に関して自由度を高めることができる。つまり、スピーカから出力された音を遊技機前方に放出する上で好適な構成を提供することができる。
【０６４５】
なお、開閉体により音取り込み孔が閉鎖された場合に、開閉体により全ての音の伝わりを遮断できなくても、開閉体が開状態にある場合と閉状態にある場合とで、球通路から放出される音の音量に差異を生じさせることはできる。このため、スピーカからの出力音が遊技機外部に放出される態様に関して自由度を高めることができる。
【０６４６】
特徴Ｂ２．前記開閉体は、前記球通路を流下する遊技球に押圧されることで前記開度を小さくする閉鎖動作を行うものであることを特徴とする特徴Ｂ１に記載の遊技機。
【０６４７】
特徴Ｂ２によれば、流下する遊技球が開閉体を押圧した場合、その開閉体が閉鎖動作することで、スピーカからの出力音が球通路に伝わることが規制される。このため、開閉体をモータ等の駆動部により強制的に閉じなくても、球通路からの音の放出を制限することができる。このように、遊技球の流下を利用することで、遊技機外部への音の放出態様に関して自由度を高めることができる。
【０６４８】
また、遊技者は、球通路から放出される音が途切れることで、球通路を通じて球受け皿に遊技球が排出されていることを察知できる。
【０６４９】
特徴Ｂ３．前記開閉体は、遊技球が通過して押圧が解除されることで前記開度を大きくする開放動作を行うことを特徴とする特徴Ｂ２に記載の遊技機。
【０６５０】
特徴Ｂ３によれば、流下する遊技球が開閉体を閉鎖動作させる構成において、その遊技球が通過した後には開閉体が開放動作を行うため、球通路からの音の放出が開閉体により制限される期間は極めて短くなる。この場合、複数の遊技球が球通路を流下することで、球通路から放出される音が瞬間的に途切れたような状態になるため、球受け皿への遊技球の払い出し態様に合わせて遊技機外部への音の放出態様が変化することになる。このため、球通路から放出される音により演出効果を高めることができる。
【０６５１】
また、遊技者は、球受け皿を視認しなくても、その球受け皿に払い出される遊技球の数を音の途切れ具合から察知することができる。
【０６５２】
なお、前記開閉体が遊技球が通過して押圧が解除されることで前記音取り込み孔に対する開度が大きくなる構成としては、前記開閉体の開度が小さくなることに伴って弾性変形し、該弾性変形によって生じる付勢力で前記開閉体の開度を大きくする付勢部材を備えた構成や、前記流出規制部が当該流出規制部の自重で前記規制状態から前記非規制状態に戻る構成が挙げられる。
【０６５３】
特徴Ｂ４．前記開閉体は、回動することで前記音取り込み孔を開閉するものであり、前記球通路側に向けて開いた開状態にある場合に、前記球通路を流下する遊技球に押圧されることで前記開度を小さくする閉鎖動作を行うことが可能であることを特徴とする特徴Ｂ１乃至Ｂ３のいずれか１つに記載の遊技機。
【０６５４】
特徴Ｂ４によれば、流下する遊技球が開閉体を押圧することでその開閉体が閉鎖動作するという構成を、開閉体を単に回動可能に設けることで実現できる。これにより、遊技球の流下を利用することで、遊技機外部への音の放出態様に関して自由度を高めることができる。
【０６５５】
特徴Ｂ５．前記開閉体は、遊技球により押圧されていない場合に、前記開状態として、前記音取り込み孔よりも上流側において前記球通路を上流側と下流側とに仕切った仕切状態にあることを特徴とする特徴Ｂ４に記載の遊技機。
【０６５６】
特徴Ｂ５によれば、開閉体が仕切状態にある場合、球通路を流下する遊技球はその開閉体を下流側に向けて押圧することになる。このため、遊技球の流下に合わせて球通路からの音の放出態様を確実に変化させることができる。また、開閉体が仕切状態にある場合には、音取り込み孔を通じて球通路に取り込まれた音が上流側に伝わることが開閉体により規制されるため、上流側への音の伝わりが規制されない構成に比べて、球通路から放出される音を大きくできる。
【０６５７】
特徴Ｂ６．前記開閉体を開閉させる駆動部（規制駆動部３６６）と、
前記駆動部の駆動制御を行うことで、前記開閉体を閉状態と開状態とに移行させる制御手段（報知・演出制御装置１４３のサブＭＰＵ４３２）と、
を備えていることを特徴とする特徴Ｂ１乃至Ｂ５のいずれか１つに記載の遊技機。
【０６５８】
特徴Ｂ６によれば、制御手段が開閉体を強制的に閉状態に移行させることで、スピーカの駆動を停止させなくても、任意のタイミングで球通路からの音の放出を停止させることが可能になる。この場合、球通路からの音の放出を停止させた状態（開閉体が閉状態）と、球通路からの音の放出を停止させていない状態（開閉体が開状態）とを適宜使い分けることが可能になるため、球通路から放出される音による演出の多様化を図ることができる。
【０６５９】
特徴Ｂ７．前記制御手段は、
遊技機外部への音の放出を制限する音制限演出を行うか否かを判定する演出判定手段（ステップＳ８０５，Ｓ８０６の処理を実行する機能）と、
前記演出判定手段により前記音制限演出を行うと判定された場合、所定の期間に亘って前記開閉体を閉状態にて保持する閉鎖実行手段（ステップＳ８０３，Ｓ８０７の処理を実行する機能）と、
を有していることを特徴とする特徴Ｂ６に記載の遊技機。
【０６６０】
特徴Ｂ７によれば、球通路から音が放出されている状態が通常行われている演出であれば、球通路からの音放出が停止した状態を演出の１つ（音制限演出）として利用することができる。しかも、音制限演出を任意のタイミングで開始すること、及び音制限演出を任意のタイミングで終了することの両方が可能であるため、音制限演出が強調されるように開閉体の開閉タイミングを設定することで、球通路からの音の放出及び停止を利用して演出効果を高めることができる。
【０６６１】
特徴Ｂ８．複数種の絵柄の変動表示を行う絵柄表示装置（図柄表示装置７５）と、
前記複数種の絵柄の変動開始条件が成立した場合に、前記複数種の絵柄の変動表示を開始させ、あらかじめ設定された変動態様に従って変動表示させた後に停止結果を表示するように前記絵柄表示装置を表示制御する表示制御手段（表示制御装置１７０）と、
を備え、
前記演出判定手段は、前記音制限演出を行うための抽選に当選し、且つ前記絵柄表示装置にて前記変動表示が行われる場合に、前記音制限演出を行うと判定し、
前記閉鎖実行手段は、前記絵柄表示装置にて前記変動表示が行われている場合に、前記開閉体を前記閉状態にて保持することを特徴とする特徴Ｂ７に記載の遊技機。
【０６６２】
特徴Ｂ８によれば、絵柄の変動表示が行われている状況で、球通路からの音の放出が制限されている期間と制限されていない期間とが混在することになるため、球通路からの音放出の制限の有無によって、絵柄の変動表示に対する期待度に差異を生じさせることができる。このように、絵柄の変動表示が行われている状況での演出効果を音制限演出により高めることができる。
【０６６３】
特徴Ｂ９．前記絵柄表示装置に表示される変動表示の態様には、遊技者に特典を付与すると定められた絵柄の組み合わせが成立する可能性のある各絵柄のうち最終停止絵柄を除く他の絵柄を、前記変動表示を開始した後に停止表示させている状況下にて該最終停止絵柄を変動表示させるリーチ変動表示が含まれており、
前記演出判定手段は、前記変動表示として前記リーチ変動表示が行われる場合に、前記音制限演出を行うと判定し、
前記閉鎖実行手段は、前記絵柄表示装置にて前記変動表示として前記リーチ変動表示が行われている場合に、前記開閉体を前記閉状態にて保持することを特徴とする特徴Ｂ８に記載の遊技機。
【０６６４】
リーチ変動表示は他の変動表示に比べて停止結果に対する期待度が高くなっているため、特徴Ｂ９のように、リーチ変動表示が行われている状況で音制限演出が行われることは、音による演出効果を高める上で効果的である。しかも、同じ態様のリーチ変動表示であっても、音制限演出が行われる場合と行われない場合とで差別化されるため、リーチ変動表示が行われている最中の演出効果を更に高めることができる。
【０６６５】
特徴Ｂ１０．前記リーチ変動表示の態様には、第１リーチ変動表示（ノーマルリーチＡ，Ｂ）と、該第１リーチ変動表示よりも変動表示期間が長い第２リーチ変動表示（スーパーリーチＡ〜Ｃ）とが含まれており、
前記演出判定手段は、前記リーチ変動表示として前記第２リーチ変動表示が行われる場合に前記音制限演出を行うと判定し、
前記閉鎖実行手段は、前記絵柄表示装置にて前記リーチ変動表示として前記第２リーチ変動表示が行われている場合に、前記開閉体を前記閉状態にて保持することを特徴とする特徴Ｂ９に記載の遊技機。
【０６６６】
第２リーチ変動表示は第１リーチ変動表示に比べて停止結果に対する期待度が高くなっているため、特徴Ｂ１０のように、第２リーチ変動表示が行われている場合に音制限演出が行われることは、音による演出効果を高める上で効果的である。しかも、同じ態様の第２リーチ変動表示であっても、音制限演出が行われる場合と行われない場合とで差別化されるため、第２リーチ変動表示が行われている最中の演出効果を更に高めることができる。
【０６６７】
＜特徴Ｃ群＞
下記特徴Ｃ群の発明は、以下の課題に対して効果的である。
【０６６８】
パチンコ機等の遊技機は、効果音等の音を出力することが可能なスピーカを備えている（例えば特開２００５−２６１８０８号公報参照）。遊技機においては、スピーカから出力された音が、遊技機前方に向けて放出されるようになっている。
【０６６９】
しかしながら、スピーカ等の音出力手段から出力された音が遊技機前方に放出される構成について未だ改善の余地がある。
【０６７０】
特徴Ｃ１．遊技機前方に露出した状態で設けられ、遊技球を貯留する球受け皿（下皿３４）と、
遊技球を前記球受け皿に排出する球通路（前扉側下皿通路部２７３）と、
振動板（振動板３０ｂ）を有し、該振動板の振動に伴って音を出力するスピーカ（下側スピーカ３０ａ）と、
前記球通路の外周部（下皿通路仕切部３４２の縦部分３４２ｂ）に設けられ、前記スピーカから出力された音を当該球通路に取り込む音取り込み孔（下皿通路孔３４４）と、
前記音取り込み孔よりも上流側において前記球通路を上流側と下流側とに仕切った仕切状態と、その仕切を解除することで遊技球の流下を許可する流下許可状態とに移行可能な仕切体（規制部材３６３、仕切部材４６１）と、
を備えていることを特徴とする遊技機。
【０６７１】
特徴Ｃ１によれば、スピーカが特定の振動板を有しているため、スピーカから音が出力される場合に、球通路の外周部などが外部の振動板としての役割を果たす必要がない。このため、単に球通路を仕切体により上流側と下流側とに仕切ることで、音取り込み孔から球通路に取り込まれた音が球受け皿とは反対側（上流側）に向けて伝わることを規制できる。したがって、仕切体が仕切状態にあることで、スピーカからの出力音が球通路を通じて放出される際の放出効率を高めることができる。
【０６７２】
ここで、球通路から球受け皿に遊技球が払い出される遊技機においては、針金等の不正治具が球通路に挿入された場合、その不正治具により払出装置等が操作されることで遊技球が不正に払い出されるということが懸念される。これに対して、仕切体が仕切状態にあることで、不正治具が球通路の上流側に侵入することをその仕切体により規制できる。このため、遊技球の流下タイミングに合わせて場合、球通路からの音の放出効率を高めることが可能な仕切体が、不正治具が球通路に挿入されることに対する抑止力を発揮することになる。
【０６７３】
以上のように、スピーカからの出力音が球通路を通じて放出される遊技機において、その音の放出効率を高めることができ、しかも、遊技球が不正に払い出されることを抑制できる。つまり、スピーカから出力された音を遊技機前方に放出する上で好適な構成を提供することができる。
【０６７４】
なお、仕切体が仕切状態にある場合、球通路の上流側への音の伝わりに加えて、遊技球の流下も仕切体により規制されるため、遊技球が球受け皿に排出されなくなってしまう。これに対して、仕切体は流下許可状態に移行可能であるため、仕切体による仕切位置を遊技球に通過させることが可能になる。これにより、スピーカからの出力音が球通路において上流側に拡散することを規制できる一方で、遊技球を球受け皿に適正に排出することができる。
【０６７５】
特徴Ｃ２．前記仕切体は、前記球通路を流下する遊技球により押圧されることで前記仕切状態から前記流下許可状態に移行することを特徴とする特徴Ｃ１に記載の遊技機。
【０６７６】
仕切体が仕切状態から流下許可状態に移行した場合、仕切体による仕切位置を遊技球が通過することが可能になる一方で、球通路に挿入された不正治具が仕切位置を突破して上流側に侵入することが懸念される。
【０６７７】
これに対して、特徴Ｃ２によれば、仕切体による仕切位置を遊技球が通過することに伴って仕切体が仕切状態から流下許可状態に移行するため、例えば、モータ等の駆動部により仕切体を強制的に流下許可状態に移行させてから遊技球が仕切位置を通過する構成とは異なり、仕切体が流下許可状態に移行してから遊技球が仕切位置を通過するまでにタイムラグが生じないようになっている。このため、遊技球の流下タイミングに合わせて不正治具を球通路の奥深くに侵入させるという不正行為を抑制できる。
【０６７８】
特徴Ｃ３．前記仕切体は、遊技球が通過して押圧が解除されることで前記流下許可状態から前記仕切状態に戻ることを特徴とする特徴Ｃ２に記載の遊技機。
【０６７９】
特徴Ｃ３によれば、球通路において遊技球が音取り込み孔の周辺を通過する際に極めて短い期間だけ仕切体が流下許可状態になるため、仮に不正治具が球通路に挿入されていたとしても、その不正治具が仕切体による仕切位置を突破するには一瞬のタイミングしかないことになる。このため、遊技球の流下タイミングに合わせて不正治具を球通路の奥深くに侵入させるという不正行為をより確実に抑制できる。
【０６８０】
なお、前記仕切体が前記流下許可状態から前記仕切状態に戻る構成としては、前記仕切体が前記仕切状態から前記流下許可状態に移行することに伴って弾性変形し、該弾性変形によって生じる不正力で前記仕切体を前記流下許可状態から前記仕切状態に戻す付勢部材を備えた構成や、前記流出規制部が当該流出規制部の自重で前記規制状態から前記非規制状態に戻る構成が挙げられる。
【０６８１】
特徴Ｃ４．前記仕切体は、回動先端部が下流側に移動する向きで回動することで前記仕切状態から前記流下許可状態に移行する一方で、前記仕切状態にある場合に回動先端部が上流側に移動する向きには回動しないようになっていることを特徴とする特徴Ｃ１乃至Ｃ３のいずれか１つに記載の遊技機。
【０６８２】
特徴Ｃ４によれば、仕切体が仕切状態にある場合、その仕切体は球通路の上流側に向けては回動しないため、例えば、不審者が球通路に挿入させた不正治具により仕切体を上流側に向けて強引に押し開けようとしても、不正治具が仕切体による仕切位置を突破することができないようになっている。これにより、球通路への不正治具の侵入に対する抑止力を好適に発揮することができる。
【０６８３】
特徴Ｃ５．前記仕切状態にある前記仕切体が上流側に向けて回動することを規制する回動ストッパ（回動ストッパ３６５）が、前記仕切体の回動先端部に引っ掛かる位置に設けられていることを特徴とする特徴Ｃ４に記載の遊技機。
【０６８４】
特徴Ｃ５によれば、仕切体の回動先端部が回動ストッパに引っ掛かるため、不審者が不正治具により仕切体の回動先端側を強引に変形させてその仕切体を無理矢理こじ開けようとしても、仕切体の回動先端側を変形させること自体ができないようになっている。したがって、不正治具を球通路の奥深くに侵入させようとする不正に対して抑止力を好適に発揮できる。
【０６８５】
特徴Ｃ６．前記仕切体は、前記音取り込み孔を開閉する開閉体であり、前記音取り込み孔に対して開放動作を行うことで前記仕切状態に移行することが可能であり、前記音取り込み孔に対して閉鎖動作を行うことで前記流下許可状態に移行することが可能であることを特徴とする特徴Ｃ１乃至Ｃ５のいずれか１つに記載の遊技機。
【０６８６】
球通路の外周部に音取り込み孔が設けられた構成では、音取り込み孔の大きさや形状によっては、球通路を流下する遊技球が音取り込み孔を通じて球通路の外部に流出することが懸念される。これに対して、特徴Ｃ６によれば、仕切体は、流下許可状態にある場合に音取り込み孔を閉鎖することが可能であるため、球通路における遊技球の流下を許可する一方で、音取り込み孔から遊技球が球通路の外部に流出することを阻止できる。
【０６８７】
また、仕切体が仕切状態にある場合には、音取り込み孔が開放されているため、仮に球通路に挿入された不正治具が仕切体にまで到達したとしても、その不正治具が球通路の上流側に進むことを仕切体により規制する一方で、仕切体が不正治具を音取り込み孔に誘導することも可能になる。この場合、音取り込み孔から不正治具を球通路の外部に誘導することで、不正治具が球通路の奥深くに侵入されるということを抑制できる。
【０６８８】
特徴Ｃ７．前記仕切体は、前記仕切状態にある場合に、前記音取り込み孔の内周面と面一又は該内周面よりも内側から前記球通路に向けて延びていることで前記音取り込み孔を開放していることを特徴とする特徴Ｃ６に記載の遊技機。
【０６８９】
特徴Ｃ７によれば、仕切体が仕切状態にある場合、その仕切体は球通路において音取り込み孔から上流側に離間していないため、仮に球通路に挿入された不正治具が仕切体にまで到達したとしても、その不正治具が仕切体の板面に沿って進むことで音取り込み孔に誘導されることになる。この場合、不正治具を球通路に挿入している不審者にとっては、仕切体よりも上流側においては球通路の位置すらも把握することができないようになっている。
【０６９０】
特徴Ｃ８．前記仕切体の状態移行を行う駆動部（規制駆動部３６６）と、
前記駆動部の駆動制御を行うことで、前記仕切体を前記仕切状態と前記流下許可状態とに移行させることが可能な制御手段（報知・演出制御装置１４３のサブＭＰＵ４３２）と、
を備えていることを特徴とする特徴Ｃ１乃至Ｃ７のいずれか１つに記載の遊技機。
【０６９１】
特徴Ｃ８によれば、例えば球通路から球受け皿への遊技球の排出状況に合わせて、任意のタイミングで仕切体を仕切状態や流下許可状態に移行させることが可能になっている。このため、球通路への不正治具の挿入を阻止することを優先する場合と、球通路からの音の放出効率を高めることを優先する場合と、球通路から球受け皿への遊技球の排出を優先する場合とを、適宜使い分けることができる。これにより、球通路からの音の放出効率を高めること、遊技球の不正な払出を抑制すること、遊技球を球受け皿に適正に排出することの全てを実現することができる。
【０６９２】
特徴Ｃ９．前記制御手段は、
遊技状態が遊技者に有利な特別遊技状態（開閉実行モード）にあるか否かを判定する手段（ステップＳ８０４の処理を実行する機能）と、
遊技状態が前記特別遊技状態にあると判定された場合に、前記仕切体を前記流下許可状態に移行させる手段（ステップＳ８０３の処理を実行する機能）と、
を備えていることを特徴とするＣ８に記載の遊技機。
【０６９３】
特徴Ｃ９によれば、遊技状態が特別遊技状態にある場合には、仕切体が流下許可状態に保たれるため、賞球として多数の遊技球が連続して球通路から球受け皿に排出されたとしても、仕切体がそれら遊技球の流下の支障になりにくくなっている。このため、多数の遊技球を球受け皿に適正に払い出すことができる。
【０６９４】
なお、多数の遊技球が連続して球通路を流下している場合には、不正治具の挿入にとって遊技球が支障になることや、遊技球により遊技者に利益が付与されていることなどに起因して、不正治具が球通路に挿入される可能性は低いと想定される。したがって、遊技状態が特別遊技状態になっていれば、仕切体が仕切状態になっていなくても、不正治具が球通路に挿入されることに対する抑止力が著しく低下するということもない。
【０６９５】
特徴Ｃ１０．前記制御手段は、
前記球受け皿が遊技球で満杯になっているか否かを判定する手段（ステップＳ８０２の処理を実行する機能）と、
前記球受け皿が満杯であると判定された場合に、前記仕切体を前記流下許可状態に移行させる手段（ステップＳ８０３の処理を実行する機能）と、
を備えていることを特徴とする特徴Ｃ８又はＣ９に記載の遊技機。
【０６９６】
特徴Ｃ１０によれば、球受け皿が満杯になっている場合には、仕切体が流下許可状態に保たれるため、遊技球が球通路にて積み上がったとしても、仕切体が遊技球の積み上がりの支障になりにくくなっている。このため、遊技球の積み上がりに伴って仕切体が変形したり破損したりすることを抑制できる。
【０６９７】
なお、球受け皿が満杯になっている場合には、不正治具の挿入にとって遊技球が支障になることや、遊技球により遊技者に利益が付与されていることなどに起因して、不正治具が球通路に挿入される可能性は低いと想定される。したがって、球受け皿が満杯になっていれば、仕切体が仕切状態になっていなくても、不正治具が球通路に挿入されることに対する抑止力が著しく低下するということもない。
【０６９８】
特徴Ｃ１１．前記球通路において遊技球が積み上がったことを検知する球検知手段（満杯検知センサ２８０）が、前記球通路において前記音取り込み孔よりも下流側に設けられており、
前記制御手段は、前記球検知手段により前記球通路における遊技球の積み上がりが検知された場合に、前記球受け皿が満杯になったと判定するものであることを特徴とする特徴Ｃ１０に記載の遊技機。
【０６９９】
特徴Ｃ１１によれば、球受け皿が満杯になった場合、球通路において積み上がった遊技球が音取り込み孔に到達するよりも前に仕切体を流下許可状態に移行させることができる。これにより、遊技球の積み上がりに伴って仕切体が変形したり破損したりすることをより確実に抑制できる。
【０７００】
＜特徴Ｄ群＞
下記特徴Ｄ群の発明は、以下の課題に対して効果的である。
【０７０１】
パチンコ機等の遊技機は、効果音等の音を出力することが可能なスピーカを備えている（例えば特開２００５−２６１８０８号公報参照）。遊技機においては、スピーカから出力された音が、遊技機前方に向けて放出されるようになっている。
【０７０２】
しかしながら、スピーカ等の音出力手段から出力された音が遊技機前方に放出される構成について未だ改善の余地がある。
【０７０３】
特徴Ｄ１．遊技機前方に露出した状態で設けられ、遊技球を貯留する球受け皿（下皿３４）と、
遊技球を前記球受け皿に排出する球通路（前扉側下皿通路部２７３）と、
振動板（振動板３０ｂ）を有し、該振動板の振動に伴って音を出力するスピーカ（下側スピーカ３０ａ）と、
前記球通路の外周部（下皿通路仕切部３４２の縦部分３４２ｂ）に設けられ、前記スピーカから出力された音を当該球通路に取り込む音取り込み孔（下皿通路孔３４４）と、
遊技球が前記球通路から前記音取り込み孔を通じて流出することを抑制する抑制機構（規制部材３６３）と、
を備えていることを特徴とする遊技機。
【０７０４】
特徴Ｄ１によれば、スピーカが特定の振動板を有しているため、球通路の外周部などを外部の振動板として利用する構成とは異なり、スピーカを球通路から離間した位置に配置することが可能になる。この場合でも、球通路の外周部に音取り込み孔が設けられていることで、スピーカからの出力音を音取り込み孔を通じて球通路に取り込むことができる。しかも、音取り込み孔に対しては規制機構が設けられているため、遊技球が音取り込み孔を通じて球通路の外側に流出するということを規制できる。
【０７０５】
以上のように、球通路から音が放出される遊技機において、スピーカからの出力音を球通路に好適に取り込むこと、及び遊技球を球通路から球受け皿に適正に排出することの両方を実現できる。つまり、スピーカから出力された音を遊技機前方に放出する上で好適な構成を提供することができる。
【０７０６】
特徴Ｄ２．前記抑制機構は、前記音取り込み孔が前記球通路において遊技球の流下経路から離間した離間位置に配置されていることで構成されていることを特徴とする特徴Ｄ１に記載の遊技機。
【０７０７】
特徴Ｄ２によれば、音取り込み孔が遊技球の流下経路から離間しているため、遊技球が音取り込み孔から外部に流出することを抑制できる。また、音取り込み孔が遊技球の流下経路から離間していることで、流下する遊技球により音取り込み孔が塞がれにくくなっているため、遊技球が流下している状況でもスピーカからの出力音が音取り込み孔を通じて球通路に適正に取り込まれることになる。したがって、遊技球及び音の両方が球通路から球受け皿に放出される構成を実現できる。
【０７０８】
特徴Ｄ３．前記球通路は、上下方向に延びている縦通路部（縦通路部２８５）を有しており、
前記抑制機構は、前記音取り込み孔が前記縦通路部の側面部（下皿通路仕切部３４２の縦部分３４２ｂ）に設けられていることで構成されていることを特徴とする特徴Ｄ１又はＤ２に記載の遊技機。
【０７０９】
特徴Ｄ３によれば、球通路において遊技球の流下経路に重ならない位置に音取り込み孔を配置することができる。このため、仮に音取り込み孔が遊技球の通過が可能な大きさ及び形状にされていても、遊技球が球通路から音取り込み孔を通じて外部に流出するということを抑制できる。
【０７１０】
特徴Ｄ４．前記球通路は、前記縦通路部の上流側端部から側方に向けて延びた横通路部（上段横通路部２８４、下段横通路部２８６）を有しており、
前記音取り込み孔は、前記縦通路部の前記側面部として、前記横通路部の床部（下皿通路仕切部３４２の横部分３４２ａ）から下方に向けて延びた下方側面部（下皿通路仕切部３４２の縦部分３４２ｂ）に設けられていることを特徴とする特徴Ｄ３に記載の遊技機。
【０７１１】
特徴Ｄ４によれば、縦通路部の側面部において、その縦通路部と横通路部との入隅部分側の位置に音取り込み孔が配置されているため、横通路部を通ってきた遊技球は音取り込み孔から遠ざかる側に移動しながら縦通路部を流下することになる。この場合、遊技球が音取り込み孔に向けて流下することが生じにくくなっているため、縦通路部を流下する遊技球が音取り込み孔から球通路の外部に流出することを抑制できる。
【０７１２】
特徴Ｄ５．前記音取り込み孔は、前記下方側面部において前記床部から下方に向けて延びていることを特徴とする特徴Ｄ４に記載の遊技機。
【０７１３】
特徴Ｄ５によれば、縦通路部において音取り込み孔を横通路部の直下に配置できるため、横通路部から縦通路部に向けて流下する遊技球が音取り込み孔に接触することをより確実に抑制できる。したがって、音取り込み孔が縦通路部に形成されていても、その音取り込み孔に関係なく遊技球が球受け皿に適正に排出される構成を実現できる。
【０７１４】
特徴Ｄ６．前記抑制機構は、前記音取り込み孔に対して設けられていることで該音取り込み孔からの遊技球の流出を規制する流出規制部（規制部材３６３）を有していることを特徴とする特徴Ｄ１乃至Ｄ５のいずれか１つに記載の遊技機。
【０７１５】
特徴Ｄ６によれば、音取り込み孔に対して流出規制部が設けられているため、仮に遊技球が音取り込み孔に向けて進んだとしてもその遊技球を流出規制部により跳ね返すことができる。この場合、音取り込み孔を遊技球が通過できない大きさや形状としなくても、音取り込み孔からの遊技球の流出が流出規制部により規制されるため、音取り込み孔からの音の取り込み効率が過剰に低下しない程度に音取り込み孔の開口面積を大きく設定することができる。これにより、球通路から放出される音の音量が不足するということを抑制できる。
【０７１６】
特徴Ｄ７．前記流出規制部は、前記音取り込み孔からの遊技球の流出を規制しない非規制状態と、前記音取り込み孔からの遊技球の流出を規制する規制状態とに移行可能であることを特徴とする特徴Ｄ６に記載の遊技機。
【０７１７】
音取り込み孔からの遊技球の流出が流出規制部により規制されている場合、音取り込み孔から球通路への音の取り込みも流出規制部により規制されることが懸念される。この場合、スピーカからの出力音が音取り込み孔から球通路に取り込まれたとしても、その球通路から放出される音の音質が低下しやすくなってしまう。
【０７１８】
これに対して、特徴Ｄ７によれば、流出規制部が非規制状態にある場合には、球通路からの音の放出が途切れることや、途切れなくても放出音の音質が低下することを抑制できる。その一方で、流出規制部が規制状態にある場合には、音取り込み孔からの遊技球の流出を抑制できる。したがって、球通路からの音の放出及び遊技球の排出の両方を適正に行うことができる。
【０７１９】
特徴Ｄ８．前記流出規制部は、前記球通路を流下する遊技球により押圧されることで前記非規制状態から前記規制状態に移行することを特徴とする特徴Ｄ７に記載の遊技機。
【０７２０】
特徴Ｄ８によれば、遊技球が音取り込み孔に接近していない場合には、流出規制部が非規制状態にあることで、球通路から音を適正に放出することができる。その一方で、流下する遊技球が音取り込み孔に接近した場合には、その遊技球に押圧されることで流出規制部が規制状態に移行するため、音取り込み孔からの遊技球の流出を抑制できる。したがって、球通路を遊技球が流下している状況に合わせて、球通路からの音の放出及び遊技球の排出の両方を適正に行うことができる。
【０７２１】
特徴Ｄ９．前記流出規制部は、遊技球が通過して押圧が解除されることで前記規制状態から前記非規制状態に戻ることを特徴とする特徴Ｄ８に記載の遊技機。
【０７２２】
特徴Ｄ９によれば、球通路において遊技球が音取り込み孔の周辺を通過する際に極めて短い期間だけ流出規制部が規制状態になるため、球通路からの音の放出が途切れる期間や音の音質が低下する期間を極めて短くすることができる。したがって、音取り込み孔からの遊技球の流出を規制しても、球通路から放出される音による演出効果が著しく低下するということを抑制できる。
【０７２３】
なお、前記流出規制部が前記規制状態から前記非規制状態に戻る構成としては、前記流出規制部が前記非規制状態から前記規制状態に移行することに伴って弾性変形し、該弾性変形によって生じる付勢力で前記流出規制部を前記規制状態から前記非規制状態に戻す付勢部材を備えた構成や、前記流出規制部が当該流出規制部の自重で前記規制状態から前記非規制状態に戻る構成が挙げられる。
【０７２４】
特徴Ｄ１０．前記流出規制部は、当該流出規制部の上流側端部を回動軸として回動することで前記非規制状態と前記規制状態とに移行するものであることを特徴とする特徴Ｄ７乃至Ｄ９のいずれか１つに記載の遊技機。
【０７２５】
特徴Ｄ１０によれば、球通路を流下する遊技球により押圧されることで流出規制部が非規制状態から規制状態に移行するという構成を、流出規制部を単に回動可能に設けることで実現できる。
【０７２６】
特徴Ｄ１１．前記流出規制部の状態移行を行う駆動部（規制駆動部３６６）と、
前記駆動部の駆動制御を行うことで、前記流出規制部を前記非規制状態と前記規制状態とに移行させることが可能な制御手段（報知・演出制御装置１４３のサブＭＰＵ４３２）と、
を備えていることを特徴とする特徴Ｄ７乃至Ｄ１０のいずれか１つに記載の遊技機。
【０７２７】
球受け皿が満杯になったことなどに起因して球通路において遊技球が積み上がった場合、積み上がった遊技球が支障になって流出規制部が非規制状態から規制状態に移行できず、音取り込み孔からの遊技球の流出を流出規制部により規制できないという事態の発生が懸念される。
【０７２８】
これに対して、特徴Ｄ１１によれば、例えば球通路における遊技球の流下状況に合わせて、任意のタイミングで流出規制部を規制状態や非規制状態に移行させることが可能になっているため、球受け皿が満杯になった場合など、音取り込み孔から遊技球が流出する可能性が高まりやすい場合には、あらかじめ流出規制部を非規制状態に移行させておくことができる。これにより、球通路から球受け皿への遊技球の排出が音取り込み孔の存在によって適正に行われないということを抑制できる。
【０７２９】
特徴Ｄ１２．前記制御手段は、
前記球受け皿が遊技球で満杯になっているか否かを判定する手段（ステップＳ８０２の処理を実行する機能）と、
前記球受け皿が満杯であると判定された場合に、前記流出規制部を前記規制状態に移行させる手段（ステップＳ８０３の処理を実行する機能）と、
を備えていることを特徴とする特徴Ｄ１１に記載の遊技機。
【０７３０】
特徴Ｄ１２によれば、球受け皿が満杯になっている場合には、流出規制部が規制状態に保たれるため、球通路において積み上がった遊技球が音取り込み孔に到達したとしても、その遊技球が音取り込み孔から流出することを流出規制部により規制できる。
【０７３１】
特徴Ｄ１３．前記球通路において遊技球が積み上がったことを検知する球検知手段（満杯検知センサ２８０）が、前記球通路において前記音取り込み孔よりも下流側に設けられており、
前記制御手段は、前記球検知手段により前記球通路における遊技球の積み上がりが検知された場合に、前記球受け皿が満杯になったと判定するものであることを特徴とする特徴Ｄ１１又はＤ１２に記載の遊技機。
【０７３２】
特徴Ｄ１３によれば、球受け皿が満杯になった場合、球通路において積み上がった遊技球が音取り込み孔に到達するよりも前に流出規制部を規制状態に移行させることができる。この場合、積み上がった遊技球が支障となって流出規制部が規制状態に移行できないという事態を回避できるため、遊技球が音取り込み孔から流出することをより確実に規制できる。
【０７３３】
特徴Ｄ１４．前記流出規制部は、前記音取り込み孔を複数に分割していることで該音取り込み孔からの遊技球の流出を規制していることを特徴とする特徴Ｄ６乃至Ｄ１３のいずれか１つに記載の遊技機。
【０７３４】
特徴Ｄ１４によれば、音取り込み孔においては、流出規制部により複数に分割された状態でも音の通過が可能になっているため、流出規制部は、音取り込み孔からの遊技球の流出を規制すること、及びスピーカからの出力音を音取り込み孔から球通路に取り込むことの両方を同時に実現することができる。これにより、流出規制部を可動式の部材により構成しなくても、球通路から球受け皿に遊技球を適正に排出すること、及びスピーカからの出力音を球通路から適正に放出することの両方が可能になる。
【０７３５】
特徴Ｄ１５．前記抑制機構は、前記音取り込み孔が前記球通路の天井部（下皿通路仕切部４５２の縦通路部分４５２ｂ）に設けられていることで構成されていることを特徴とする特徴Ｄ１乃至Ｄ１４のいずれか１つに記載の遊技機。
【０７３６】
特徴Ｄ１５によれば、球通路において遊技球の流下経路から上方に離間した位置に音取り込み孔を配置することができる。このため、仮に音取り込み孔が遊技球の通過が可能な大きさ及び形状にされていても、遊技球が球通路から音取り込み孔を通じて外部に流出するということを抑制できる。
【０７３７】
特徴Ｄ１６．前記抑制機構は、前記音取り込み孔が遊技球を通過させない小孔として複数設けられていることで構成されていることを特徴とする特徴Ｄ１乃至Ｄ１５のいずれか１つに記載の遊技機。
【０７３８】
特徴Ｄ１６によれば、小孔である音取り込み孔を遊技球が通過できないため、球通路からの遊技球の流出を抑制することができる。しかも、スピーカの背面側からの出力音が複数の小孔を通過することで、その音の中高音域が減衰しやすくなっているため、球通路から放出される音の低音域が際立って聞こえるようにすることができる。このため、遊技球が球通路から流出しないようにするための構成を利用して、低音による演出効果を高めることができる。
【０７３９】
特徴Ｄ１７．前記球通路は、遊技機幅方向又は奥行き方向に延びた横通路部（上段横通路部２８４）と、該横通路部に接続され上下方向に延びた縦通路部（縦通路部２８５）とを有しており、
前記抑制機構は、前記音取り込み孔が遊技球を通過させない小孔として前記横通路部及び前記縦通路部の各外周部のそれぞれに複数ずつ設けられていることで構成されていることを特徴とする特徴Ｄ１乃至Ｄ１６のいずれか１つに記載の遊技機。
【０７４０】
特徴Ｄ１７によれば、小孔である音取り込み孔を遊技球が通過できないため、球通路からの遊技球の流出を抑制することができる。しかも、スピーカの背面側からの出力音が複数の小孔を通過することで、その音の中高音域が減衰しやすくなっているため、球通路から放出される音の低音域が際立って聞こえるようにすることができる。このため、遊技球が球通路から流出しないようにするための構成を利用して、低音による演出効果を高めることができる。
【０７４１】
さらに、横通路部と縦通路部とでは空気室からの音の伝わる向きが異なっていることで、その音の低音域が増幅しやすく且つ中高音域が減衰しやすい環境を作り出すことができる。これにより、低音による演出効果を更に高めることができる。
【０７４２】
以下に、以上の各特徴を適用し得る遊技機の基本構成を示す。
【０７４３】
パチンコ遊技機：遊技者が操作する操作手段（遊技球発射ハンドル４１）と、その操作手段の操作に基づいて遊技球を発射する遊技球発射手段（遊技球発射機構１１０）と、その発射された遊技球を所定の遊技領域（遊技領域ＰＥ）に導く球通路（誘導レール１００）と、遊技領域内に配置された各遊技部品とを備え、それら各遊技部品のうち所定の通過部（一般入賞口６１等）を遊技球が通過した場合に遊技者に特典を付与する遊技機。
【０７４４】
スロットマシン等の回胴式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにした遊技機。
【０７４５】
球使用ベルト式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにし、さらに、球受皿を設けてその球受皿から遊技球を取り込む投入処理を行う投入装置と、前記球受皿に遊技球の払出を行う払出装置とを備え、投入装置により遊技球が投入されることにより前記始動用操作手段の操作が有効となるように構成した遊技機。
【符号の説明】
【０７４６】
１０…遊技機としてのパチンコ機、１３…遊技機本体としての内枠、１４…遊技機前面体としての前扉枠、３０ａ…スピーカとしての下側スピーカ、３０ｂ…振動板、３４…球受け皿としての下皿、３４ａ…球通路を構成する第１球入口、４５…前扉側通路ユニット、６０ａ…遊技盤、７５…絵柄表示装置としての図柄表示装置、１００…誘導レール、１１０…遊技球発射手段としての遊技球発射機構、１１８…回収通路としてのファール球通路、１４３…制御手段を有している報知・演出制御装置、１７０…表示制御手段としての表示制御装置、２３１…ベース体としてのベース枠、２５９…球通路及び第２通路部を構成する裏パック側下皿通路部、２６３…球通路及び第２通路部を構成する内枠側下皿通路部、２７３…球通路を構成する前面通路部及び第１通路部としての前扉側下皿通路部、２７９…入口部としての外側開口部、２８０…球検知手段としての満杯検知センサ、２８１ａ…回収口、２８４…通路部及び横通路部としての上段横通路部、２８５…通路部としての縦通路部、２８６…通路部及び横通路部としての下段横通路部、２８９…球受け通路、３０４…球コーナー部分としての中間曲がり部、３０５…球コーナー部分としての下流曲がり部、３３１…エンクロージャ、３３２…空気室、３３６…スピーカ用開口部、３４２…縦通路部の側面部及び横通路部の床部を有する下皿通路仕切部、３４２ａ…横通路部の床部及び球通路の外周部としての横部分、３４２ｂ…縦通路部の側面部としての縦部分、３４４…音取り込み孔としての下皿通路孔、３５７…音コーナー部分としての音曲がり部、３６３…抑制機構を構成する流出規制部、開閉体及び仕切体としての規制部材、３６５…回動ストッパ、３６６…駆動部としての規制駆動部、３７１…ホーン部としてのホーン領域、４３２…制御手段としての報知・演出制御装置のサブＭＰＵ４３２、４５２…球通路の天井部を有する下皿通路仕切部、４５２ｂ…球通路の天井部を構成する縦通路部分、４６１…仕切体としての仕切部材。
【図１】
2018158265.tif 000003
【図２】
2018158265.tif 000004
【図３】
2018158265.tif 000005
【図４】
2018158265.tif 000006
【図５】
2018158265.tif 000007
【図６】
2018158265.tif 000008
【図７】
2018158265.tif 000009
【図８】
2018158265.tif 000010
【図９】
2018158265.tif 000011
【図１０】
2018158265.tif 000012
【図１１】
2018158265.tif 000013
【図１２】
2018158265.tif 000014
【図１３】
2018158265.tif 000015
【図１４】
2018158265.tif 000016
【図１５】
2018158265.tif 000017
【図１６】
2018158265.tif 000018
【図１７】
2018158265.tif 000019
【図１８】
2018158265.tif 000020
【図１９】
2018158265.tif 000021
【図２０】
2018158265.tif 000022
【図２１】
2018158265.tif 000023
【図２２】
2018158265.tif 000024
【図２３】
2018158265.tif 000025
【図２４】
2018158265.tif 000026
【図２５】
2018158265.tif 000027
【図２６】
2018158265.tif 000028
【図２７】
2018158265.tif 000029
【図２８】
2018158265.tif 000030
【図２９】
2018158265.tif 000031
【図３０】
2018158265.tif 000032
【図３１】
2018158265.tif 000033
【図３２】
2018158265.tif 000034
【図３３】
2018158265.tif 000035
【図３４】
2018158265.tif 000036
【図３５】
2018158265.tif 000037
【図３６】
2018158265.tif 000038
【図３７】
2018158265.tif 000039
【図３８】
2018158265.tif 000040
【図３９】
2018158265.tif 000041